(57)【要約】  本発明は、配列番号２に対して少なくとも７５％の同一性を有するリパーゼおよび界面活性剤を含む洗浄組成物であって、リパーゼを欠く均等組成物と比較して、表面に存在する脂質汚れの除去により有効である洗浄組成物に関する。【特許請求の範囲】
【請求項１】
配列番号２に対して少なくとも７５％の同一性を有するリパーゼおよび界面活性剤を含む洗浄組成物。
【請求項２】
前記リパーゼを欠く均等組成物と比較して、表面に存在する脂質汚れの除去により有効である、請求項１に記載の洗浄組成物。
【請求項３】
前記リパーゼが、配列番号２を含んでいるかまたは構成している、請求項１または２に記載の洗浄組成物。
【請求項４】
カルシウム（Ｃａ2+）、マグネシウム（Ｍｇ2+）、および第一鉄（Ｆｅ2+）から好ましくは選択される１種または複数の２価カチオンをさらに含む、請求項１〜３のいずれか一項に記載の洗浄組成物。
【請求項５】
前記界面活性剤が、アニオン性界面活性剤、カチオン性界面活性剤、非イオン性界面活性剤、および両性イオン性界面活性剤からなる群から選択される１種または複数の界面活性剤である、請求項１〜４のいずれか一項に記載の洗浄組成物。
【請求項６】
前記界面活性剤が、ドデシルベンゼンスルホン酸ナトリウム、ナトリウム水素化ココエート、ラウレス硫酸ナトリウム、Ｃ１２−１４パレス−７、Ｃ１２−１５パレス−７、Ｃ１２−１５パレス硫酸ナトリウム、およびＣ１４−１５パレス−４からなる群から選択される１種または複数の界面活性剤を含む、請求項１〜５のいずれか一項に記載の洗浄組成物。
【請求項７】
ｐＨ８．０〜１１で製剤化された、請求項１〜６のいずれか一項に記載の洗浄組成物。
【請求項８】
前記洗浄組成物が、洗濯洗浄組成物、食器洗浄組成物、硬質表面洗浄組成物、およびパーソナルケア洗浄組成物からなる群から選択される、請求項１〜７のいずれか一項に記載の洗浄組成物。
【請求項９】
前記組成物の形態が、液体、ゲル、棒状石鹸、粉末、粒状固体、錠剤、またはそれらの任意の組合せからなる群から選択される、請求項１〜８のいずれか一項に記載の洗浄組成物。
【請求項１０】
前記組成物が、Ｌｉｐｒ１３８リパーゼの代わりにサーモミセス・ラヌギノサス（Ｔｈｅｒｍｏｍｙｃｅｓ  ｌａｎｕｇｉｎｏｓｕｓ）リパーゼ（Ｌｉｐｏｌａｓｅ（商標））を含む均等組成物に比較して、脂質基質の加水分解により有効である、請求項１〜９のいずれか一項に記載の洗浄組成物。
【請求項１１】
ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、アミラーゼ、またはそれらの混合物から選択される１種または複数の酵素をさらに含む、請求項１〜１０のいずれか一項に記載の洗浄組成物。
【請求項１２】
配列番号２に対して少なくとも７５％の同一性を有する前記リパーゼの安定性が、配列番号２に対して少なくとも７５％の同一性を有する前記リパーゼの代わりにサーモミセス・ラヌギノサス（Ｔｈｅｒｍｏｍｙｃｅｓ  ｌａｎｕｇｉｎｏｓｕｓ）リパーゼを含む均等組成物におけるサーモミセス・ラヌギノサス（Ｔｈｅｒｍｏｍｙｃｅｓ  ｌａｎｕｇｉｎｏｓｕｓ）リパーゼの安定性よりも高く、好ましくは、前記安定性が、最終洗浄組成物および／または最終洗浄媒体において測定される、請求項１〜１１のいずれか一項に記載の洗浄組成物。
【請求項１３】
配列番号２に対して少なくとも７５％の同一性を有するリパーゼおよび界面活性剤を加えることを含む、請求項１〜１２のいずれか一項に記載の組成物を製造する方法。
【請求項１４】
洗浄される表面上に存在する脂質汚れを請求項１〜１２のいずれか一項に記載の洗浄組成物と接触させることを含む、表面を洗浄するための方法。
【請求項１５】
汚染物および／または汚れを請求項１〜１２のいずれか一項に記載の洗浄組成物と接触させることを含む、前記汚染物および／または表面上の前記汚れの中に存在する脂質を加水分解するための方法。
【発明の詳細な説明】
【技術分野】
【０００１】
配列表の参照
本出願はコンピュータ読取り可能な形態の配列表を含む。このコンピュータ読取り可能な形態は、参照により本明細書に組み込まれる。
【０００２】
本組成物および本方法は、廃水処理施設から集められた、脂肪汚染土壌に由来する「原核生物に豊富な」ＤＮＡで構築されたフォスミドメタゲノムライブラリーから同定されたリパーゼ、このリパーゼをコードするポリヌクレオチド、およびその使用方法に関する。
【背景技術】
【０００３】
リパーゼは、各種用途に有用であることが示されている重要な生体触媒であり、多数の異なるリパーゼが同定され、また多くのものが商業化されている。しかしながら、現行の使用条件に適合した洗浄組成物で使用するのに適した新規のリパーゼが望まれている。
【発明の概要】
【発明が解決しようとする課題】
【０００４】
リパーゼは、トリグリセリドを加水分解して脂肪酸を生成させることによって、脂質汚れを除去する洗浄組成物で使用されている。現行の洗浄および／または布地ケア組成物は、脂質汚れを除去するリパーゼの能力を妨害する多くの有効成分を含んでいる。それ故、洗浄組成物の苛酷な環境で機能することができるリパーゼが求められている。
【課題を解決するための手段】
【０００５】
第１の態様では、本発明は、配列番号２に対して少なくとも７５％の同一性を有するリパーゼおよび界面活性剤を含む洗浄組成物を提供する。
【０００６】
第２の態様では、本発明は、配列番号２に対して少なくとも７５％の同一性を有するリパーゼおよび界面活性剤を加えることを含む、洗浄組成物を製造する方法を提供する。
【０００７】
第３の態様では、本発明は、洗浄される表面上に存在する脂質汚れを洗浄組成物と接触させることを含む、表面を洗浄するための方法を提供する。
【０００８】
第４の態様では、本発明は、汚染物および／または汚れを洗浄組成物と接触させることを含む、汚染物および／または表面上の汚れに存在する脂質を加水分解するための方法を提供する。
【発明を実施するための形態】
【０００９】
本組成物および本方法を詳細に説明する前に、明確さのために以下の用語を定義する。定義されない用語および略語は、当技術分野で使用されるそれらの通常の意味に一致するものとする。
【００１０】
リパーゼ：「リパーゼ」、「リパーゼ酵素」、「脂肪分解酵素」、「脂質エステラーゼ」、「脂肪分解ポリペプチド」、および「脂肪分解タンパク質」という用語は、酵素命名法により定義されるクラスＥＣ３．１．１に属する酵素を指す。これは、リパーゼ活性（トリアシルグリセロールリパーゼ、ＥＣ３．１．１．３）、クチナーゼ活性（ＥＣ３．１．１．７４）、ステロールエステラーゼ活性（ＥＣ３．１．１．１３）、および／またはワックス−エステルヒドロラーゼ活性（ＥＣ３．１．１．５０）を有し得る。本発明の目的のために、リパーゼ活性は、実施例に記載する手順に従い決定される。一態様では、本発明の変異体は、配列番号２の成熟ポリペプチドのリパーゼ活性の少なくとも２０％、例えば、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％、少なくとも９５％、または１００％を有する。
【００１１】
ｃＤＮＡ：「ｃＤＮＡ」という用語は、真核細胞または原核細胞から得られたスプライスされた成熟ｍＲＮＡ分子から逆転写によって調製可能であるＤＮＡ分子を意味する。ｃＤＮＡは、対応するゲノムＤＮＡ中に存在し得るイントロン配列を欠いている。元の一次ＲＮＡ転写物は、スプライスされた成熟ｍＲＮＡとして出現する前にスプライシングを含む一連のステップを介して処理されるｍＲＮＡに対する前駆体である。
【００１２】
コード配列：「コード配列」という用語は、変異体のアミノ酸配列を直接的に特定するポリヌクレオチドを意味する。コード配列の境界は、一般にオープンリーディングフレームによって判定されるが、これは、ＡＴＧ、ＧＴＧもしくはＴＴＧなどの開始コドンで始まり、ＴＡＡ、ＴＡＧもしくはＴＧＡなどの終止コドンで終わる。コード配列は、ＤＮＡ、ｃＤＮＡ、合成ＤＮＡ、またはこれらの組合せであってよい。
【００１３】
制御配列：「制御配列」という用語は、ポリヌクレオチドの発現に必要なすべての核酸配列を意味する。各制御配列は、ポリヌクレオチドに対して自生（すなわち、同じ遺伝子由来）であっても外来性（すなわち、異なる遺伝子由来）であっても、相互に自生もしくは外来性であってもよい。このような制御配列としては、これらに限定されないが、リーダー、ポリアデニル化配列、プロペプチド配列、プロモータ、シグナルペプチド配列、および、転写ターミネータが挙げられる。制御配列としては、プロモータ、ならびに、転写および翻訳停止シグナルが最低限挙げられる。制御配列は、ポリヌクレオチドのコード領域との制御配列の連結反応を促進させる特定の制限部位を導入するために、リンカーと共に提供され得る。
【００１４】
発現：「発現」という用語は、タンパク質の生成に関与するいずれかのステップを含み、特にこれらに限定されないが、転写、転写後修飾、翻訳、翻訳後修飾および分泌が挙げられる。
【００１５】
発現ベクター：「発現ベクター」という用語は、変異体をコードするポリヌクレオチドを含み、また、発現をもたらす制御ヌクレオチドに作動可能に結合している直線状または環状のＤＮＡ分子を意味する。
【００１６】
断片：「断片」という用語は、成熟ポリペプチドのアミノおよび／またはカルボキシル末端から１つまたは複数（例えばいくつか）のアミノ酸が存在しないポリペプチドを意味し；ここで、断片は、リパーゼ活性を有する。一態様では、断片は、成熟ポリペプチドのアミノ酸の数の少なくとも５０％、少なくとも５５％、少なくとも６０％、少なくとも６５％、少なくとも７０％、少なくとも７５％、少なくとも８０％、少なくとも８５％、少なくとも９０％、および少なくとも９５％を有する。
【００１７】
高ストリンジェンシー条件：「高ストリンジェンシー条件」という用語は、長さが少なくとも１００ヌクレオチドのプローブについて、５×ＳＳＰＥにおける４２℃、０．３％  ＳＤＳ、２００マイクログラム／ｍｌ断片化および修飾サケ精子ＤＮＡ、ならびに、５０％ホルムアミドでのプレハイブリダイゼーションおよびハイブリダイゼーション、これに続く、１２〜２４時間の標準的なサザンブロッティング法を意味する。キャリア材料は、最終的に、２×ＳＳＣ、０．２％  ＳＤＳを用いて、１５分間ずつかけて６５℃で３回洗浄される。
【００１８】
宿主細胞：「宿主細胞」という用語は、本発明のポリヌクレオチドを含む核酸構築物または発現ベクターを伴う形質転換、形質移入、形質導入等に対する感受性を有するいずれかの細胞型を意味する。「宿主細胞」という用語は、複製の最中に生じる突然変異によって親細胞とは異なっている親細胞のいずれかの子孫を包含する。
【００１９】
向上した特性：「向上した特性」という用語は、親と比較して、向上した変異体に関連する特徴を意味する。このような向上した特性としては、これらに限定されないが、触媒効率、触媒速度、化学安定性、酸化安定性、ｐＨ活性、ｐＨ安定性、比活性、貯蔵条件下での安定性、１種または複数の界面活性剤の存在下での安定性、基質結合、基質切断、基質特異性、基質安定性、表面特性、熱活性、熱安定性、汚れ除去、特に脂質汚れ除去、洗浄性能、相対的な洗浄性能、および脂質基質の加水分解が挙げられる。
【００２０】
単離された：「単離された」という用語は、天然では存在しない形態または環境にある物質を意味する。単離された物質の非制限的例として、（１）任意の非天然型物質、（２）これらに限定されないが、天然では関連している天然に存在する成分の１つまたは複数または全部から少なくとも部分的に取り出された任意の酵素、変異体、核酸、タンパク質、ペプチドもしくは補因子；（３）天然に存在する物質に対して、人為的に修飾された任意の物質；または（４）天然では関連している他の成分と比較して物質の量を増加すること（例えば、物質をコードする遺伝子の複数のコピー；物質をコードする遺伝子と天然で関連するプロモータより強力なプロモータの使用）によって修飾された任意の物質が挙げられる。単離された物質は、発酵ブロスサンプル中に存在し得る。
【００２１】
低ストリンジェンシー条件：「低ストリンジェンシー条件」という用語は、長さが少なくとも１００ヌクレオチドのプローブについて、５×ＳＳＰＥにおける４２℃、０．３％  ＳＤＳ、２００マイクログラム／ｍｌ断片化および修飾サケ精子ＤＮＡ、ならびに、２５％ホルムアミドでのプレハイブリダイゼーションおよびハイブリダイゼーション、これに続く、１２〜２４時間の標準的なサザンブロッティング法を意味する。キャリア材料は、最終的に、２×ＳＳＣ、０．２％  ＳＤＳを用いて、１５分間ずつかけて５０℃で３回洗浄される。
【００２２】
成熟ポリペプチド：「成熟ポリペプチド」という用語は、Ｎ−末端処理、Ｃ−末端切断、グリコシル化、リン酸化などのような、翻訳および任意の翻訳後修飾後のその最終形態でのポリペプチドを意味する。一態様において、成熟ポリペプチドは、配列番号２のアミノ酸１〜２９３である。
【００２３】
成熟ポリペプチドコード配列：「成熟ポリペプチドコード配列」という用語は、リパーゼ活性を有する成熟ポリペプチドをコードするポリヌクレオチドを意味する。一態様において、成熟ポリペプチドコード配列は、配列番号１のヌクレオチド１〜８８２である。
【００２４】
中ストリンジェンシー条件：「中ストリンジェンシー条件」という用語は、長さが少なくとも１００ヌクレオチドのプローブについて、５×ＳＳＰＥにおける４２℃、０．３％  ＳＤＳ、２００マイクログラム／ｍｌ断片化および修飾サケ精子ＤＮＡ、ならびに、３５％ホルムアミドでのプレハイブリダイゼーションおよびハイブリダイゼーション、これに続く、１２〜２４時間の標準的なサザンブロッティング法を意味する。キャリア材料は、最終的に、２×ＳＳＣ、０．２％  ＳＤＳを用いて、１５分間ずつかけて５５℃で３回洗浄される。
【００２５】
中−高ストリンジェンシー条件：「中−高ストリンジェンシー条件」という用語は、長さが少なくとも１００ヌクレオチドのプローブについて、５×ＳＳＰＥにおける４２℃、０．３％  ＳＤＳ、２００マイクログラム／ｍｌ断片化および修飾サケ精子ＤＮＡ、ならびに、３５％ホルムアミドでのプレハイブリダイゼーションおよびハイブリダイゼーション、これに続く、１２〜２４時間の標準的なサザンブロッティング法を意味する。キャリア材料は、最終的に、２×ＳＳＣ、０．２％  ＳＤＳを用いて、１５分間ずつかけて６０℃で３回洗浄される。
【００２６】
核酸構築物：「核酸構築物」という用語は、一本鎖もしくは二本鎖である核酸分子を意味し、これは、天然遺伝子から単離されるか、または、本来自然には存在し得ないような核酸のセグメント、もしくは、合成された核酸のセグメントを含有するよう修飾されており、１つまたは複数の制御配列を含む。
【００２７】
作動可能に結合：「作動可能に結合」という用語は、制御配列がコード配列の発現をもたらすよう、ポリヌクレオチドのコード配列と比して制御配列が適切な位置に位置されている構成を意味する。
【００２８】
親または親リパーゼ：「親」または「親リパーゼ」という用語は、酵素変異体をもたらすよう改変が行われたリパーゼを意味する。親は、天然に存在する（野生型）ポリペプチドまたはその変異体であり得る。
【００２９】
配列同一性：２つのアミノ酸配列間または２つのヌクレオチド配列間の関連性が、「配列同一性」というパラメータによって記載される。本発明の目的のために、２つのアミノ酸配列間の配列同一性は、好ましくはバージョン５．０．０以降のＥＭＢＯＳＳパッケージ（ＥＭＢＯＳＳ：Ｔｈｅ  Ｅｕｒｏｐｅａｎ  Ｍｏｌｅｃｕｌａｒ  Ｂｉｏｌｏｇｙ  Ｏｐｅｎ  Ｓｏｆｔｗａｒｅ  Ｓｕｉｔｅ，Ｒｉｃｅ  ｅｔ  ａｌ．，２０００，Ｔｒｅｎｄｓ  Ｇｅｎｅｔ．１６：２７６−２７７）のＮｅｅｄｌｅプログラムにおいて実装されている、Ｎｅｅｄｌｅｍａｎ−Ｗｕｎｓｃｈアルゴリズム（Ｎｅｅｄｌｅｍａｎ  ａｎｄ  Ｗｕｎｓｃｈ，１９７０，Ｊ．Ｍｏｌ．Ｂｉｏｌ．４８：４４３−４５３）を用いて判定される。用いられるパラメータは、１０のギャップオープンペナルティ、０．５のギャップエクステンションペナルティおよびＥＢＬＯＳＵＭ６２（ＢＬＯＳＵＭ６２のＥＭＢＯＳＳボージョン）置換マトリックスである。Ｎｅｅｄｌｅ標識された「最長の同一性」（−ｎｏｂｒｉｅｆオプションを用いて得られる）の出力が同一性割合として用いられ、以下のとおり算出される。
（同等の残基×１００）／（アラインメントの長さ−アラインメント中のギャップの総数）
【００３０】
本発明の目的のために、２つのデオキシリボヌクレオチド配列間の配列同一性は、ＥＭＢＯＳＳ  ｐａｃｋａｇｅ（ＥＭＢＯＳＳ：Ｔｈｅ  Ｅｕｒｏｐｅａｎ  Ｍｏｌｅｃｕｌａｒ  Ｂｉｏｌｏｇｙ  Ｏｐｅｎ  Ｓｏｆｔｗａｒｅ  Ｓｕｉｔｅ，Ｒｉｃｅ  ｅｔ  ａｌ．，２０００，ｓｕｐｒａ）、好ましくはバージョン５．０．０以降のＮｅｅｄｌｅ  ｐｒｏｇｒａｍに実装されているＮｅｅｄｌｅｍａｎ−Ｗｕｎｓｃｈアルゴリズム（Ｎｅｅｄｌｅｍａｎ  ａｎｄ  Ｗｕｎｓｃｈ，１９７０，ｓｕｐｒａ）を用いて判定される。用いられるパラメータは、１０のギャップオープンペナルティ、０．５のギャップエクステンションペナルティ、および、ＥＤＮＡＦＵＬＬ（ＮＣＢＩ  ＮＵＣ４．４のＥＭＢＯＳＳバージョン）置換マトリックスである。Ｎｅｅｄｌｅ標識された「最長の同一性」（−ｎｏｂｒｉｅｆオプションを用いて得られる）の出力が同一性割合として用いられ、以下のとおり算出される：
（同一のデオキシリボヌクレオチド×１００）／（アラインメントの長さ−アラインメント中のギャップの総数）
【００３１】
サブ配列：「サブ配列」という用語は、成熟ポリペプチドコード配列の５’および／または３’末端から１つまたは複数（例えばいくつか）のヌクレオチドが存在しないポリペプチドを意味し；ここで、サブ配列は、リパーゼ活性を有する断片をコードする。一態様では、本発明のサブ配列は、成熟ポリペプチドコード配列のヌクレオチドの数の少なくとも５０％、少なくとも５５％、少なくとも６０％、少なくとも６５％、少なくとも７０％、少なくとも７５％、少なくとも８０％、少なくとも８５％、少なくとも９０％、および少なくとも９５％を有する。
【００３２】
変異体：「変異体」という用語は、改変、すなわち、置換、挿入、および／または欠失を１つまたは複数（例えば、いくつか）の位置で含む、リバーゼ活性を有するポリペプチドを意味する。置換とは、ある位置を占めるアミノ酸を異なるアミノ酸で置き換えることを意味し；欠失とは、ある位置を占めるアミノ酸が除去されていることを意味し；挿入とは、ある位置を占めるアミノ酸に隣接しかつ直後に１つまたは複数（例えば、いくつか）のアミノ酸を加えることを意味する。本発明の変異体は、配列番号２の成熟ポリペプチドのリパーゼ活性の少なくとも２０％、例えば、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％、少なくとも９５％、または少なくとも１００％を有する。
【００３３】
超高ストリンジェンシー条件：「超高ストリンジェンシー条件」という用語は、長さが少なくとも１００ヌクレオチドのプローブについて、５×ＳＳＰＥにおける４２℃、０．３％  ＳＤＳ、２００マイクログラム／ｍｌ断片化および修飾サケ精子ＤＮＡ、ならびに、５０％ホルムアミドでのプレハイブリダイゼーションおよびハイブリダイゼーション、これに続く、１２〜２４時間の標準的なサザンブロッティング法を意味する。キャリア材料は、最終的に、２×ＳＳＣ、０．２％  ＳＤＳを用いて、１５分間ずつかけて７０℃で３回洗浄される。
【００３４】
超低ストリンジェンシー条件：「超低ストリンジェンシー条件」という用語は、長さが少なくとも１００ヌクレオチドのプローブについて、５×ＳＳＰＥにおける４２℃、０．３％  ＳＤＳ、２００マイクログラム／ｍｌ断片化および修飾サケ精子ＤＮＡ、ならびに、２５％ホルムアミドでのプレハイブリダイゼーションおよびハイブリダイゼーション、これに続く、１２〜２４時間の標準的なサザンブロッティング法を意味する。キャリア材料は、最終的に、２×ＳＳＣ、０．２％  ＳＤＳを用いて、１５分間ずつかけて４５℃で３回洗浄される。
【００３５】
野生型リアーゼ：「野生型」リパーゼという用語は、自然界において見出されるバクテリア、酵母、糸状真菌などの天然に存在する微生物により発現されるリパーゼを意味する。
【００３６】
Ｌｉｐｒ１３８ポリペプチド
一態様では、本組成物および本方法は、組換えＬｉｐｒ１３８ポリペプチドまたはその変異体を提供する。例示的なＬｉｐｒ１３８ポリペプチドは、配列番号２のアミノ酸配列を有する。一部の実施形態では、組換えＬｉｐｒ１３８ポリペプチドは、アミノ酸配列の配列番号２を含み、かつ／またはそれを構成する。
【００３７】
一部の実施形態では、組換えＬｉｐｒ１３８ポリペプチドは、例示されたＬｉｐｒ１３８ポリペプチドに対して、指定された程度のアミノ酸配列同一性、例えば、配列番号２のアミノ酸配列に対して、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、または少なくとも９９％の配列同一性を有する変異Ｌｉｐｒ１３８ポリペプチドである。同一性は、本明細書に記載されるアミノ酸配列アライメントによって決定することができる。
【００３８】
一部の実施形態では、変異Ｌｉｐｒ１３８ポリペプチドは置換を含む。天然アミノ酸を含む置換は、一般に、組換えＬｉｐｒ１３８ポリペプチドをコードする核酸を突然変異させ、次いで生物に変異ポリペプチドを発現させることにより作製される。非天然アミノ酸を含む置換またはアミノ酸の化学修飾は、一般に、組換えＬｉｐｒ１３８ポリペプチドが生物により合成された後にそれを化学修飾することにより作製される。
【００３９】
一部の実施形態では、組換えＬｉｐｒ１３８ポリペプチド（その変異体を含む）は、リパーゼ、エステラーゼ、トランスエステラーゼ、および／またはアシルトランスフェラーゼ活性を含むカルボン酸エステルヒドロラーゼ活性を有する。カルボン酸エステルヒドロラーゼ活性は、本明細書に記載されるアッセイを使用して、または当技術分野で公知の他のアッセイによって決定および測定することができる。一部の実施形態では、組換えＬｉｐｒ１３８ポリペプチドは、洗浄組成物の存在下で活性を有する。
【００４０】
Ｌｉｐｒ１３８ポリペプチドは、リパーゼ活性を保持する、「完全長」Ｌｉｐｒ１３８ポリペプチドの断片を含む。そのような断片は、好ましくは完全長ポリペプチドの活性部位を保持するが、重要でないアミノ酸残基を欠失していてもよい。断片の活性は、本明細書に記載されるアッセイを使用して、または当技術分野で公知の他のアッセイによって容易に決定することができる。一部の実施形態では、Ｌｉｐｒ１３８ポリペプチドの断片は、洗浄組成物の存在下でリパーゼ活性を保持する。
【００４１】
一部の実施形態では、Ｌｉｐｒ１３８ポリペプチドには、Ｌｉｐｒ１３８ポリペプチドの細胞外分泌をもたらすシグナルペプチドが融合している。
【００４２】
本明細書に開示されるＬｉｐｒ１３８ポリペプチドは、広範囲のｐＨにわたって酵素活性を有し得る。特定の実施形態では、開示されるＬｉｐｒ１３８ポリペプチドは、ｐＨ４〜ｐＨ１１．５で酵素活性を有する。他の実施形態では、Ｌｉｐｒ１３８は、ｐＨ４〜ｐＨ７、ｐＨ５〜ｐＨ８、ｐＨ６〜ｐＨ９、ｐＨ７〜ｐＨ１０、またはｐＨ８〜ｐＨ１１．５で活性である。
【００４３】
本明細書に開示されるＬｉｐｒ１３８ポリペプチドは、広範囲の温度にわたって、例えば１０℃以下〜９０℃で酵素活性を有し得る。好ましくは、温度は５０℃未満もしくは４０℃未満、または３０℃未満でもある。特定の実施形態では、Ｌｉｐｒ１３８リパーゼのための至適温度範囲は、１０℃〜２０℃、１５℃〜２５℃、１５℃〜３０℃、２０℃〜３０℃、２５℃〜３５℃、３０℃〜４０℃、３５℃〜４５℃、または４０℃〜５０℃である。
【００４４】
本明細書に開示されるＬｉｐｒ１３８ポリペプチドは、さらに、カルシウム（Ｃａ2+）、マグネシウム（Ｍｇ2+）、および第一鉄（Ｆｅ2+）、またはそれらの任意の組合せなどの２価カチオンの添加により安定化され得る。
【００４５】
Ｌｉｐｒ１３８ポリヌクレオチド
本組成物および本方法の一態様では、Ｌｉｐｒ１３８ポリペプチド（その変異体および断片を含む）をコードするポリヌクレオチドは、発現生物におけるＬｉｐｒ１３８ポリペプチドの発現をもたらす発現ベクターの枠組みで提供される。Ｌｉｐｒ１３８ポリペプチドをコードするポリヌクレオチドは、コードされたポリペプチドの発現を支援する調節要素（例えば、プロモータ、ターミネータ、エンハンサー等）に作動可能に結合され得る。Ｌｉｐｒ１３８ポリペプチドをコードする例示的なポリヌクレオチド配列は、配列番号１のヌクレオチド配列を有する。一部の実施形態では、組換えＬｉｐｒ１３８ポリヌクレオチドは、配列番号１を含み、かつ／またはそれを構成する。同様に、実質的に同じであることを含み、Ｌｉｐｒ１３８ポリペプチドおよび変異体をコードするポリヌクレオチドは、天然に存在し得る。遺伝暗号の縮重を考慮すると、異なるヌクレオチド配列を有するポリヌクレオチドが、同じＬｉｐｒ１３８ポリペプチド、変異体、または断片をコードすることがあることを認識されよう。
【００４６】
一部の実施形態では、Ｌｉｐｒ１３８ポリペプチドをコードするポリヌクレオチドは、Ｌｉｐｒ１３８ポリペプチドをコードする例示されたポリヌクレオチドに対して、指定された程度のアミノ酸配列同一性、例えば、配列番号１のアミノ酸配列に対して、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、または少なくとも９９％の配列同一性を有する。同一性は、本明細書に記載されるアミノ酸配列アライメントによって決定することができる。
【００４７】
一部の実施形態では、Ｌｉｐｒ１３８ポリペプチドをコードするポリヌクレオチドは、Ｌｉｐｒ１３８ポリペプチドの細胞外分泌をもたらすシグナルペプチドのコード配列の後ろのフレーム、すなわちその下流に融合される。発現ベクターは、Ｌｉｐｒ１３８ポリペプチドを発現するのに適した宿主細胞か、または適切な宿主細胞に発現ベクターを導入する前に、発現ベクターを増殖させるのに適した宿主細胞に提供することができる。
【００４８】
一部の実施形態では、Ｌｉｐｒ１３８ポリペプチドをコードするポリヌクレオチドは、指定のハイブリダイゼーション条件下で、配列番号１の例示的なポリヌクレオチドまたはその相補体にハイブリダイズする。例示的な条件は、本明細書に記載される、超低ストリンジェンシー、低ストリンジェンシー、中ストリンジェンシー  高ストリンジェンシー、および超高ストリンジェンシーの条件である。
【００４９】
Ｌｉｐｒ１３８ポリヌクレオチドは、天然であっても、合成、すなわち人工であってもよく、異なる宿主での発現のためにコドン最適化されていても、クローニング部位を導入するために突然変異していても、そうでなければ、機能性を加えるために改変されていてもよい。
【００５０】
Ｌｉｐｒ１３８ポリペプチドを含む組成物
本発明のポリペプチドを含む組成物を企図する。
【００５１】
本明細書の以下に説明される組成物成分の非限定的リストは、本組成物で使用するのに適しており、本明細書の方法は、例えば、洗浄される基材の処理を目的として洗浄性能を支援または増強するために、または香料、着色剤、染料等の場合のように、組成物の美観を改変するために、本発明の特定の実施形態に望ましくは組み込まれ得る。任意の組成物に組み込まれるこのような任意の成分のレベルは、組み込みのために前に列挙された任意の材料に加えたものである。これらの追加の成分の正確な性質およびその組み込みのレベルは、組成物の物理形態およびそれが使用される洗浄操作の性質に依存することになる。下記の成分は特定の機能に従って一般的な見出しにより分類されるが、当業者により認識されるように、これは、成分が追加の機能を含み得るので、限定するものとして解釈されるべきではない。
【００５２】
他に指示がない限り、パーセント量は、組成物の重量を基準とするものである（重量％）。好適な成分材料としては、これらに限定されないが、界面活性剤、ビルダー、キレート剤、染料移行阻害剤、分散剤、酵素、および酵素安定化剤、触媒材料、漂白活性化剤、過酸化水素、過酸化水素源、事前に形成した過酸、ポリマー分散剤、粘土汚染物除去剤／再付着防止剤、増白剤、抑泡剤、染料、色調染料、香料、香料送達系、構造弾力化剤、布地柔軟剤、担体、ヒドロトロープ、加工助剤、溶媒、および／または顔料が挙げられる。以下の開示に加えて、他のこのような成分の好適例および使用レベルについては、参照により本明細書に組み込まれる米国特許第５５７６２８２号明細書、米国特許第６３０６８１２号明細書、および米国特許第６３２６３４８号明細書に見出される。
【００５３】
それ故、特定の実施形態では、本発明は、以下の補助材料の１つまたは複数を含有しない：界面活性剤、石鹸、ビルダー、キレート剤、染料移行阻害剤、分散剤、追加の酵素、酵素安定化剤、触媒材料、漂白活性化剤、過酸化水素、過酸化水素源、事前に形成した過酸、ポリマー分散剤、粘土汚染物除去剤／再付着防止剤、増白剤、抑泡剤、染料、香料、香料送達系、構造弾力化剤、布地柔軟剤、担体、ヒドロトロープ、加工助剤、溶媒、および／または顔料。しかしながら、１つまたは複数の成分が存在する場合、以下に詳述するような１つまたは複数の成分が存在し得る。
【００５４】
界面活性剤−本発明による組成物は、界面活性剤または界面活性剤系を含むことができ、この界面活性剤は、非イオン性界面活性剤、アニオン性界面活性剤、カチオン性界面活性剤、両性界面活性剤、両性イオン性界面活性剤、半極性非イオン性界面活性剤、およびそれらの混合物から選択することができる。界面活性剤は、存在する場合、典型的には、０．１〜６０重量％、０．２〜４０重量％、０．５〜３０重量％、１〜５０重量％、１〜４０重量％、１〜３０重量％、１〜２０重量％、３〜１０重量％、３〜５重量％、５〜４０重量％、５〜３０重量％、５〜１５重量％、３〜２０重量％、３〜１０重量％、８〜１２重量％、１０〜１２重量％、または２０〜２５重量％のレベルで存在する。
【００５５】
好適なアニオン性洗浄界面活性剤には、スルフェートおよびスルホネート洗浄界面活性剤が含まれる。
【００５６】
好適なスルホネート洗浄界面活性剤には、アルキルベンゼンスルホネート、一態様では、Ｃ10~13アルキルベンゼンスルホネートが含まれる。好適なアルキルベンゼンスルホネート（ＬＡＳ）は、市販の直鎖アルキルベンゼン（ＬＡＢ）をスルホン化することにより得ることができ；好適なＬＡＢには、Ｉｓｏｃｈｅｍ（登録商標）またはＰｅｔｒｅｌａｂ（登録商標）などの低級２−フェニルＬＡＢが含まれ、他の好適なＬＡＢには、Ｈｙｂｌｅｎｅ（登録商標）などの高級２−フェニルＬＡＢが含まれる。好適なアニオン性洗浄界面活性剤は、ＤＥＴＡＬ触媒工程により得られるアルキルベンゼンスルホネートであるが、ＨＦなどの他の合成経路が適していることもある。一態様では、ＬＡＳのマグネシウム塩が使用される。
【００５７】
好適なスルフェート洗浄界面活性剤には、アルキルスルフェート、一態様では、Ｃ8~18アルキルスルフェートまたは主としてＣ12アルキルスルフェートが含まれる。
【００５８】
他の好適なスルフェート洗浄界面活性剤は、アルキルアルコキシル化スルフェート、一態様ではアルキルエトキシル化スルフェート、一態様ではＣ8~18アルキルアルコキシル化スルフェート、別の態様ではＣ8~18アルキルエトキシル化スルフェートであり、典型的には、アルキルアルコキシル化スルフェートの平均アルコキシル化度は０．５〜２０または０．５〜１０であり、典型的には、アルキルアルコキシル化スルフェートは、平均エトキシル化度が０．５〜１０、０．５〜７、０．５〜５、または０．５〜３のＣ8~18アルキルエトキシル化スルフェートである。
【００５９】
アルキルスルフェート、アルキルアルコキシル化スルフェート、およびアルキルベンゼンスルホネートは、直鎖状であっても分枝状であってもよく、置換されていても置換されていなくてもよい。洗浄界面活性剤は、中間鎖分枝洗浄界面活性剤、一態様では、中間鎖分枝アニオン性洗浄界面活性剤、一態様では、中間鎖分枝アルキルスルフェート、および／または中間鎖分枝アルキルベンゼンスルホネート、例えば、中間鎖分枝アルキルスルフェートであってもよい。一態様では、中間鎖分枝は、Ｃ1~4アルキル基、典型的には、メチル基および／またはエチル基である。
【００６０】
アニオン性界面活性剤の非限定例としては、スルフェートおよびスルホネート、特に、直鎖アルキルベンゼンスルホネート（ＬＡＳ）、ＬＡＳの異性体、分枝アルキルベンゼンスルホネート（ＢＡＢＳ）、フェニルアルカンスルホネート、アルファ−オレフィンスルホネート（ＡＯＳ）、オレフィンスルホネート、アルケンスルホネート、アルカン−２，３−ジイルビス（スルフェート）、ヒドロキシアルカンスルホネートおよびジスルホネート、ドデシル硫酸ナトリウム（ＳＤＳ）などのアルキルスルフェート（ＡＳ）、脂肪アルコールスルフェート（ＦＡＳ）、第一級アルコールスルフェート（ＰＡＳ）、アルコールエーテルスルフェート（ＡＥＳまたはＡＥＯＳまたはＦＥＳ、アルコールエトキシスルフェートまたは脂肪アルコールエーテルスルフェートとしても知られる）、第二級アルカンスルホネート（ＳＡＳ）、パラフィンスルホネート（ＰＳ）、エステルスルホネート、スルホン化脂肪酸グリセロールエステル、メチルエステルスルホネート（ＭＥＳ）を含むアルファ−スルホ脂肪酸メチルエステル（アルファ−ＳＦＭｅまたはＳＥＳ）、アルキル−またはアルケニルコハク酸、ドデセニル／テトラデセニルコハク酸（ＤＴＳＡ）、アミノ酸の脂肪酸誘導体、スルホ−コハク酸または石鹸のジエステルおよびモノエステル、ならびにそれらの組合せが挙げられる。
【００６１】
好適な非イオン性洗浄界面活性剤は、以下のものからなる群から選択される：ＮＥＯＤＯＬ（登録商標）などのＣ8〜Ｃ18アルキルエトキシレート；アルコキシレート単位がエチレンオキシ単位、プロピレンオキシ単位、またはそれらの混合物であり得るＣ6〜Ｃ12アルキルフェノールアルコキシレート；Ｐｌｕｒｏｎｉｃ（登録商標）など、エチレンオキシド／プロピレンオキシドブロックポリマーとのＣ12〜Ｃ18アルコールおよびＣ6〜Ｃ12アルキルフェノール縮合物；Ｃ14〜Ｃ22中間鎖分枝アルコール；典型的には１〜３０の平均アルコキシル化度を有するＣ14〜Ｃ22中間鎖分枝アルキルアルコキシレート；アルキルポリサッカライド、一態様では、アルキルポリグリコシド；ポリヒドロキシ脂肪酸アミド；エーテルキャップドポリ（オキシアルキル化）アルコール界面活性剤；ならびにそれらの混合物。
【００６２】
好適な非イオン性洗浄界面活性剤には、アルキルポリグルコシドおよび／またはアルキルアルコキシル化アルコールが含まれる。一態様では、非イオン性洗浄界面活性剤には、アルキルアルコキシル化アルコール、一態様では、Ｃ8~18アルキルアルコキシル化アルコール、例えばＣ8~18アルキルエトキシル化アルコールが含まれ、アルキルアルコキシル化アルコールは、１〜５０、１〜３０、１〜２０、または１〜１０の平均アルコキシ化度を有し得る。一態様では、アルキルアルコキシル化アルコールは、１〜１０、１〜７、さらには１〜５または３〜７の平均エトキシ化度を有するＣ8~18アルキルエトキシル化アルコールであってもよい。アルキルアルコキシル化アルコールは、直鎖状であっても分枝状であってもよく、置換されていても置換されていなくてもよい好適な非イオン性界面活性剤にはＬｕｔｅｎｓｏｌ（登録商標）が含まれる。
【００６３】
非イオン性界面活性剤の非限定例としては、アルコールエトキシレート（ＡＥまたはＡＥＯ）、アルコールプロポキシレート、プロポキシル化脂肪アルコール（ＰＦＡ）、アルコキシル化脂肪酸アルキルエステル、たとえばエトキシル化および／またはプロポキシル化脂肪酸アルキルエステル、アルキルフェノールエトキシレート（ＡＰＥ）、ノニルフェノールエトキシレート（ＮＰＥ）、アルキルポリグリコシド（ＡＰＧ）、アルコキシル化アミン、脂肪酸モノエタノールアミド（ＦＡＭ）、脂肪酸ジエタノールアミド（ＦＡＤＡ）、エトキシル化脂肪酸モノエタノールアミド（ＥＦＡＭ）、プロポキシル化脂肪酸モノエタノールアミド（ＰＦＡＭ）、ポリヒドロキシアルキル脂肪酸アミド、またはグルコサミンのＮ−アシルＮ−アルキル誘導体（グルカミド、ＧＡ、または脂肪酸グルカミド、ＦＡＧＡ）、ならびにＳＰＡＮおよびＴＷＥＥＮの商品名で入手可能な製品、ならびにそれらの組合せが挙げられる。
【００６４】
好適なカチオン性洗浄界面活性剤には、アルキルピリジニウム化合物、アルキル第四級アンモニウム化合物、アルキル第四級ホスホニウム化合物、アルキル第三級スルホニウム化合物、およびそれらの混合物が含まれる。
【００６５】
好適なカチオン性洗浄界面活性剤は、以下の一般式を有する第四級アンモニウム化合物である：（Ｒ）（Ｒ1）（Ｒ2）（Ｒ3）Ｎ+  Ｘ-、式中、Ｒは、直鎖または分枝の置換または無置換Ｃ6~18アルキルまたはアルケニル部分であり、Ｒ1およびＲ2は独立して、メチルまたはエチル部分から選択され、Ｒ3は、ヒドロキシル、ヒドロキシメチル、またはヒドロキシエチル部分であり、Ｘは、電荷的中性を付与するアニオンであり、好適なアニオンには、ハライド、例えばクロライド；スルフェート；およびスルホネートが含まれる。好適なカチオン性洗浄界面活性剤は、モノＣ6~18アルキルモノヒドロキシエチルジメチル第四級アンモニウムクロライドである。極めて好適なカチオン性洗浄界面活性剤は、モノＣ8~10アルキルモノヒドロキシエチルジメチル第四級アンモニウムクロライド、モノＣ10~12アルキルモノヒドロキシエチルジメチル第四級アンモニウムクロライド、およびモノＣ10アルキルモノヒドロキシエチルジメチル第四級アンモニウムクロライドである。
【００６６】
カチオン性界面活性剤の非限定例としては、アルキルジメチルエタノールアミンクォート（ＡＤＭＥＡＱ）、セチルトリメチルアンモニウムブロマイド（ＣＴＡＢ）、ジメチルジステアリルアンモニウムクロライド（ＤＳＤＭＡＣ）、およびアルキルベンジルジメチルアンモニウム、アルキル第四級アンモニウム化合物、アルコキシル化第四級アンモニウム（ＡＱＡ）化合物、エステルクォート、ならびにそれらの組合せが挙げられる。
【００６７】
好適な双性／両性イオン性界面活性剤には、アミンオキシドおよびアルキルジメチルベタイン、スルホベタインなどのベタイン、またはそれらの組合せが含まれる。アミン中和化アニオン性界面活性剤−本発明のアニオン性界面活性剤および補助アニオン性共界面活性剤は、酸形態で存在し得るものであり、前記酸形態を中和して、本洗剤組成物で使用するのに望ましい界面活性剤塩を形成させることができる。典型的な中和剤には、水酸化物、例えばＮａＯＨまたはＫＯＨなどの金属対イオン塩基が含まれる。酸形態にある、本発明のアニオン性界面活性剤および補助アニオン性界面活性剤または共界面活性剤を中和するためのさらなる好ましい薬剤には、アンモニア、アミン、またはアルカノールアミンが含まれる。アルカノールアミンが好ましい。好適な非限定例としては、モノエタノールアミン、ジエタノールアミン、トリエタノールアミン、および当技術分野で公知の他の直鎖又は分枝アルカノールアミンが挙げられ、例えば、極めて好ましいアルカノールアミンとしては、２−アミノ−１−プロパノール、１−アミノプロパノール、モノイソプロパノールアミン、または１−アミノ−３−プロパノールが挙げられる。アミンによる中和は、全体的または部分的な範囲で行うことができ、例えば、アニオン性界面活性剤混合物の一部をナトリウムまたはカリウムで中和し、アニオン性界面活性剤混合物の一部をアミンまたはアルカノールアミンで中和することもできる。
【００６８】
半極性界面活性剤の非限定例としては、アルキルジメチルアミンオキシドなどのアミンオキシド（ＡＯ）が挙げられる。
【００６９】
１種または複数のアニオン性界面活性剤と、それに加えて、任意選択でカチオン性界面活性剤などの追加の界面活性剤を伴う１種または複数の非イオン性界面活性剤の混合物とを含む界面活性剤系が好ましいこともある。アニオン性界面活性剤と非イオン性界面活性剤との好ましい重量比は、少なくとも２：１、または少なくとも１：１〜１：１０である。
【００７０】
一態様では、界面活性剤系は、以下の式Ａおよび式Ｂにより表されるイソプレノイド界面活性剤の混合物を含み得る：
【化１】
2015525248.tif 000002
式中、ＹはＣＨ2または存在しないであり、Ｚは、得られる界面活性剤が以下の界面活性剤から選択されるように選ぶことができる：アルキルカルボキシレート界面活性剤、アルキルポリアルコキシ界面活性剤、アルキルアニオン性ポリアルコキシスルフェート界面活性剤、アルキルグリセロールエステルスルホネート界面活性剤、アルキルジメチルアミンオキシド界面活性剤、アルキルポリヒドロキシベースの界面活性剤、アルキルリン酸エステル界面活性剤、アルキルグリセロールスルホネート界面活性剤、アルキルポリグルコネート界面活性剤、アルキルポリリン酸エステル界面活性剤、アルキルホスホネート界面活性剤、アルキルポリグリコシド界面活性剤、アルキルモノグリコシド界面活性剤、アルキルジグリコシド界面活性剤、アルキルスルホサクシネート界面活性剤、アルキルジスルフェート界面活性剤、アルキルジスルホネート界面活性剤、アルキルスルホサクシンアマート界面活性剤、アルキルグルカミド界面活性剤、アルキルタウリネート界面活性剤、アルキルサルコシネート界面活性剤、アルキルグリシネート界面活性剤、アルキルイセチオネート界面活性剤、アルキルジアルカノールアミド界面活性剤、アルキルモノアルカノールアミド界面活性剤、アルキルモノアルカノールアミドスルフェート界面活性剤、アルキルジグリコールアミド界面活性剤、アルキルジグリコールアミドスルフェート界面活性剤、アルキルグリセロールエステル界面活性剤、アルキルグリセロールエステルスルフェート界面活性剤、アルキルグリセロールエーテル界面活性剤、アルキルグリセロールエーテルスルフェート界面活性剤、アルキルメチルエステルスルホネート界面活性剤、アルキルポリグリセロールエーテル界面活性剤、アルキルポリグリセロールエーテルスルフェート界面活性剤、アルキルソルビタンエステル界面活性剤、アルキルアンモニオアルカンスルホネート界面活性剤、アルキルアミドプロピルベタイン界面活性剤、アルキルアリル化クォートベースの界面活性剤、アルキルモノヒドロキシアルキル−ジ−アルキル化クォートベースの界面活性剤、アルキルジヒドロキシアルキルモノアルキルクォートベースの界面活性剤、アルキル化クォート界面活性剤、アルキルトリメチルアンモニウムクォート界面活性剤、アルキルポリヒドロキシアルキルオキシプロピルクォートベースの界面活性剤、アルキルグリセロールエステルクォート界面活性剤、アルキルグリコールアミンクォート界面活性剤、アルキルモノメチルジヒドロキシエチル第四級アンモニウム界面活性剤、アルキルジメチルモノヒドロキシエチル第四級アンモニウム界面活性剤、アルキルトリメチルアンモニウム界面活性剤、アルキルイミダゾリンベースの界面活性剤、アルケン−２−イル−サクシネート界面活性剤、アルキルａ−スルホン化カルボン酸界面活性剤、アルキルａ−スルホン化カルボン酸アルキルエステル界面活性剤、アルファオレフィンスルホネート界面活性剤、アルキルフェノールエトキシレート界面活性剤、アルキルベンゼンスルホネート界面活性剤、アルキルスルホベタイン界面活性剤、アルキルヒドロキシスルホベタイン界面活性剤、アルキルアンモニオカルボキシレートベタイン界面活性剤、アルキルスクロースエ��テル界面活性剤、アルキルアルカノールアミド界面活性剤、アルキルジ（ポリオキシエチレン）モノアルキルアンモニウム界面活性剤、アルキルモノ（ポリオキシエチレン）ジアルキルアンモニウム界面活性剤、アルキルベンジルジメチルアンモニウム界面活性剤、アルキルアミノプロピオネート界面活性剤、アルキルアミドプロピルジメチルアミン界面活性剤、またはそれらの混合物；またＺが荷電部分である場合には、Ｚは好適な金属または有機対イオンにより電荷平衡が保たれる。好適な対イオンとしては、金属対イオン、アミン、またはアルカノールアミン、例えばＣ１〜Ｃ６アルカノールアンモニウムが挙げられる。より具体的には、好適な対イオンとして、Ｎａ＋、Ｃａ＋、Ｌｉ＋、Ｋ＋、Ｍｇ＋、例えば、モノエタノールアミン（ＭＥＡ）、ジエタノールアミン（ＤＥＡ）、トリエタノールアミン（ＴＥＡ）、２−アミノ−１−プロパノール、１−アミノプロパノール、メチルジエタノールアミン、ジメチルエタノールアミン、モノイソプロパノールアミン、トリイソプロパノールアミン、１−アミノ−３−プロパノール、またはそれらの混合物が挙げられる。一実施形態では、組成物は、５％〜９７％の１種または複数の非イソプレノイド界面活性剤、および１種または複数の補助洗浄添加剤を含有し、式Ａの界面活性剤と式Ｂの界面活性剤との重量比は５０：５０〜９５：５である。
【００７１】
石鹸−本明細書の組成物は石鹸を含有することができる。理論に拘束されるものではないが、一部界面活性剤として、一部ビルダーとして作用し、泡の抑制に有用となり得、さらには組成物の種々のカチオン性化合物と有利に相互作用して、本発明組成物と共に揉まれた織物の柔軟性を増強することができる石鹸を含むことが望ましいことがある。洗濯洗剤で使用される当技術分野で公知のいずれの石鹸も利用することができる。一実施形態では、組成物は、０重量％〜２０重量％、０．５重量％〜２０重量％、４重量％〜１０重量％、または４重量％〜７重量％の石鹸を含有する。
【００７２】
本明細書において有用な石鹸の例としては、オレイン酸石鹸、パルミチン酸石鹸、パーム核脂肪酸石鹸、およびそれらの混合物が挙げられる。典型的な石鹸は、種々の鎖長および置換度を有する脂肪酸石鹸の混合物の形態である。そのような混合物の１つは、トップドパーム核脂肪酸である。
【００７３】
一実施形態では、石鹸は遊離脂肪酸から選択される。好適な脂肪酸は、飽和および／または不飽和であり、植物性また動物性エステル（例えば、パーム核油、パーム油、ヤシ油、ババス油、サフラワー油、トール油、ヒマシ油、牛脂および魚油、油脂、およびそれらの混合物）などの天然供給源から得ることも、合成的に（例えば、石油の酸化を介して、またはＦｉｓｈｅｒ  Ｔｒｏｐｓｃｈ法による一酸化炭素の水素添加によって）調製することもできる。
【００７４】
本発明の組成物で使用される好適な飽和脂肪酸の例としては、カプチック酸（ｃａｐｔｉｃ  ａｃｉｄ）、ラウリン酸、ミリスチン酸、パルミチン酸、ステアリン酸、アラキジン酸、およびベヘニン酸が挙げられる。好適な不飽和脂肪酸種としては、パルミトレイン酸、オレイン酸、リノール酸、リノレン酸、およびリシノール酸が挙げられる。好ましい脂肪酸の例は、飽和Ｃｎ脂肪酸、飽和Ｃｉ2〜Ｃｉ4脂肪酸、および飽和または不飽和Ｃｎ〜Ｃｉ8脂肪酸、ならびにそれらの混合物である。
【００７５】
存在する場合、布地を柔軟にするカチオン性共界面活性剤と脂肪酸との重量比は、好ましくは約１：３〜約３：１、より好ましくは約１：１．５〜約１．５：１、最も好ましくは約１：１である。
【００７６】
本明細書における石鹸および非石鹸アニオン性界面活性剤のレベルは、酸形態に基づいて指定される洗剤組成物の重量パーセントとする。しかしながら、当技術分野で一般に理解されるように、アニオン性界面活性剤および石鹸は、実際には、水酸化ナトリウムまたはモノエタノールアミンなどのナトリウム、カリウム、またはアルカノールアンモニウム塩基を使用して中和されている。
【００７７】
ヒドロトロープ−本発明の組成物は１種または複数のヒドロトロープを含むことができる。ヒドロトロープは、疎水性化合物を水溶液に（または反対に、極性物質を非極性環境中に）可溶化する化合物である。典型的には、ヒドロトロープは、親水性および疎水性の両方の特性を有する（界面活性剤で知られるようないわゆる両親媒性）；しかしながら、ヒドロトロープの分子構造は、一般に、自発的な自己凝集を促進しない（例えば、Ｈｏｄｇｄｏｎ  ａｎｄ  Ｋａｌｅｒ（２００７），Ｃｕｒｒｅｎｔ  Ｏｐｉｎｉｏｎ  ｉｎ  Ｃｏｌｌｏｉｄ＆Ｉｎｔｅｒｆａｃｅ  Ｓｃｉｅｎｃｅ  １２：１２１−１２８による総説を参照のこと）。ヒドロトロープは、ミセル相、ラメラ相または他の十分明確な中間相を形成する界面活性剤および脂質に見られるような、自己凝集を生じる臨界濃度を示さない。その代わり、多くのヒドロトロープは、凝集のサイズが濃度の増加につれて増大する連続型の凝集プロセスを示す。しかしながら、多くのヒドロトロープは、水、油、界面活性剤、およびポリマーの混合物を含む、極性および非極性の物質を含有する系の相挙動、安定性、およびコロイド特性を変化させる。ヒドロトロープは、医薬品、パーソナルケア、食品から技術用途にわたる産業に従来用いられている。洗剤組成物中にヒドロトロープを使用することにより、例えば、（水を除去することにより、液体洗剤をコンパクト化するプロセスにおいてのように）相分離または高粘性などの望ましくない現象を引き起こすことなく、界面活性剤がより濃縮された配合物が可能になる。
【００７８】
洗剤は、０〜１０重量％、例えば、０〜５重量％、０．５〜５重量％、または３重量％〜５重量％のヒドロトロープを含有することができる。洗剤で使用される当技術分野で公知のいずれのヒドロトロープも利用することができる。ヒドロトロープの非限定的な例としては、ベンゼンスルホン酸ナトリウム、ｐ−トルエンスルホン酸ナトリウム（ＳＴＳ）、キシレンスルホン酸ナトリウム（ＳＸＳ）、クメンスルホン酸ナトリウム（ＳＣＳ）、シメンスルホン酸ナトリウム、アミンオキシド、アルコールおよびポリグリコールエーテル、ヒドロキシナフトエ酸ナトリウム、ヒドロキシナフタレンスルホン酸ナトリウム、エチルヘキシル硫酸ナトリウム、ならびにそれらの組合せが挙げられる。
【００７９】
ビルダー−本発明の組成物は、１種または複数のビルダー、共ビルダー、ビルダー系、またはそれらの混合物を含むことができる。ビルダーが使用される場合、洗浄組成物は、典型的には、０〜６５重量％、少なくとも１重量％、２〜６０重量％、または５〜１０重量％のビルダーを含むことになる。食器洗浄組成物では、ビルダーのレベルは、典型的には、４０〜６５重量％または５０〜６５重量％である。組成物は、ビルダーを実質的に含まなくてもよく；実質的に含まないということは、ゼオライトおよび／またはリン酸が「意図的に添加されていない」ことを意味する。典型的なゼオライトビルダーには、ゼオライトＡ、ゼオライトＰ、およびゼオライトＭＡＰが含まれる。典型的なリン酸ビルダーは、トリポリリン酸ナトリウムである。
【００８０】
ビルダーおよび／または共ビルダーは、特に、ＣａおよびＭｇと水溶性錯体を形成するキレート剤であってもよい。洗剤で使用される当技術分野で公知のいずれのビルダーおよび／または共ビルダーも利用することができる。ビルダーの非限定例としては、ゼオライト、ジホスフェート（ピロホスフェート）、三リン酸ナトリウム（ＳＴＰまたはＳＴＰＰ）などのトリホスフェート、炭酸ナトリウムなどのカーボネート、メタケイ酸ナトリウムなどの可溶性シリケート、層状シリケート（例えば、Ｈｏｅｃｈｓｔ製のＳＫＳ−６）、２−アミノエタン−１−オール（ＭＥＡ）、イミノジエタノール（ＤＥＡ）、および２，２’，２”−ニトリロトリエタノール（ＴＥＡ）などのエタノールアミン、ならびにカルボキシメチルイヌリン（ＣＭＩ）、ならびにそれらの組合せが挙げられる。
【００８１】
洗浄組成物は、共ビルダーを単独で、またはビルダー、例えばゼオライトビルダーと組み合わせて含むことができる。共ビルダーの非限定例としては、ポリアクリレートのホモポリマーまたはそのコポリマー、例えば、ポリ（アクリル酸）（ＰＡＡ）またはコポリ（アクリル酸／マレイン酸）（ＰＡＡ／ＰＭＡ）が挙げられる。さらに非限定例としては、シトレート、キレート剤、例えば、アミノカルボキシレート、アミノポリカルボキシレートおよびホスホネート、ならびにアルキル−またはアルケニルコハク酸が挙げられる。さらなる特定の例としては、２，２’，２”−ニトリロ三酢酸（ＮＴＡ）、エチレンジアミン四酢酸（ＥＤＴＡ）、ジエチレントリアミン五酢酸（ＤＴＰＡ）、イミノ二コハク酸（ＩＤＳ）、エチレンジアミン−Ｎ，Ｎ’−二コハク酸（ＥＤＤＳ）、メチルグリシン二酢酸（ＭＧＤＡ）、グルタミン酸−Ｎ，Ｎ−二酢酸（ＧＬＤＡ）、１−ヒドロキシエタン−１，１−ジイルビス（ホスホン酸）（ＨＥＤＰ）、エチレンジアミンテトラキス（メチレン）テトラキス（ホスホン酸）（ＥＤＴＭＰＡ）、ジエチレントリアミンペンタキス（メチレン）ペンタキス（ホスホン酸）（ＤＴＰＭＰＡ）、Ｎ−（２−ヒドロキシエチル）イミノ二酢酸（ＥＤＧ）、アスパラギン酸−Ｎ−一酢酸（ＡＳＭＡ）、アスパラギン酸−Ｎ，Ｎ−二酢酸（ＡＳＤＡ）、アスパラギン酸−Ｎ−一プロピオン酸（ＡＳＭＰ）、イミノ二コハク酸（ＩＤＡ）、Ｎ−（２−スルホメチル）アスパラギン酸（ＳＭＡＳ）、Ｎ−（２−スルホエチル）アスパラギン酸（ＳＥＡＳ）、Ｎ−（２−スルホメチル）グルタミン酸（ＳＭＧＬ）、Ｎ−（２−スルホエチル）グルタミン酸（ＳＥＧＬ）、Ｎ−メチルイミノ二酢酸（ＭＩＤＡ）、α−アラニン−Ｎ，Ｎ−二酢酸（α−ＡＬＤＡ）、セリン−Ｎ，Ｎ−二酢酸（ＳＥＤＡ）、イソセリン−Ｎ，Ｎ−二酢酸（ＩＳＤＡ）、フェニルアラニン−Ｎ，Ｎ−二酢酸（ＰＨＤＡ）、アントラニル酸−Ｎ，Ｎ−二酢酸（ＡＮＤＡ）、スルファニル酸−Ｎ，Ｎ−二酢酸（ＳＬＤＡ）、タウリン−Ｎ，Ｎ−二酢酸（ＴＵＤＡ）およびスルホメチル−Ｎ，Ｎ−二酢酸（ＳＭＤＡ）、Ｎ−（ヒドロキシエチル）−エチリデンジアミン三酢酸（ＨＥＤＴＡ）、ジエタノールグリシン（ＤＥＧ）、ジエチレントリアミン五（メチレンホスホン酸）（ＤＴＰＭＰ）、アミノトリス（メチレンホスホン酸）（ＡＴＭＰ）、ならびにそれらの組合せおよび塩が挙げられる。さらなる例示的なビルダーおよび／または共ビルダーは、例えば、国際公開第０９／１０２８５４号パンフレット、米国特許第５９７７０５３号明細書に記載されている。
【００８２】
キレート剤および結晶成長阻害剤−本明細書の組成物は、キレート剤および／または結晶成長阻害剤を含有することができる。好適な分子には、銅、鉄、および／またはマンガンのキレート剤、ならびにそれらの混合物が含まれる。好適な分子としては、ＤＴＰＡ（ジエチレントリアミンペンタ酢酸）、ＨＥＤＰ（ヒドロキシエタンジホスホン酸）、ＤＴＰＭＰ（ジエチレントリアミンペンタ（メチレンホスホン酸）、１，２−ジヒドロキシベンゼン−３，５−ジスルホン酸ジナトリウム塩水和物、エチレンジアミン、ジエチレントリアミン、エチレンジアミンジコハク酸（ＥＤＤＳ）、Ｎ−ヒドロキシエチルエチレンジアミン三酢酸（ＨＥＤＴＡ）、トリエチレンテトラアミン六酢酸（ＴＴＨＡ）、Ｎ−ヒドロキシエチルイミノ二酢酸（ＨＥＩＤＡ）、ジヒドロキシエチルグリシン（ＤＨＥＧ）、エチレンジアミンテトラプロピオン酸（ＥＤＴＰ）、カルボキシメチルイヌリン、および２−ホスホノブタン１，２，４−トリカルボン酸（Ｂａｙｈｉｂｉｔ（登録商標）ＡＭ）、およびそれらの誘導体が挙げられる。典型的には、組成物は、０．００５〜１５重量％または３．０〜１０重量％のキレート剤または結晶成長阻害剤を含むことができる。
【００８３】
漂白成分−本発明の方法および組成物に組み込むのに適した漂白成分には、１種の漂白成分または２種以上の漂白成分の混合物が含まれる。好適な漂白成分としては、漂白触媒、光漂白剤、漂白活性化剤、過酸化水素、過酸化水素源、事前に形成した過酸、およびそれらの混合物が挙げられる。一般に、漂白剤成分が使用される場合、本発明の組成物は、０〜３０重量％、０．００００１〜９０重量％、０．０００１〜５０重量％、０．００１〜２５重量％、または１〜２０重量％含むことができる。好適な漂白成分は、以下のものを含む：
（１）事前に形成した過酸：好適な事前に形成した過酸としては、これらに限定されないが、事前に形成した過酸もしくはその塩からなる群から選択される化合物、典型的には、ペルオキシカルボン酸もしくはその塩、またはペルオキシスルホン酸もしくはその塩のいずれかが挙げられる。
【００８４】
事前に形成した過酸もしくはその塩は、好ましくはペルオキシカルボン酸もしくはその塩であり、これは、典型的には、下記の化学式に対応する化学構造：
【化２】
2015525248.tif 000003
を有し、
式中、Ｒ14は、アルキル、アラルキル、シクロアルキル、アリールもしくは複素環式基から選択され；Ｒ14基は、直鎖または分岐状の、置換もしくは非置換であってよく；Ｙは、電荷中性を達成する任意の好適な対イオンであり、好ましくは、Ｙは、水素、ナトリウムもしくはカリウムから選択される。好ましくは、Ｒ14は、直鎖または分岐状の、置換もしくは非置換Ｃ6~9アルキルである。好ましくは、過酸もしくはその塩は、ペルオキシヘキサン酸、ペルオキシヘプタン酸、ペルオキシオクタン酸、ペルオキシノナン酸、ペルオキシデカン酸、それらの任意の塩、またはそれらの任意の組合せから選択される。特に好ましい過酸は、フタルイミド−ペルオキシ−アルカン酸、とりわけ、ε−フタルイミド−ペルオキシ−ヘキサン酸（ＰＡＰ）である。好ましくは、過酸もしくはその塩は、３０℃〜６０℃の範囲の融点を有する。
【００８５】
事前に形成した過酸もしくはその塩はペルオキシスルホン酸もしくはその塩であってもよく、これは、典型的には、下記の化学式に対応する化学構造：
【化３】
2015525248.tif 000004
を有し、
式中、Ｒ15は、アルキル、アラルキル、シクロアルキル、アリールもしくは複素環式基から選択され；Ｒ15基は、直鎖または分岐状の、置換もしくは非置換であってよく；Ｚは、電荷中性を達成する任意の好適な対イオンであり、好ましくは、Ｚは、水素、ナトリウムもしくはカリウムから選択される。好ましくは、Ｒ15は、直鎖または分岐状の、置換もしくは非置換Ｃ6~9アルキルである。好ましくはこのような漂白成分は、０．０１〜５０重量％、または０．１〜２０重量％の量で本発明の組成物中に存在してよい。
【００８６】
（２）過酸化水素源としては、例えば、過ホウ酸（通常は一水和物または四水和物）、過炭酸、過硫酸、過リン酸、過ケイ酸のナトリウム塩およびこれらの混合物などのアルカリ金属塩を含む無機過酸化水和物塩類が挙げられる。本発明の一態様では、無機過酸化水和物塩類、例えば、過ホウ酸、過炭酸およびこれらの混合物からなる群から選択されるものなど。使用する場合には、無機過酸化水和物塩類は、組成物全体の０．０５〜４０重量％、または１〜３０重量％の量で存在し、典型的に、結晶性固体のような組成物に含有させるが、この固体をコーティングしてもよい。好適なコーティングは、アルカリ金属ケイ酸塩、炭酸塩もしくはホウ酸塩またはこれらの混合物などの無機塩、あるいは、水溶性もしくは分散性ポリマー、ワックス、油または脂肪酸石鹸などの有機材料を含む。好ましくは、このような漂白成分は、０．０１〜５０重量％または０．１〜２０重量％の量で、本発明の組成物中に存在させることができる。
【００８７】
（３）漂白活性化剤という用語は、本明細書では、過酸化水素と反応して、過加水分解を介して過酸を形成する化合物を意味する。このように形成された過酸は、活性化漂白剤を構成する。本明細書で使用される好適な漂白活性化剤としては、エステル、アミド、イミド、または無水物のクラスに属するものが挙げられる。好適な漂白活性化剤は、Ｒ−（Ｃ＝Ｏ）−Ｌを有するものであり、式中、Ｒは、漂白活性化剤が疎水性の場合には、６〜１４個の炭素原子または８〜１２個の炭素原子、また漂白活性化剤が親水性の場合には、６個未満の炭素原子または４個未満の炭素原子を有する、任意選択で分枝状のアルキル基であり；Ｌは脱離基である。好適な脱離基の例は、安息香酸およびその誘導体、特にベンゼンスルホネートである。好適な漂白活性化剤としては、ドデカノイルオキシベンゼンスルホネート、デカノイルオキシベンゼンスルホネート、デカノイルオキシ安息香酸またはその塩、３，５，５−トリメチルヘキサノイルオキシベンゼンスルホネート、テトラアセチルエチレンジアミン（ＴＡＥＤ）、４−［（３，５，５−トリメチルヘキサノイル）オキシ］ベンゼン−１−スルホン酸ナトリウム（ＩＳＯＮＯＢＳ）、４−（ドデカノイルオキシ）ベンゼン−１−スルホネート（ＬＯＢＳ）、４−（デカノイルオキシ）ベンゼン−１−スルホネート、４−（デカノイルオキシ）ベンゾエート（ＤＯＢＳまたはＤＯＢＡ）、４−（ノナノイルオキシ）ベンゼン−１−スルホネート（ＮＯＢＳ）、および／または国際公開第９８／１７７６７号パンフレットに開示されるものが挙げられる。漂白活性化剤のファミリーが、欧州特許第６２４１５４号明細書に開示され、そのファミリーの中で特に好ましいのはアセチルトリエチルシトレート（ＡＴＣ）である。ＡＴＣまたはトリアセチンのような短鎖トリグリセリドは、環境にやさしいという利点を有する。さらに、アセチルトリエチルシトレートおよびトリアセチンは、貯蔵の際に製品中で良好な加水分解安定性を有し、また効率的な漂白活性化剤である。最終的に、ＡＴＣは、過加水分解反応で放出されるシトレートがビルダーとして機能し得るので多機能である。あるいは、漂白系は、例えば、アミド、イミド、またはスルホンタイプのペルオキソ酸を含むことができる。漂白系はまた、６−（フタロイルイミド）ペルカプロン酸（ＰＡＰ）などの過酸を含むことができる。また、好適な漂白活性化剤は国際公開第９８／１７７６７号パンフレットにも開示されている。任意の好適な漂白活性化剤を使用することができるが、本発明の一態様では、対象の洗浄組成物は、ＮＯＢＳ、ＴＡＥＤ、またはこれらの混合物を含むことができる。存在する場合、過酸および／または漂白活性化剤は、一般に、布地およびホームケア組成物を基準にして、０．１〜６０重量％、０．５〜４０重量％、または０．６〜１０重量％の量で組成物中に存在する。１種または複数の疎水性過酸またはその前駆体を１種または複数の親水性過酸またはその前駆体と組み合わせて使用することができる。好ましくは、このような漂白成分は、０．０１〜５０重量％、または０．１〜２０重量％の量で、本発明の組成物中に存在させることができる。
【００８８】
過酸化水素源および過酸または漂白活性化剤の量は、利用可能な酸素（過酸化物源由来）と過酸とのモル比が、１：１〜３５：１、またはさらには２：１〜１０：１となるように選択することができる。
【００８９】
（４）ジアシル過酸化物−好ましいジアシル過酸化物漂白種には、一般式：Ｒ1−Ｃ（Ｏ）−ＯＯ−（Ｏ）Ｃ−Ｒ2（式中、Ｒ1は、少なくとも５個の炭素原子の直鎖を含有し、任意選択で１個または複数の置換基（例えば、−Ｎ+（ＣＨ3）3、−ＣＯＯＨもしくは−ＣＮ）および／またはアルキル基の隣接する炭素原子間に挿入された１つまたは複数の割り込み部分（例えば、−ＣＯＮＨ−もしくは−ＣＨ＝ＣＨ−）を含有する、Ｃ6〜Ｃ18アルキル、好ましくはＣ6〜Ｃ12アルキル基を示し；Ｒ2は、過酸化物部分と適合する脂肪族基を示し、その結果、Ｒ1およびＲ2は合わせて計８〜３０個の炭素原子を含有する）のジアシル過酸化物から選択されるものが含まれる。好ましい一態様では、Ｒ1およびＲ2は、直鎖非置換Ｃ6〜Ｃ12アルキル鎖である。最も好ましくは、Ｒ1およびＲ2は同一である。Ｒ1およびＲ2の両方がＣ６〜Ｃ１２アルキル基であるジアシル過酸化物が特に好ましい。好ましくは、Ｒ基（Ｒ1またはＲ2）の少なくとも一方、最も好ましくはその一方のみは、アルファ位置に、または好ましくはアルファ位置にもベータ位置にも、あるいは最も好ましくはアルファ位置にもベータ位置にもガンマ位置にも分枝もペンダント環も含まない。さらに好ましい一実施形態では、好ましくは、Ｒ１アシル基の加水分解は過酸を生成するように迅速であるが、Ｒ２アシル基の加水分解は緩慢であるように、ＤＡＰを非対称とすることができる。
【００９０】
テトラアシル過酸化物漂白種は、好ましくは、一般式：Ｒ3−Ｃ（Ｏ）−ＯＯ−Ｃ（Ｏ）−（ＣＨ2）ｎ−Ｃ（Ｏ）−ＯＯ−Ｃ（Ｏ）−Ｒ3（式中、Ｒ3は、Ｃ1〜Ｃ9アルキル基またはＣ3〜Ｃ7アルキル基を示し；ｎは、２〜１２または４〜１０の整数（両端の値を含む）を示す）のテトラアシル過酸化物から選択される。
【００９１】
好ましくは、ジアシルおよび／またはテトラアシル過酸化物漂白種は、洗浄液の重量を基準として少なくとも０．５ｐｐｍ、少なくとも１０ｐｐｍ、または少なくとも５０ｐｐｍ供給するのに十分な量で存在する。好ましい実施形態では、漂白種は、洗浄液の重量を基準として０．５〜３００ｐｐｍ、３０〜１５０ｐｐｍ供給するのに十分な量で存在する。
【００９２】
好ましくは、漂白成分は、漂白触媒（５および６）を含む。
【００９３】
（５）好ましい有機（非金属）漂白触媒としては、過酸および／またはその塩から酸素原子を受容して、その酸素原子を酸化可能な基質に輸送することができる漂白触媒がある。好適な漂白触媒として、これらに限定されないが、イミニウムカチオンおよびポリイオン；イミニウム双性イオン；修飾アミン；修飾アミン酸化物；Ｎ−スルホニルイミン；Ｎ−ホスホニルイミン；Ｎ−アシルイミン；チアジアゾール二酸化物；ペルフルオロイミン；環状糖ケトンならびにこれらの混合物が挙げられる。
【００９４】
好適なイミニウムカチオンおよびポリイオンとしては、これらに限定されないが、以下のものが挙げられる：Ｔｅｔｒａｈｅｄｒｏｎ（１９９２），４９（２），４２３−３８（例えば、ｃｏｍｐｏｕｎｄ  ４，ｐ．４３３）に記載のように調製される、Ｎ−メチル−３，４−ジヒドロイソキノリニウムテトラフルオロホウ酸塩；米国特許第５３６０５６９号明細書（例えば、Ｃｏｌｕｍｎ  １１，Ｅｘａｍｐｌｅ  １）に記載のように調製される、Ｎ−メチル−３，４−ジヒドロイソキノリニウムｐ−トルエンスルホン酸塩；ならびに米国特許第５３６０５６８号明細書（例えば、Ｃｏｌｕｍｎ  １０，Ｅｘ．３）に記載のように調製される、Ｎ−オクチル−３，４−ジヒドロイソキノリニウムｐ−トルエンスルホン酸塩。
【００９５】
好適なイミニウム双性イオンとしては、これらに限定されないが、以下のものが挙げられる：米国特許第５５７６２８２号明細書（例えば、Ｃｏｌｕｍｎ  ３１，Ｅｘ．ＩＩ）に記載のように調製される分子内塩である、Ｎ−（３−スルホプロピル）−３，４−ジヒドロイソキノリウム；米国特許第５８１７６１４号明細書（例えば、Ｃｏｌｕｍｎ  ３２，Ｅｘ．Ｖ）に記載のように調製される分子内塩である、Ｎ−［２−（スルホキシ）ドデシル］−３，４−ジヒドロイソキノリニウム；国際公開第０５／０４７２６４号パンフレット（例えば、第１８頁、Ｅｘ．８）に記載のように調製される分子内塩である、２−［３−［（２−エチルヘキシル）オキシ］−２−（スルホオキシ）プロピル］−３，４−ジヒドロイソキノリニウム、；ならびに分子内塩である２−［３−［（２−ブチルオクチル）オキシ］−２−（スルホオキシ）プロピル］−３，４−ジヒドロイソキノリニウム。
【００９６】
好適な修飾アミン酸素輸送触媒としては、これらに限定されないが、１，２，３，４−テトラヒドロ−２−メチル−１−イソキノリノールがあり、これは、Ｔｅｔｒａｈｅｄｒｏｎ  Ｌｅｔｔｅｒｓ（１９８７），２８（４８），６０６１−６０６４に記載の方法に従い製造することができる。好適な修飾アミン酸素輸送触媒としては、これらに限定されないが、ナトリウム１−ヒドロキシ−Ｎ−オキシ−Ｎ−［２−（スルホキシ）デシル］−１，２，３，４−テトラヒドロイソキノリンがある。
【００９７】
好適なＮ−スルホニルイミン酸素輸送触媒としては、これらに限定されないが、Ｊｏｕｒｎａｌ  ｏｆ  Ｏｒｇａｎｉｃ  Ｃｈｅｍｉｓｔｒｙ（１９９０），５５（４），１２５４−６１に記載の方法に従い調製される、３−メチル−１，２−ベンズイソチアゾール１，１−二酸化物がある。
【００９８】
好適なＮ−ホスホニルイミン酸素輸送触媒としては、これらに限定されないが、Ｊｏｕｒｎａｌ  ｏｆ  ｔｈｅ  Ｃｈｅｍｉｃａｌ  Ｓｏｃｉｅｔｙ，Ｃｈｅｍｉｃａｌ  Ｃｏｍｍｕｎｉｃａｔｉｏｎｓ（１９９４），（２２），２５６９−７０に記載の方法に従い調製される、「Ｒ−（Ｅ）］−Ｎ−［（２−クロロ−５−ニトロフェニル）メチレン］−Ｐ−フェニル−Ｐ−（２，４，６−トリメチルフェニル）−ホスフィン酸アミドがある。
【００９９】
好適なＮ−アシルイミン酸素輸送触媒としては、これらに限定されないが、Ｐｏｌｉｓｈ  Ｊｏｕｒｎａｌ  ｏｆ  Ｃｈｅｍｉｓｔｒｙ（２００３），７７（５），５７７−５９０に記載の方法に従い調製される、「Ｎ（Ｅ）］−Ｎ−（フェニルメチレン）アセトアミドがある。
【０１００】
好適なチアジアゾール二酸化物酸素輸送触媒としては、これらに限定されないが、米国特許第５７５３５９９号明細書（Ｃｏｌｕｍｎ  ９，Ｅｘ．２を参照）に記載の方法に従い調製される、３−メチル−４−フェニル−１，２，５−チアジアゾール１，１−ジオキシドがある。
【０１０１】
好適なペルフルオロイミン酸素輸送触媒としては、これらに限定されないが、Ｔｅｔｒａｈｅｄｒｏｎ  Ｌｅｔｔｅｒｓ（１９９４），３５（３４），６３２９−３０に記載の方法に従い製造することができる、２，２，３，３，４，４，４−ヘプタフルオロ−Ｎ−（ノナフルオロブチル）ブタンイミドイルフッ化物がある。
【０１０２】
好適な環状糖ケトン酸素輸送触媒としては、これらに限定されないが、米国特許第６６４９０８５号明細書（Ｃｏｌｕｍｎ  １２，Ｅｘ．１）に記載の方法に従い調製される、１，２：４，５−ジ−Ｏ−イソプロピリデン−Ｄ−エリスロ−２，３−ヘキソジウロ−２，６−ピラノースがある。
【０１０３】
好ましくは、漂白触媒は、イミニウムおよび／もしくはカルボニル官能基を含み、典型的に、酸素原子の受容時、特に過酸および／もしくはその塩からの酸素原子の受容時に、オキサジリジウムおよび／もしくはジオキシラン官能基を形成することができる。好ましくは、漂白触媒は、オキサジリジウム官能基を含み、および／または酸素原子の受容時、特に過酸および／もしくはその塩からの酸素原子の受容時に、オキサジリジウム官能基を形成することができる。好ましくは、漂白成分は、環状イミニウム官能基を含み、好ましくは、環状部分は、５〜８原子（窒素原子を含む）、好ましくは６原子の環サイズを有する。好ましくは、漂白触媒は、アリリミニウム官能基、好ましくは二環式アリリミニウム官能基、好ましくは３，４−ジヒドロイソキノリニウム官能基を含む。典型的には、イミン官能基は、４級イミン官能基であり、典型的に、酸素原子の受容時、特に過酸および／もしくはその塩からの酸素原子の受容時に、４級オキサジリジウム官能基を形成することができる。別の態様では、洗剤組成物は、０以下のｌｏｇＰo/w、−０．５以下のｌｏｇＰo/w、−１．０以下のｌｏｇＰo/w、−１．５以下のｌｏｇＰo/w、−２．０以下のｌｏｇＰo/w、−２．５以下のｌｏｇＰo/w、−３．０以下のｌｏｇＰo/w、あるいは−３．５以下のｌｏｇＰo/wを有する漂白成分を含む。ｌｏｇＰo/wを決定する方法については、以下に詳しく記載する。
【０１０４】
典型的に、漂白成分は、０．０１〜０．３０、０．０５〜０．２５、あるいは０．１０〜０．２０のＸSOを有する漂白種を生成することができる。ＸSOを決定する方法については、以下に詳しく記載する。例えば、イソキノリニウム構造を有する漂白成分は、オキサジリジウム構造を有する漂白種を生成することができる。この例では、ＸSOは、オキサジリジウム漂白種のそれである。
【０１０５】
好ましくは、漂白触媒は、下記の化学式：
【化４】
2015525248.tif 000005
に対応する化学構造を有し、
式中、ｎおよびｍは、独立して、０〜４であり、好ましくは、ｎおよびｍは両方が０であり；各Ｒ1は、独立して、水素、アルキル、シクロアルキル、アリール、融合アリール、複素環、融合複素環、ニトロ、ハロ、シアノ、スルホナト、アルコキシ、ケト、カルボキシルおよびカルボアルコキシラジカルからなる群から選択される置換もしくは非置換ラジカルから選択され；ならびに任意の２つの隣接Ｒ1置換基が結合して、融合アリール、融合炭素環もしくは融合複素環を形成してもよく；各Ｒ2は、独立して、水素、ヒドロキシ、アルキル、シクロアルキル、アルカリル、アリール、アラルキル、アルキレン、複素環、アルコキシ、アリールカルボニル基、カルボキシアルキル基およびアミド基からなる群から選択される置換もしくは非置換ラジカルから独立して選択され；任意のＲ2がいずれか他のＲ2と結合して、共通環の一部を形成してもよく；任意のジェミナルＲ2が結合してカルボニルを形成してもよく；また、任意の２つのＲ2が結合して、置換もしくは非置換の融合した不飽和部分を形成してもよく；Ｒ3は、Ｃ1〜Ｃ20置換もしくは非置換アルキルであり；Ｒ4は、水素または部分Ｑt−Ａであり、ここで、Ｑは、分岐または非分岐アルキレンであり、ｔ＝０または１であり、Ａは、ＯＳＯ3-、ＳＯ3-、ＣＯ2-、ＯＣＯ2-、ＯＰＯ32-、ＯＰＯ3Ｈ-およびＯＰＯ2-からなる群から選択されるアニオン基であり；Ｒ5は、水素または部分−ＣＲ11Ｒ12−Ｙ−Ｇb−Ｙc−［（ＣＲ9Ｒ10）y−Ｏ］k−Ｒ8であり；ここで、各Ｙは、独立して、Ｏ、Ｓ、Ｎ−Ｈ、またはＮ−Ｒ8からなる群から選択され；各Ｒ6は、独立して、アルキル、アリールおよびヘテロアリールからなる群から選択され、前記部分は、置換もしくは非置換であり、置換もしくは非置換のいずれにかかわらず、前記部分は、２１個未満の炭素を有し；各Ｇは、独立して、ＣＯ，ＳＯ2、ＳＯ、ＰＯおよびＰＯ2からなる群から選択され；Ｒ9およびＲ10は、独立して、ＨおよびＣ1〜Ｃ4アルキルからなる群から選択され；Ｒ11およびＲ12は、独立して、Ｈおよびアルキルからなる群から選択されるか、または合わせて考える場合、結合してカルボニルを形成してもよく；ｂ＝０または１；ｃ＝０または１であってよいが、ｂ＝０であるとき、ｃ＝０でなければならない；ｙは１〜６の整数であり；ｋは０〜２０の整数であり；Ｒ6はＨ、またはアルキル、アリールもしくはヘテロアリール部分であり；前記部分は、置換もしくは非置換であり；Ｘは、それが存在すれば、好適な電荷平衡対イオンであり、Ｒ4が水素である場合には、Ｘが存在するのが好ましく、好適なＸとしては、これらに限定されないが、塩化物、臭化物、硫酸塩、メトサルフェート、スルホン酸塩、ｐ−トルエンスルホン酸塩、ボロンテトラフルオリドおよびリン酸塩が挙げられる。
【０１０６】
本発明の一実施形態において、漂白触媒は、下記の一般式：
【化５】
2015525248.tif 000006
に対応する化学構造を有し
式中、Ｒ13は、３〜２４個の炭素原子（分岐炭素原子を含む）を含む分岐アルキル基および１〜２４個の炭素原子を含む直鎖アルキル基であり；好ましくは、Ｒ13は、８〜１８個の炭素原子を含む分岐アルキル基または８〜１８個の炭素原子を含む直鎖アルキル基であり；好ましくは、Ｒ13は、２−プロピルへプチル、２−ブチルオクチル、２−ペンチルノニル、２−ヘキシルデシル、ｎ−ドデシル、ｎ−テトラデシル、ｎ−ヘキサデシル、ｎ−オクタデシル、イソ−ノニル、イソ−デシル、イソ−トリデシルおよびイソ−ペンタデシル；好ましくは、Ｒ13は、２−ブチルオクチル、２−ペンチルノニル、２−ヘキシルデシル、イソ−トリデシルおよびイソ−ペンタデシルからなる群から選択される。
【０１０７】
好ましくは、漂白成分は、漂白触媒以外に、過酸源、特に有機漂白触媒を含む。過酸源は、以下：（ａ）事前に形成した過酸、（ｂ）好ましくは漂白活性化剤と組み合わせた過炭素塩、過ホウ酸塩または過硫酸塩（過硫酸水素源）；および（ｃ）織物または硬質表面処理ステップにおいて、水の存在下、ｉｎ  ｓｉｔｕで過酸を形成するペルヒドラーゼ酵素およびエステルから選択してもよい。
【０１０８】
過酸および／または漂白活性化剤が存在する場合、これは、一般に、組成物に対して、０．１〜６０重量％、０．５〜４０重量％、または０．６〜１０重量％存在する。１種または複数種の疎水性過酸またはその前駆体を１種または複数種の親水性過酸またはその前駆体と組み合わせて用いてもよい。
【０１０９】
過酸化水素源および過酸もしくは漂白活性化剤の量は、利用可能な酸素（過酸化物源から）：過酸のモル比が、１：１〜３５：１、あるいは２：１〜１０：１であるように選択してよい。
【０１１０】
（６）金属含有漂白触媒−触媒成分は、触媒金属複合体によって提供してもよい。１タイプの金属含有漂白触媒は、例えば、銅、鉄、チタン、ルテニウム、タングステン、モリブデン、もしくはマンガンカチオンなどの規定の漂白触媒活性の遷移金属カチオン、亜鉛もしくはアルミニウムカチオンなどの、漂白触媒活性がほとんどまたは全くない補助金属カチオン、ならびに触媒および補助金属カチオンについて既定の安定定数を有する金属イオン封鎖剤（ｓｅｑｕｅｓｔｒａｔｅ）、特にエチレンジアミン四酢酸、エチレンジアミンテトラ（メチレンリン酸）およびそれらの水溶性塩を含む触媒系である。このような触媒は、米国特許第４４３０２４３号明細書に開示されている。好ましい触媒は、国際公開第０９／８３９４０６号パンフレット、米国特許第６２１８３５１号明細書および国際公開第００／０１２６６７号パンフレットに記載されている。遷移金属触媒、または架橋多座配位子Ｎ−ドナー配位子である配位子が特に好ましい。
【０１１１】
必要に応じて、本明細書の組成物は、マンガン化合物を用いて、触媒することができる。このような化合物および使用レベルは、当業者には公知であり、例えば、米国特許第５５７６２８２号明細書に開示のマンガンベースの触媒がある。
【０１１２】
本発明で有用なコバルト漂白触媒は公知であり、例えば、米国特許第５５９７９３６号明細書；米国特許第５５９５９６７号明細書に記載されている。このようなコバルト触媒は、例えば、米国特許第５５９７９３６号明細書および米国特許第５５９５９６７号明細書に教示されているような公知の方法によって容易に調製される。
【０１１３】
本発明の組成物は、ビスピドン（米国特許第７５０１３８９号明細書）および／または大多環式硬質配位子（略称「ＭＲＬ」）などの配位子の遷移金属複合体を含むのが好適である。実際に、また非限定的に、水性洗浄媒質中少なくとも１億分の１部前後の活性ＭＲＬ種、典型的には、洗浄液中０．００５〜２５ｐｐｍ、０．０５〜１０ｐｐｍ、あるいは０．１〜５ｐｐｍのＭＲＬを提供するように、本発明の組成物および方法を調節することができる。
【０１１４】
本発明の遷移金属漂白触媒中の好適な遷移金属としては、例えば、マンガン、鉄およびクロミウムがある。好適なＭＲＬには、５，１２−ジエチル−１，５，８，１２−テトラアザビシクロ［６．６．２］ヘキサデカンが含まれる。好適な遷移金属ＭＲＬは、例えば、米国特許第６２２５４６４号明細書および国際公開第００／３２６０１号パンフレットに教示されているような公知の手順により容易に調製される。
【０１１５】
（７）光漂白剤−好適な光漂白剤としては、例えば、スルホン化亜鉛フタロシアン  スルホン化アルミニウムフタロシアン、キサンテン染料およびこれらの混合物が挙げられる。本発明の組成物に用いるのに好ましい漂白成分には、過酸化水素源、漂白活性化剤および／または有機過酸（任意選択で、過酸化水素源と漂白活性化剤の反応によりｉｎ  ｓｉｔｕで生成する）が、漂白触媒と組み合わせて含まれる。好ましい漂白成分は、前述したように、漂白触媒、好ましくは有機漂白触媒を含む。
【０１１６】
特に好ましい漂白成分は、漂白触媒、特に有機漂白触媒である。
【０１１７】
例示的な漂白系はまた、例えば、国際公開第２００７／０８７２５８号パンフレット、国際公開第２００７／０８７２４４号パンフレット、国際公開第２００７／０８７２５９号パンフレット、および国際公開第２００７／０８７２４２号パンフレットに記載されている。
【０１１８】
布地色調剤−組成物は布地色調剤を含むことができる。好適な布地色調剤には、染料、染料−粘土コンジュゲート、および顔料が含まれる。好適な染料としては、小分子染料およびポリマー染料が挙げられる。好適な小分子染料としては、ダイレクトブルー、ダイレクトレッド、ダイレクトバイオレット、アシッドブルー、アシッドレット、アシッドバイオレット、ベーシックブルー、ベーシックバイオレット、およびベーシックレッドのカラーインデックス（Ｃ．Ｉ．）分類に該当する染料、またはそれらの混合物からなる群から選択される小分子染料が挙げられる。
【０１１９】
別の態様では、好適な小分子染料として、ダイレクトバイオレット９、ダイレクトバイオレット３５、ダイレクトバイオレット４８、ダイレクトバイオレット５１、ダイレクトバイオレット６６、ダイレクトバイオレット９９、ダイレクトブルー１、ダイレクトブルー７１、ダイレクトブルー８０、ダイレクトブルー２７９、アシッドレッド１７、アシッドレッド７３、アシッドレッド８８、アシッドレッド１５０、アシッドバイオレット１５、アシッドバイオレット１７、アシッドバイオレット２４、アシッドバイオレット４３、アシッドレッド５２、アシッドバイオレット４９、アシッドバイオレット５０、アシッドブルー１５、アシッドブルー１７、アシッドブルー２５、アシッドブルー２９、アシッドブルー４０、アシッドブルー４５、アシッドブルー７５、アシッドブルー８０、アシッドブルー８３、アシッドブルー９０およびアシッドブルー１１３、アシッドブラック１、ベーシックバイオレット１、ベーシックバイオレット３、ベーシックバイオレット４、ベーシックバイオレット１０、ベーシックバイオレット３５、ベーシックブルー３、ベーシックブルー１６、ベーシックブルー２２、ベーシックブルー４７、ベーシックブルー６６、ベーシックブルー７５、ベーシックブルー１５９のカラーインデックス（Ｓｏｃｉｅｔｙ  ｏｆ  Ｄｙｅｒｓ  ａｎｄ  Ｃｏｌｏｒｉｓｔｓ，Ｂｒａｄｆｏｒｄ，ＵＫ）番号、およびそれらの混合物からなる群から選択される小分子染料が挙げられる。別の態様では、好適な小分子染料として、アシッドバイオレット１７、アシッドバイオレット４３、アシッドレッド５２、アシッドレッド７３、アシッドレッド８８、アシッドレッド１５０、アシッドブルー２５、アシッドブルー２９、アシッドブルー４５、アシッドブルー１１３、アシッドブラック１、ダイレクトブルー１、ダイレクトブルー７１、ダイレクトバイオレット５１のカラーインデックス（Ｓｏｃｉｅｔｙ  ｏｆ  Ｄｙｅｒｓ  ａｎｄ  Ｃｏｌｏｒｉｓｔｓ，Ｂｒａｄｆｏｒｄ，ＵＫ）番号、およびそれらの混合物からなる群から選択される小分子染料が挙げられる。別の態様では、好適な小分子染料として、アシッドバイオレット１７、ダイレクトブルー７１、ダイレクトバイオレット５１、ダイレクトブルー１、アシッドレッド８８、アシッドレッド１５０、アシッドブルー２９、アシッドブルー１１３のカラーインデックス（Ｓｏｃｉｅｔｙ  ｏｆ  Ｄｙｅｒｓ  ａｎｄ  Ｃｏｌｏｒｉｓｔｓ，Ｂｒａｄｆｏｒｄ，ＵＫ）番号、またはそれらの混合物からなる群から選択される小分子染料が挙げられる。
【０１２０】
好適なポリマー染料としては、コンジュゲートしたクロモゲンを含有するポリマー（染料−ポリマーコンジュゲート）およびポリマー骨格の中に共重合したクロモゲンを有するポリマーからなる群から選択されるポリマー染料、ならびにそれらの混合物が挙げられる。
【０１２１】
別の態様では、好適なポリマー染料として、Ｌｉｑｕｉｔｉｎｔ（登録商標）（Ｍｉｌｌｉｋｅｎ）の名称で販売されている布地実質着色剤、少なくとも１つの反応性染料とヒドロキシル部分、第一級アミン部分、第二級アミン部分、チオール部分、およびそれらの混合物からなる群から選択される部分を含むポリマーからなる群から選択されるポリマーとから形成される染料−ポリマーコンジュゲートからなる群から選択されるポリマー染料が挙げられる。さらに別の態様では、好適なポリマー染料として、Ｌｉｑｕｉｔｉｎｔ（登録商標）バイオレットＣＴ、リアクティブブルー、リアクティブバイオレット、またはリアクティブレッド染料とコンジュゲートしたカルボキシメチルセルロース（ＣＭＣ）、例えば商品名ＡＺＯ−ＣＭ−ＣＥＬＬＵＬＯＳＥ、製品コードＳ−ＡＣＭＣの下でＭｅｇａｚｙｍｅ，Ｗｉｃｋｌｏｗ，Ｉｒｅｌａｎｄにより販売されている、Ｃ．Ｉ．リアクティブブルー１９とコンジュゲートしたＣＭＣ、アルコキシル化トリフェニル−メタンポリマー着色剤、アルコキシル化チオフェンポリマー着色剤、およびそれらの混合物からなる群より選択されるポリマー染料が挙げられる。
【０１２２】
好ましい色調染料には、国際公開第０８／８７４９７号パンフレットに見出される増白剤が含まれる。これらの増白剤は以下の構造（Ｉ）によって特徴づけることができる：
【化６】
2015525248.tif 000007
式中、Ｒ1およびＲ2は、独立して、以下のものから選択することができる：
ａ）［（ＣＨ2ＣＲ’ＨＯ）x（ＣＨ2ＣＲ”ＨＯ）yＨ］
式中、Ｒ’は、Ｈ、ＣＨ3、ＣＨ2Ｏ（ＣＨ2ＣＨ2Ｏ）zＨ、およびそれらの混合物からなる群から選択され；Ｒ”は、Ｈ、ＣＨ2Ｏ（ＣＨ2ＣＨ2Ｏ）zＨ、およびそれらの混合物からなる群から選択され；ｘ＋ｙ≦５；ｙ≧１；かつｚ＝０〜５である；
ｂ）Ｒ1＝アルキル、アリール、またはアリールアルキルかつＲ2＝［（ＣＨ2ＣＲ’ＨＯ）x（ＣＨ2ＣＲ”ＨＯ）yＨ］
式中、Ｒ’は、Ｈ、ＣＨ3、ＣＨ2Ｏ（ＣＨ2ＣＨ2Ｏ）zＨ、およびそれらの混合物からなる群から選択され；Ｒ”は、Ｈ、ＣＨ2Ｏ（ＣＨ2ＣＨ2Ｏ）zＨ、およびそれらの混合物からなる群から選択され；ｘ＋ｙ≦１０；ｙ≧１；かつｚ＝０〜５である；
ｃ）Ｒ1＝［ＣＨ2ＣＨ2（ＯＲ3）ＣＨ2ＯＲ4］およびＲ2＝［ＣＨ2ＣＨ2（ＯＲ3）ＣＨ2ＯＲ4］
式中、Ｒ3は、Ｈ、（ＣＨ2ＣＨ2Ｏ）zＨ、およびそれらの混合物からなる群から選択され；かつｚ＝０〜１０であり；
Ｒ4は、（Ｃ1〜Ｃ16）アルキル基、アリール基、およびそれらの混合物からなる群から選択される；および
ｄ）Ｒ１およびＲ２は、独立して、スチレンオキシド、グリシジルメチルエーテル、イソブチルグリシジルエーテル、イソプロピルグリシジルエーテル、ｔ−ブチルグリシジルエーテル、２−エチルヘキシルグリシジルエーテル、およびグリシジルヘキサデシルエーテルのアミノ付加生成物に、１〜１０アルキレンオキシド単位を付加したものから選択することができる。
【０１２３】
本発明の好ましい増白剤は、以下の構造（ＩＩ）によって特徴づけることができる：
【化７】
2015525248.tif 000008
式中、Ｒ’は、Ｈ、ＣＨ3、ＣＨ2Ｏ（ＣＨ2ＣＨ2Ｏ）zＨ、およびそれらの混合物からなる群から選択され；Ｒ”は、Ｈ、ＣＨ2Ｏ（ＣＨ2ＣＨ2Ｏ）zＨ、およびそれらの混合物からなる群から選択され；ｘ＋ｙ≦５；ｙ≧１；かつｚ＝０〜５である。
【０１２４】
本発明のさらなる好ましい増白剤は、以下の構造（ＩＩＩ）によって特徴づけることができる：
【化８】
2015525248.tif 000009
典型的には合計５個のＥＯ基を有する混合物を含む。好適な好ましい分子は、上記の「パートａ」において、以下のペンダント基を有する構造Ｉに属するものである。
【０１２５】
【表１】
2015525248.tif 000010
【０１２６】
さらなる有用な増白剤には、米国特許出願公開第２００８／３４５１１号明細書（Ｕｎｉｌｅｖｅｒ）に記載されているものが含まれる。好ましい増白剤は「バイオレット１３」である。
【０１２７】
好適な染料粘土コンジュゲートとしては、少なくとも１つのカチオン性／塩基性染料とスメクタイト粘土とを含む群から選択される染料粘土コンジュゲートならびにそれらの混合物が挙げられる。別の態様では、好適な染料粘土コンジュゲートとして、Ｃ．Ｉ．ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１からなる群から選択される１つのカチオン性／塩基性染料と、モンモリロナイト粘土、ヘクトライト粘土、サポナイト粘土からなる群から選択される粘土とからなる群から選択される染料粘土コンジュゲートならびにそれらの混合物が挙げられる。さらに別の態様では、好適な染料粘土コンジュゲートとして、モンモリロナイトベーシックブルーＢ７  Ｃ．Ｉ．４２５９５コンジュゲート、モンモリロナイトベーシックブルーＢ９  Ｃ．Ｉ．５２０１５コンジュゲート、モンモリロナイトベーシックバイオレットＶ３  Ｃ．Ｉ．４２５５５コンジュゲート、モンモリロナイトベーシックグリーンＧ１  Ｃ．Ｉ．４２０４０コンジュゲート、モンモリロナイトベーシックレッドＲ１  Ｃ．Ｉ．４５１６０コンジュゲート、モンモリロナイトＣ．Ｉ．ベーシックブラック２コンジュゲート、ヘクトライトベーシックブルーＢ７  Ｃ．Ｉ．４２５９５コンジュゲート、ヘクトライトベーシックブルーＢ９  Ｃ．Ｉ．５２０１５コンジュゲート、ヘクトライトベーシックバイオレットＶ３  Ｃ．Ｉ．４２５５５コンジュゲート、ヘクトライトベーシックグリーンＧ１  Ｃ．Ｉ．４２０４０コンジュゲート、ヘクトライトベーシックレッドＲ１  Ｃ．Ｉ．４５１６０コンジュゲート、ヘクトライトＣ．Ｉ．ベーシックブラック２コンジュゲート、サポナイトベーシックブルーＢ７  Ｃ．Ｉ．４２５９５コンジュゲート、サポナイトベーシックブルーＢ９  Ｃ．Ｉ．５２０１５コンジュゲート、サポナイトベーシックバイオレットＶ３  Ｃ．Ｉ．４２５５５コンジュゲート、サポナイトベーシックグリーンＧ１  Ｃ．Ｉ．４２０４０コンジュゲート、サポナイトベーシックレッドＲ１  Ｃ．Ｉ．４５１６０コンジュゲート、サポナイトＣ．Ｉ．ベーシックブラック２コンジュゲート、およびそれらの混合物からなる群から選択される染料粘土コンジュゲートが挙げられる。
【０１２８】
好適な顔料としては、フラバントロン、インダントロン、１〜４個の塩素原子を有する塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（イミド基はＣ１〜Ｃ３−アルキルまたはフェニルまたは複素環基で置換されていなくても置換されていてもよく、フェニルおよび複素環基は水溶性を付与しない置換基をさらに保持していてもよい）、アントラピリミジンカルボン酸アミド、ビオラントロン、イソビオラントロン、ジオキサジン顔料、銅フタロシアニン（１分子当たり最大２個の塩素原子を含有していてもよい）、ポリクロロ−銅フタロシアニンまたはポリブロモクロロ−銅フタロシアニン（１分子当たり最大１４個の臭素原子を含有する）、ならびにそれらの混合物からなる群から選択される顔料が挙げられる。別の態様では、好適な顔料として、ウルトラマリンブルー（Ｃ．Ｉ．ピグメントブルー２９）、ウルトラマリンバイオレット（Ｃ．Ｉ．ピグメントバイオレット１５）、およびそれらの混合物からなる群から選択される顔料が挙げられる。
【０１２９】
前述の布地色調剤は、組み合わせて使用することができる（布地色調剤のいずれの混合物も使用することができる）。好適な色調剤は、米国特許第７２０８４５９号明細書に詳細に記載されている。本発明の組成物中の染料の好ましいレベルは、０．００００１〜０．５重量％、または０．０００１〜０．２５重量％である。処理および／または洗浄段階に対して水中での好ましい染料濃度は、１ｐｐｂ〜５ｐｐｍ、１０ｐｐｂ〜５ｐｐｍ、または２０ｐｐｂ〜５ｐｐｍである。好ましい組成物では、界面活性剤の濃度は、０．２〜３ｇ／ｌである。
【０１３０】
カプセル−組成物はカプセルを含むことができる。一態様において、カプセルは、コア、内表面および外表面を有するシェルを含み、前記シェルは前記コアを被包している。
【０１３１】
前記カプセルの一態様では、前記コアは、香料；増白剤；染料；防虫剤；シリコーン；ワックス；香味料；ビタミン類；布地柔軟剤；スキンケア剤、一態様では、パラフィン；酵素；抗菌剤；漂白剤；感覚惹起剤；およびそれらの混合物からなる群から選択される材料を含むことができ；前記シェルは、ポリエチレン；ポリアミド；ポリビニルアルコール、任意選択で他のコモノマーを含有する；ポリスチレン；ポリイソプレン；ポリカーボネート；ポリエステル；ポリアクリレート；アミノプラスト、一態様では、前記アミノプラストは、ポリ尿素、ポリウレタン、および／またはポリ尿素ウレタンを含むことができ、一態様では、前記ポリ尿素は、ポリオキシメチレン尿素および／またはメラミンホルムアルデヒドを含むことができる；ポリオレフィン；多糖、一態様では、前記多糖はアルギネートおよび／またはキトサンを含むことができる；ゼラチン；シェラック；エポキシ樹脂；ビニルポリマー；水不溶性無機物；シリコーン；ならびにそれらの混合物からなる群から選択される材料を含むことができる。
【０１３２】
前記カプセルの一態様では、前記コアは香料を含むことができる。前記カプセルの一態様では、前記シェルはメラミンホルムアルデヒドおよび／または架橋メラミンホルムアルデヒドを含むことができる。一態様では、好適なカプセルはコア材料およびシェルを含むことができ、前記コアを少なくとも部分的に包囲する前記シェルが開示されている。前記カプセルの少なくとも７５％、８５％、または９０％は、０．２〜１０ＭＰａ、０．４〜５ＭＰａ、０．６〜３．５ＭＰａ、または０．７〜３ＭＰａの破壊強度；および０〜３０％、０〜２０％、または０〜５％の有益剤の漏出を有することができる。
【０１３３】
一態様では、前記カプセルの少なくとも７５％、８５％、または９０％は、１〜８０ミクロン、５〜６０ミクロン、１０〜５０ミクロン、または１５〜４０ミクロンの粒子サイズを有することができる。一態様では、前記カプセルの少なくとも７５％、８５％、または９０％は、３０〜２５０ｎｍ、８０〜１８０ｎｍ、または１００〜１６０ｎｍの粒子壁厚を有することができる。
【０１３４】
一態様では、前記カプセルコア材料は、香料原材料からなる群から選択される材料および／または任意選択で、植物油、例えば、ヒマシ油、ヤシ油、綿実油、ブドウ油、菜種、大豆油、トウモロコシ油、パーム油、亜麻仁油、サフラワー油、オリーブ油、ピーナッツ油、ヤシ油、パーム核油、ヒマシ油、レモン油、およびそれらの混合物を含む純粋および／またはブレンド植物油；植物油のエステル、ジブチルアジペート、ジブチルフタレート、ブチルベンジルアジペート、ベンジルオクチルアジペート、トリクレジルホスフェート、トリオクチルホスフェート、およびそれらの混合物を含むエステル；約８０℃超の沸点を有する直鎖または分枝鎖の炭化水素を含む直鎖または分枝鎖の炭化水素；部分的に水素化されたテルフェニル、ジアルキルフタレート、モノイソプロピルビフェニルを含むアルキルビフェニル、ジプロピルナフタレンを含むアルキル化ナフタレン、灯油を含む石油スピリット、鉱油、およびそれらの混合物；ベンゼン、トルエン、およびそれらの混合物を含む芳香族溶媒；シリコーン油；ならびにそれらの混合物からなる群から選択される材料を含むことができる。
【０１３５】
一態様では、前記カプセル壁材は、アルデヒドおよびアミンの反応生成物を含む好適な樹脂を含むことができ、好適なアルデヒドとしてはホルムアルデヒドが挙げられる。好適なアミンとしては、メラミン、尿素、ベンゾグアナミン、グリコールウリル、およびそれらの混合物が挙げられる。好適なメラミンとしては、メチロールメラミン、メチル化メチロールメラミン、イミノメラミン、およびそれらの混合物が挙げられる。好適な尿素としては、ジメチロール尿素、メチル化ジメチロール尿素、尿素−レゾルシノール、およびそれらの混合物が挙げられる。
【０１３６】
一態様では、好適なホルムアルデヒド捕捉剤を、例えばカプセルスラリー中でカプセルと共に使用することができ、かつ／またはカプセルが組成物に加えられる前、その間、またはその後に組成物に加えることができる。好適なカプセルは、米国特許出願公開第２００８／０３０５９８２号明細書；および／または米国特許出願公開第２００９／０２４７４４９号明細書の教示により作製することができる。
【０１３７】
好ましい態様では、組成物はまた、好ましくはカチオン性ポリマーまたは非イオン性ポリマーを含む群からなる付着助剤を含むことができる。好適なポリマーとしては、カチオン性デンプン、カチオン性ヒドロキシエチルセルロース、ポリビニルホルムアルデヒド、ローカストビーンガム、マンナン、キシログルカン、タマリンドガム、ポリエチレンテレフタレート、ならびに任意選択でアクリル酸およびアクリルアミドを含む群から選択される１つまたは複数のモノマーと共にジメチルアミノエチルメタクリレートを含有するポリマーが挙げられる。
【０１３８】
香料−一態様では、組成物は、以下のものからなる群から選択される１つまたは複数の香料原料を含む香料を含む：１，１’−オキシビス−２−プロパノール；１，４−シクロヘキサンジカルボン酸，ジエチルエステル；（エトキシメトキシ）シクロドデカン；１，３−ノナンジオール，モノアセテート；（３−メチルブトキシ）酢酸，２−プロペニルエステル；ベータ−メチルシクロドデカンエタノール；２−メチル−３−［（１，７，７−トリメチルビシクロ［２．２．１］ヘプト−２−イル）オキシ］−１−プロパノール；オキサシクロヘキサデカン−２−オン；アルファ−メチル−ベンゼンメタノールアセテート；トランス−３−エトキシ−１，１，５−トリメチルシクロヘキサン；４−（１，１−ジメチルエチル）シクロヘキサノールアセテート；ドデカヒドロ−３ａ，６，６，９ａ−テトラメチルナフト［２，１−ｂ］フラン；ベータ−メチルベンゼンプロパナール；ベータ−メチル−３−（１−メチルエチル）ベンゼンプロパナール；４−フェニル−２−ブタノン；２−メチルブタン酸，エチルエステル；ベンズアルデヒド；２−メチルブタン酸，１−メチルエチルエステル；ジヒドロ−５−ペンチル−２（３Ｈ）フラノン；（２Ｅ）−１−（２，６，６−トリメチル−２−シクロヘキセン−１−イル）−２−ブテン−１−オン；ドデカナール；ウンデカナール；２−エチル−アルファ，アルファ−ジメチルベンゼンプロパナール；デカナール；アルファ，アルファ−ジメチルベンゼンエタノールアセテート；２−（フェニルメチレン）オクタナール；２−［［３−［４−（１，１−ジメチルエチル）フェニル］−２−メチルプロピリデン］アミノ］安息香酸，メチルエステル；１−（２，６，６−トリメチル−３−シクロヘキセン−１−イル）−２−ブテン−１−オン；２−ペンチルシクロペンタノン；３−オキソ−２−ペンチルシクロペンタン酢酸，メチルエステル；４−ヒドロキシ−３−メトキシベンズアルデヒド；３−エトキシ−４−オキシベンズアルデヒド；２−ヘプチルシクロペンタノン；１−（４−メチルフェニル）エタノン；（３Ｅ）−４−（２，６，６−トリメチル−１−シクロヘキセン−１−イル）−３−ブテン−２−オン；（３Ｅ）−４−（２，６，６−トリメチル−２−シクロヘキセン−１−イル）−３−ブテン−２−オン；ベンゼンエタノール；２Ｈ−１−ベンゾピラン−２−オン；４−メトキシベンズアルデヒド；１０−ウンデセナール；プロパン酸，フェニルメチルエステル；ベータ−メチルベンゼンペンタノール；１，１−ジエトキシ−３，７−ジメチル−２，６−オクタジエン；アルファ，アルファ−ジメチルベンゼンエタノール；（２Ｅ）−１−（２，６，６−トリメチル−１−シクロヘキセン−１−イル）−２−ブテン−１−オン；酢酸，フェニルメチルエステル；シクロヘキサンプロパン酸，２−プロペニルエステル；ヘキサン酸，２−プロペニルエステル；１，２−ジメトキシ−４−（２−プロペニル）ベンゼン；１，５−ジメチル−ビシクロ［３．２．１］オクタノ−８−オンオキシム；４−（４−ヒドロキシ−４−メチルペンチル）−３−シクロヘキセン−１−カルボキシアルデヒド；３−ブテン−２−オール；２−［［［２，４（または３，５）−ジメチル−３−シクロヘキセン−１−イル］メチレン］アミノ］安息香酸，メチルエステル；８−シクロヘキサデセン−１−オン；メチルイオノン；２，６−ジメチル−７−オクテン−２−オール；２−メトキシ−４−（２−プロペニル）フェノール；（２Ｅ）−３，７−ジメチル−２，６−オクタジエン−１−オール；２−ヒドロキシ−安息香酸，（３Ｚ）−３−ヘキセニルエステル；２−トリデセンニトリル；４−（２，２−ジメチル−６−メチレンシクロヘキシル）−３−メチル−３−ブテン−２−オン；テトラヒドロ−４−メチル−２−（２−メチル−１−プロペニル）−２Ｈ−ピラン；酢酸，（２−メチルブトキシ）−，２−プロペニルエステル；安息香酸，２−ヒドロキシ−，３−メチルブチルエステル；２−ブテン−１−オン，１−（２，６，６−トリメチル−１−シクロヘキセン−１−イル）−，（Ｚ）−；シクロペンタンカルボン酸，２−ヘキシル−３−オキソ−，メチルエステル；ベンゼンプロパナール，４−エチル−．アルファ．，．アルファ．−ジメチル−；３−シクロヘキセン−１−カルボキシアルデヒド（３−（４−ヒドロキシ−４−メチルペンチル）−；エタノン，１−（２，３，４，７，８，８ａ−ヘキサヒドロ−３，６，８，８−テトラメチル−１Ｈ−３ａ，７−（メタノアズレン−５−イル）−，［３Ｒ−（３．アルファ．，３ａ．ベータ．７．ベータ．，８ａ．アルファ．）］−；ウンデカナール，２−メチル−２Ｈ−ピラン−２−オン，６−ブチルテトラヒドロ−；ベンゼンプロパナール，４−（１，１−ジメチルエチル）−．アルファ．−メチル−；２（３Ｈ）−フラノン，５−ヘプチルジヒドロ−；安息香酸，２−［（７−ヒドロキシ−３，７−ジメチルオクチリデン）アミノ］−，メチル；安息香酸，２−ヒドロキシ−，フェニルメチルエステル；ナフタレン，２−メトキシ−；２−シクロペンテン−１−オン，２−ヘキシル−；２（３Ｈ）−フラノン，５−ヘキシルジヒドロ−；オキシランカルボン酸，３−メチル−３−フェニル−，エチルエステル；２−オキサビシクロ［２．２．２］オクタン，１，３，３−トリメチル−；ベンゼンペンタノール，．ガンマ．−メチル−；３−オクタノール，３，７−ジメチル−；３，７−ジメチル−２，６−オクタジエンニトリル；３，７−ジメチル−６−オクテン−１−オール；テルピネオールアセテート；２−メチル−６−メチレン−７−オクテン−２−オール，ジヒドロ誘導体；３ａ，４，５，６，７，７ａ−ヘキサヒドロ−４，７−メタノ−１Ｈ−インデン−６−オールプロパノエート；３−メチル−２−ブテン−１−オールアセテート；（Ｚ）−３−ヘキセン−１−オールアセテート；２−エチル−４−（２，２，３−トリメチル−３−シクロペンテン−１−イル）−２−ブテン−１−オール；４−（オクタヒドロ−４，７−メタノ−５Ｈ−インデン−５−イリデン）−ブタナール；３−２，４−ジメチル−シクロヘキセン−１−カルボキシアルデヒド；１−（１，２，３，４，５，６，７，８−オクタヒドロ−２，３，８，８−テトラメチル−２−ナフタレニル−エタノン；２−ヒドロキシ−安息香酸，メチルエステル；２−ヒドロキシ−安息香酸，ヘキシルエステル；２−フェノキシ−エタノール；２−ヒドロキシ−安息香酸，ペンチルエステル；２，３−ヘプタンジオン；２−ヘキセン−１−オール；６−オクテン−２−オール，２，６−ジメチル−；ダマスコン（アルファ、ベータ、ガンマ、もしくはデルタ、またはそれらの混合物），４，７−メタノ−１Ｈ−インデン−６−オール，３ａ，４，５，６，７，７ａ−ヘキサヒドロ−，アセテート；９−ウンデセナール；８−ウンデセナール；イソシクロシトラール；エタノン，１−（１，２，３，５，６，７，８，８ａ−オクタヒドロ−２，３，８，８−テトラメチル−２−ナフタレニル）−；３−シクロヘキセン−１−カルボキシアルデヒド，３，５−ジメチル−；３−シクロヘキセン−１−カルボキシアルデヒド，２，４−ジメチル−；１，６−オクタジエン−３−オール，３，７−ジメチル−；１，６−オクタジエン−３−オール，３，７−ジメチル−，アセテート；リリアル（ｐ−ｔ−ブシナール）、およびシクロペンタノン、２−［２−（４−メチル−３−シクロヘキセン−１−イル）プロピル］−および１−メチル−４−（１−メチルエテニル）シクロヘキセン、ならびにそれらの混合物。
【０１３９】
一態様では、組成物は、水溶性ヒドロキシル化合物またはメラミン−ホルムアルデヒドまたは修飾ポリビニルアルコールのいずれかを含むカプセル化香料粒子を含むことができる。一態様では、カプセルは、（ａ）１種または複数の水溶性ヒドロキシル化合物を含む少なくとも部分的に水溶性の固体マトリックス、好ましくはデンプン；および（ｂ）固体マトリックスによりカプセル化された香油を含む。
【０１４０】
さらなる態様では、香料は、シッフ塩基を形成するように、ポリアミン、好ましくはポリエチレンイミンと事前に複合体形成させることができる。
【０１４１】
ポリマー−組成物は１種または複数のポリマーを含むことができる。例としては、カルボキシメチルセルロース、ポリ（ビニル−ピロリドン）、ポリ（エチレングリコール）、ポリ（ビニルアルコール）、ポリ（ビニルピリジン−Ｎ−オキシド）、ポリ（ビニルイミダゾール）、ポリアクリレートなどのポリカルボキシレート、マレイン酸／アクリル酸コポリマー、およびラウリルメタクリレート／アクリル酸コポリマーがある。
【０１４２】
組成物は、以下の一般構造を有する化合物などの１種または複数の両親媒性洗浄ポリマーを含むことができる：ビス（（Ｃ2Ｈ5Ｏ）（Ｃ2Ｈ4Ｏ）ｎ）（ＣＨ3）−Ｎ+−ＣxＨ2x−Ｎ+−（ＣＨ3）−ビス（（Ｃ2Ｈ5Ｏ）（Ｃ2Ｈ4Ｏ）ｎ）、式中、ｎ＝２０〜３０、ｘ＝３〜８である。
【０１４３】
組成物は、布地および表面から油脂粒子を除去するように、親水性と疎水性のバランスが取れた両親媒性アルコキシル化油脂洗浄ポリマーを含むことができる。本発明の両親媒性アルコキシル化油脂洗浄ポリマーの特定の実施形態は、コア構造およびそのコア構造に結合した複数のアルコキシレート基を含む。これらは、内側のポリエチレンオキシドブロックと外側のポリプロピレンオキシドブロックとを好ましくは有するアルコキシル化ポリアルキレンイミンを含むことができる。
【０１４４】
ポリアクリレートから調製されるものなどアルコキシル化ポリカルボキシレートは、さらなる油脂除去性能を提供するのに本明細書において有用である。このような材料は、国際公開第９１／０８２８１号パンフレットおよびＰＣＴ９０／０１８１５号明細書に記載されている。化学的には、これらの材料は、７〜８個のアクリレート単位当たり１個のエトキシ側鎖を有するポリアクリレートを含む。この側鎖は、式−（ＣＨ2ＣＨ2Ｏ）m（ＣＨ2）nＣＨ3（式中、ｍは２〜３、ｎは６〜１２である）である。この側鎖は、ポリアクリレート「骨格」にエステル結合して、「コーム」ポリマー型構造を与える。分子量は変動し得るものであるが、典型的には、２０００〜５０，０００の範囲にある。このようなアルコキシル化ポリカルボキシレートは、本明細書では組成物の０．０５重量％〜１０重量％で含むことができる。
【０１４５】
本発明のイソプレノイド由来界面活性剤、ならびに他の共界面活性剤および他の補助成分とのそれらの混合物は、両親媒性グラフトコポリマーと共に使用するのに特に適しており、好ましくは、両親媒性グラフトコポリマーは、（ｉ）ポリエチレングリコール骨格と、（ｉｉ）ポリビニルアセテート、ポリビニルアルコール、およびそれらの混合物から選択される少なくとも１つのペンダント部分とを含む。好ましい両親媒性グラフトコポリマーは、ＢＡＳＦから供給されるＳｏｋａｌａｎ  ＨＰ２２である。好適なポリマーとしては、ランダムグラフトコポリマー、好ましくは、ポリエチレンオキシド骨格および複数のポリビニルアセテート側鎖を有するポリビニルアセテートグラフト化ポリエチレンオキシドポリマーが挙げられる。ポリエチレンオキシド骨格の分子量は好ましくは６０００であり、ポリエチレンオキシドとポリビニルアセテートの重量比は、４０〜６０であり、また５０個のエチレンオキシド単位当たり最大１個のグラフト点がある。
【０１４６】
カルボキシレートポリマー−本発明の組成物はまた、マレアート／アクリレートランダムコポリマーまたはポリアクリレートホモポリマーなどの１種または複数のカルボキシレートポリマーを含むことができる。一態様では、カルボキシレートポリマーは、４，０００〜９，０００Ｄａまたは６，０００〜９，０００Ｄａの分子量を有するポリアクリレートホモポリマーである。
【０１４７】
汚染物放出ポリマー−本発明の組成物はまた、以下の構造（Ｉ）、（ＩＩ）、または（ＩＩＩ）の１つによって定義される構造を有する１つまたは複数の汚染物ポリマーを含むことができる：
（Ｉ）−［（ＯＣＨＲ1−ＣＨＲ2）a−Ｏ−ＯＣ−Ａｒ−ＣＯ−］d
（ＩＩ）−［（ＯＣＨＲ3−ＣＨＲ4）b−Ｏ−ＯＣ−ｓＡｒ−ＣＯ−］e
（ＩＩＩ）−［（ＯＣＨＲ5−ＣＨＲ6）c−ＯＲ7］f
式中、
ａ、ｂ、およびｃは、１〜２００であり；
ｄ、ｅ、およびｆは、１〜５０であり；
Ａｒは、１，４−置換フェニレンであり；
ｓＡｒは、５位がＳＯ3Ｍｅで置換されている１，３−置換フェニレンであり；
Ｍｅは、Ｌｉ、Ｋ、Ｍｇ／２、Ｃａ／２、Ａｌ／３、アンモニウム、アルキル基がＣ1〜Ｃ18アルキルもしくはＣ2〜Ｃ10ヒドロキシアルキル、またはそれらの混合物であるモノ−、ジ−、トリ−、またはテトラアルキルアンモニウムであり；
Ｒ1、Ｒ2、Ｒ3、Ｒ4、Ｒ5、およびＲ6は、独立して、ＨまたはＣ1〜Ｃ18ｎ−またはイソ−アルキルから選択され；かつ
Ｒ7は、直鎖もしくは分枝Ｃ1〜Ｃ18アルキルまたは直鎖もしくは分枝Ｃ2〜Ｃ30アルケニル、または５〜９個の炭素原子を有するシクロアルキル、またはＣ8〜Ｃ30アリール基、またはＣ6〜Ｃ30アリールアルキル基である。
【０１４８】
好適な汚染物放出ポリマーは、Ｒｅｐｅｌ−ｏ−ｔｅｘポリマーなどのポリエステル汚染物放出ポリマーであり、Ｒｈｏｄｉａにより供給されるＲｅｐｅｌ−ｏ−ｔｅｘ、ＳＦ−２、およびＳＲＰ６が含まれる。他の好適な汚染物放出ポリマーとして、Ｔｅｘｃａｒｅポリマーが挙げられ、Ｃｌａｒｉａｎｔにより供給されるＴｅｘｃａｒｅ  ＳＲＡ１００、ＳＲＡ３００、ＳＲＮ１００、ＳＲＮ１７０、ＳＲＮ２４０、ＳＲＮ３００、およびＳＲＮ３２５が含まれる。他の好適な汚染物放出ポリマーには、Ｓａｓｏｌにより供給されるＭａｒｌｏｑｕｅｓｔ  ＳＬなどのＭａｒｌｏｑｕｅｓｔポリマーがある。
【０１４９】
セルロースポリマー−本発明の組成物はまた、アルキルセルロース、アルキルアルコキシアルキルセルロース、カルボキシアルキルセルロース、アルキルカルボキシアルキルセルロースから選択されるものを含む、１種または複数のセルロースポリマーを含むことができる。一態様では、セルロースポリマーは、カルボキシメチルセルロース、メチルセルロース、メチルヒドロキシエチルセルロース、メチルカルボキシメチルセルロース、およびそれらの混合物を含む群から選択される。一態様では、カルボキシメチルセルロースは、０．５〜０．９のカルボキシメチル置換度および１００，０００〜３００，０００Ｄａの分子量を有する。
【０１５０】
酵素−組成物は、洗浄性能および／または布地ケアの利点を提供する１種または複数の酵素を含むことができる。好適な酵素の例としては、これらに限定されないが、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、クロロフィラーゼ、アミラーゼ、またはそれらの混合物が挙げられる。典型的な組合せは、例えば、アミラーゼと組み合わせたプロテアーゼおよびリパーゼを含み得る酵素カクテルである。組成物中に存在する場合、前述の追加の酵素は、組成物の重量を基準として、０．００００１〜２重量％、０．０００１〜１重量％、または０．００１〜０．５重量％の酵素タンパク質のレベルで存在することができる。
【０１５１】
一般に、選択される酵素の特性は、選択される洗剤と適合するべきものであり（すなわち、至適ｐＨ、他の酵素成分および非酵素成分等との適合性）、また酵素は有効量で存在するべきである。
【０１５２】
セルラーゼ：好適なセルラーゼとしては、細菌または真菌を起源とするものが挙げられる。化学修飾またはタンパク質工学による突然変異体が含まれる。好適なセルラーゼとしては、バチルス属（Ｂａｃｉｌｌｕｓ）、シュードモナス属（Ｐｓｅｕｄｏｍｏｎａｓ）、フミコラ属（Ｈｕｍｉｃｏｌａ）、フザリウム属（Ｆｕｓａｒｉｕｍ）、チエラビア属（Ｔｈｉｅｌａｖｉａ）、アクレモニウム属（Ａｃｒｅｍｏｎｉｕｍ）に由来するセルラーゼ、例えば、米国特許第４４３５３０７号明細書、米国特許第５６４８２６３号明細書、米国特許第５６９１１７８号明細書、米国特許第５７７６７５７号明細書、および国際公開第８９／０９２５９号パンフレットに開示されている、フミコラ・インソレンス（Ｈｕｍｉｃｏｌａ  ｉｎｓｏｌｅｎｓ）、ミセリオフトーラ・サーモフィラ（Ｍｙｃｅｌｉｏｐｈｔｈｏｒａ  ｔｈｅｒｍｏｐｈｉｌａ）、およびフザリウム・オキシスポラム（Ｆｕｓａｒｉｕｍ  ｏｘｙｓｐｏｒｕｍ）から産生される真菌セルラーゼが挙げられる。
【０１５３】
特に好適なセルラーゼは、カラーケアの利点があるアルカリ性または中性のセルラーゼである。そのようなセルラーゼの例には、欧州特許第０４９５２５７号明細書、欧州特許第０５３１３７２号明細書、国際公開第９６／１１２６２号パンフレット、国際公開第９６／２９３９７号パンフレット、国際公開第９８／０８９４０号パンフレットに記載されるセルラーゼがある。他の例には、国際公開第９４／０７９９８号パンフレット、欧州特許第０５３１３１５号明細書、米国特許第５４５７０４６号明細書、米国特許第５６８６５９３号明細書、米国特許第５７６３２５４号明細書、国際公開第９５／２４４７１号パンフレット、国際公開第９８／１２３０７号パンフレット、およびＰＣＴ／ＤＫ９８／００２９９号明細書に記載されるものなど、セルラーゼ変異体がある。
【０１５４】
市販のセルラーゼとしては、Ｃｅｌｌｕｚｙｍｅ（商標）、およびＣａｒｅｚｙｍｅ（商標）（Ｎｏｖｏｚｙｍｅｓ  Ａ／Ｓ）、Ｃｌａｚｉｎａｓｅ（商標）、およびＰｕｒａｄａｘ  ＨＡ（商標）（Ｇｅｎｅｎｃｏｒ  Ｉｎｔｅｒｎａｔｉｏｎａｌ  Ｉｎｃ．）、およびＫＡＣ−５００（Ｂ）（商標）（Ｋａｏ  Ｃｏｒｐｏｒａｔｉｏｎ）が挙げられる。
【０１５５】
一態様では、好ましい酵素にはプロテアーゼが含まれよう。好適なプロテアーゼとしては、細菌、真菌、植物、ウイルス、または動物起源のもの、例えば植物または微生物起源のものが挙げられる。微生物起源が好ましい。化学修飾またはタンパク質工学による突然変異体が含まれる。プロテアーゼは、セリンプロテアーゼまたはメタロプロテアーゼなどのアルカリ性プロテアーゼであってもよい。セリンプロテアーゼは、例えば、トリプシンなどのＳ１ファミリーであっても、サブチリシンなどのＳ８ファミリーであってもよい。メタロプロテアーゼは、例えば、ファミリーＭ４に由来するサーモリシンであっても、Ｍ５、Ｍ７、またはＭ８ファミリーに由来するものなど、他のメタロプロテアーゼであってもよい。
【０１５６】
「サブチラーゼ」という用語は、Ｓｉｅｚｅｎ  ｅｔ  ａｌ．，Ｐｒｏｔｅｉｎ  Ｅｎｇｎｇ．４（１９９１）７１９−７３７およびＳｉｅｚｅｎ  ｅｔ  ａｌ．Ｐｒｏｔｅｉｎ  Ｓｃｉｅｎｃｅ  ６（１９９７）５０１−５２３による、セリンプロテアーゼの亜群を指す。セリンプロテアーゼは、基質と共有結合付加体を形成する、活性部位のセリンを有することを特徴とするプロテアーゼの亜群である。サブチラーゼは、６つの区分、すなわち、サブチリシンファミリー、テルミターゼファミリー、プロテイナーゼＫファミリー、ランチビオティックペプチダーゼファミリー、ケキシンファミリー、およびピロリシンファミリーに分類することができる。
【０１５７】
サブチラーゼの例には、米国特許第７２６２０４２号明細書および国際公開第０９／０２１８６７号パンフレットに記載される、バチルス・レンタス（Ｂａｃｉｌｌｕｓ  ｌｅｎｔｕｓ）、Ｂ．アルカロフィルス（Ｂ．ａｌｋａｌｏｐｈｉｌｕｓ）、Ｂ．サブチリス（Ｂ．ｓｕｂｔｉｌｉｓ）、Ｂ．アミロリケファシエンス（Ｂ．ａｍｙｌｏｌｉｑｕｅｆａｃｉｅｎｓ）、バチルス・プミルス（Ｂａｃｉｌｌｕｓ  ｐｕｍｉｌｕｓ）、およびバチルス・ギブソニイ（Ｂａｃｉｌｌｕｓ  ｇｉｂｓｏｎｉｉ）などのバチルス属（Ｂａｃｉｌｌｕｓ）に由来するもの、ならびに国際公開第８９／０６２７９号パンフレットに記載される、サブチリシンｌｅｎｔｕｓ、サブチリシンＮｏｖｏ、サブチリシンＣａｒｌｓｂｅｒｇ、バチルス・リケニフォルミス（Ｂａｃｉｌｌｕｓ  ｌｉｃｈｅｎｉｆｏｒｍｉｓ）、サブチリシンＢＰＮ’、サブチリシン３０９、サブチリシン１４７、およびサブチリシン１６８、ならびに（国際公開第９３／１８１４０号パンフレット）に記載されるプロテアーゼＰＤ１３８がある。他の有用なプロテアーゼには、国際公開第９２／１７５１７７号パンフレット、国際公開第０１／０１６２８５号パンフレット、国際公開第０２／０２６０２４号パンフレット、および国際公開第０２／０１６５４７号パンフレットに記載されるものがあり得る。トリプシン様プロテアーゼの例には、トリプシン（例えば、ブタまたはウシに由来する）、および国際公開第８９／０６２７０号パンフレット、国際公開第９４／２５５８３号パンフレット、および国際公開第０５／０４０３７２号パンフレットに記載されるフザリウム属（Ｆｕｓａｒｉｕｍ）プロテアーゼ、および国際公開第０５／０５２１６１号パンフレットおよび国際公開第０５／０５２１４６号パンフレットに記載される、セルモナス（Ｃｅｌｌｕｍｏｎａｓ）に由来するキモトリプシンプロテアーゼがある。
【０１５８】
さらなる好ましいプロテアーゼは、例えば国際公開第９５／２３２２１号パンフレットに記載される、バチルス・レンタス（Ｂａｃｉｌｌｕｓ  ｌｅｎｔｕｓ）ＤＳＭ５４８３由来のアルカリ性プロテアーゼ、ならびに国際公開第９２／２１７６０号パンフレット、国際公開第９５／２３２２１号パンフレット、欧州特許第１９２１１４７号明細書、および欧州特許第１９２１１４８号明細書に記載されるその変異体である。
【０１５９】
メタロプロテアーゼの例には、バチルス・アミロリケファシエンス（Ｂａｃｉｌｌｕｓ  ａｍｙｌｏｌｉｑｕｅｆａｃｉｅｎｓ）に由来するものなど、国際公開第０７／０４４９９３号パンフレット（Ｇｅｎｅｎｃｏｒ  Ｉｎｔ．）に記載される中性メタロプロテアーゼがある。有用なプロテアーゼの例には、国際公開第９２／１９７２９号パンフレット、国際公開第９６／０３４９４６号パンフレット、国際公開第９８／２０１１５号パンフレット、国際公開第９８／２０１１６号パンフレット、国際公開第９９／０１１７６８号パンフレット、国際公開第０１／４４４５２号パンフレット、国際公開第０３／００６６０２号パンフレット、国際公開第０４／０３１８６号パンフレット、国際公開第０４／０４１９７９号パンフレット、国際公開第０７／００６３０５号パンフレット、国際公開第１１／０３６２６３号パンフレット、国際公開第１１／０３６２６４号パンフレットに記載される変異体、特に、ＢＰＮ’の番号付けを使用すると、３、４、９、１５、２７、３６、５７、６８、７６、８７、９５、９６、９７、９８、９９、１００、１０１、１０２、１０３、１０４、１０６、１１８、１２０、１２３、１２８、１２９、１３０、１６０、１６７、１７０、１９４、１９５、１９９、２０５、２０６、２１７、２１８、２２２、２２４、２３２、２３５、２３６、２４５、２４８、および２７４の位置の１つまたは複数に置換を有する変異体がある。より好ましくは、サブチラーゼ変異体は以下の突然変異を含み得る：Ｓ３Ｔ、Ｖ４Ｉ、Ｓ９Ｒ、Ａ１５Ｔ、Ｋ２７Ｒ、*３６Ｄ、Ｖ６８Ａ、Ｎ７６Ｄ、Ｎ８７Ｓ、Ｒ、*９７Ｅ、Ａ９８Ｓ、Ｓ９９Ｇ、Ｄ、Ａ、Ｓ９９ＡＤ、Ｓ１０１Ｇ、Ｍ、Ｒ  Ｓ１０３Ａ、Ｖ１０４Ｉ、Ｙ、Ｎ、Ｓ１０６Ａ、Ｇ１１８Ｖ、Ｒ、Ｈ１２０Ｄ、Ｎ、Ｎ１２３Ｓ、Ｓ１２８Ｌ、Ｐ１２９Ｑ、Ｓ１３０Ａ、Ｇ１６０Ｄ、Ｙ１６７Ａ、Ｒ１７０Ｓ、Ａ１９４Ｐ、Ｇ１９５Ｅ、Ｖ１９９Ｍ、Ｖ２０５Ｉ、Ｌ２１７Ｄ、Ｎ２１８Ｄ、Ｋ２３５Ｌ、Ｑ２３６Ｈ、Ｑ２４５Ｒ、Ｎ２５２Ｋ、Ｔ２７４Ａ（ＢＰＮ’の番号付けを使用）。
【０１６０】
好適な市販プロテアーゼ酵素としては、商品名Ａｌｃａｌａｓｅ（登録商標）、Ｄｕｒａｌａｓｅ（商標）、Ｄｕｒａｚｙｍ（商標）、Ｒｅｌａｓｅ（登録商標）、Ｒｅｌａｓｅ（登録商標）Ｕｌｔｒａ、Ｓａｖｉｎａｓｅ（登録商標）、Ｓａｖｉｎａｓｅ（登録商標）Ｕｌｔｒａ、Ｐｒｉｍａｓｅ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ（登録商標）Ｕｌｔｒａ、Ｏｖｏｚｙｍｅ（登録商標）、Ｃｏｒｏｎａｓｅ（登録商標）、Ｃｏｒｏｎａｓｅ（登録商標）Ｕｌｔｒａ、Ｎｅｕｔｒａｓｅ（登録商標）、Ｅｖｅｒｌａｓｅ（登録商標）、およびＥｓｐｅｒａｓｅ（登録商標）（Ｎｏｖｏｚｙｍｅｓ  Ａ／Ｓ）の下で販売されているもの、商品名Ｍａｘａｔａｓｅ（登録商標）、Ｍａｘａｃａｌ（登録商標）、Ｍａｘａｐｅｍ（登録商標）、Ｐｕｒａｆｅｃｔ（登録商標）、Ｐｕｒａｆｅｃｔ  Ｐｒｉｍｅ（登録商標）、Ｐｒｅｆｅｒｅｎｚ（商標）、Ｐｕｒａｆｅｃｔ  ＭＡ（登録商標）、Ｐｕｒａｆｅｃｔ  Ｏｘ（登録商標）、Ｐｕｒａｆｅｃｔ  ＯｘＰ（登録商標）、Ｐｕｒａｍａｘ（登録商標）、Ｐｒｏｐｅｒａｓｅ（登録商標）、Ｅｆｆｅｃｔｅｎｚ（商標）、ＦＮ２（登録商標）、ＦＮ３（登録商標）、ＦＮ４（登録商標）、Ｅｘｃｅｌｌａｓｅ（登録商標））、Ｏｐｔｉｃｌｅａｎ（登録商標）およびＯｐｔｉｍａｓｅ（登録商標）（Ｄａｎｉｓｃｏ／ＤｕＰｏｎｔ）、Ａｘａｐｅｍ（商標）（Ｇｉｓｔ−Ｂｒｏｃａｓｅｓ  Ｎ．Ｖ．）の下で販売されているもの、ＢＬＡＰ（米国特許第５３５２６０４号明細書の図２９に示される配列）およびこの変異体（Ｈｅｎｋｅｌ  ＡＧ）、ならびにＫａｏからのＫＡＰ（バチルス・アルカロフィラス（Ｂａｃｉｌｌｕｓ  ａｌｋａｌｏｐｈｉｌｕｓ）サブチリシン）が挙げられる。
【０１６１】
一態様では、好ましい酵素としてアミラーゼが挙げられよう。好適なアミラーゼは、アルファ−アミラーゼであってもグルコアミラーゼであってもよく、また細菌起源であっても真菌起源であってもよい。化学修飾またはタンパク質工学による突然変異体が含まれる。アミラーゼとしては、例えば、英国特許第１２９６８３９号明細書に詳細に記載される、バチルス属（Ｂａｃｉｌｌｕｓ）、例えばバチルス・リケニフォルミス（Ｂａｃｉｌｌｕｓ  ｌｉｃｈｅｎｉｆｏｒｍｉｓ）の特定の菌株から得られるアルファ−アミラーゼが挙げられる。
【０１６２】
好適なアミラーゼとしては、国際公開第９５／１０６０３号パンフレット中の配列番号３を有するアミラーゼ、または配列番号３に９０％の配列同一性を有するその変異体が挙げられる。好ましい変異体は、国際公開第９４／０２５９７号パンフレット、国際公開第９４／１８３１４号パンフレット、国際公開第９７／４３４２４号パンフレット、および国際公開第９９／０１９４６７号パンフレットの配列番号４に記載されており、例えば、位置１５、２３、１０５、１０６、１２４、１２８、１３３、１５４、１５６、１７８、１７９、１８１、１８８、１９０、１９７、２０１、２０２、２０７、２０８、２０９、２１１、２４３、２６４、３０４、３０５、３９１、４０８、および４４４の１つまたは複数に置換を有する変異体である。
【０１６３】
異なる好適なアミラーゼとして、国際公開第０２／０１０３５５号パンフレット中の配列番号６を有するアミラーゼ、または配列番号６に対して９０％の配列同一性を有するその変異体が挙げられる。配列番号６の好ましい変異体は、位置１８１および１８２が欠失し、位置１９３が置換しているものである。
【０１６４】
好適な他のアミラーゼは、国際公開第２００６／０６６５９４号パンフレットの配列番号６に示されるＢ．アミロリケファシエンス（Ｂ．ａｍｙｌｏｌｉｑｕｅｆａｃｉｅｎｓ）に由来するアルファ−アミラーゼの残基１〜３３と、国際公開第２００６／０６６５９４号パンフレットの配列番号４に示されるＢ．リケニフォルミス（Ｂ．ｌｉｃｈｅｎｉｆｏｒｍｉｓ）アルファ−アミラーゼの残基３６〜４８３とを含むハイブリッドアルファ−アミラーゼ、または９０％の配列同一性を有するその変異体である。このハイブリッドアルファ−アミラーゼの好ましい変異体は、以下の位置の１つまたは複数において、置換、欠失、または挿入を有するものである：Ｇ４８、Ｔ４９、Ｇ１０７、Ｈ１５６、Ａ１８１、Ｎ１９０、Ｍ１９７、Ｉ２０１、Ａ２０９、およびＱ２６４。国際公開第２００６／０６６５９４号パンフレットの配列番号６に示されるＢ．アミロリケファシエンス（Ｂ．ａｍｙｌｏｌｉｑｕｅｆａｃｉｅｎｓ）に由来するアルファ−アミラーゼの残基１〜３３と、配列番号４の残基３６〜４８３とを含むハイブリッドアルファ−アミラーゼの最も好ましい変異体は、以下の置換を有するものである：
Ｍ１９７Ｔ；
Ｈ１５６Ｙ＋Ａ１８１Ｔ＋Ｎ１９０Ｆ＋Ａ２０９Ｖ＋Ｑ２６４Ｓ；または
Ｇ４８Ａ＋Ｔ４９Ｉ＋Ｇ１０７Ａ＋Ｈ１５６Ｙ＋Ａ１８１Ｔ＋Ｎ１９０Ｆ＋Ｉ２０１Ｆ＋Ａ２０９Ｖ＋Ｑ２６４Ｓ。
【０１６５】
さらなる好適なアミラーゼは、国際公開第９９／０１９４６７号パンフレット中の配列番号６を有するアミラーゼまたは配列番号６に対して９０％の配列同一性を有するその変異体である。配列番号６の好ましい変異体は、以下の位置の１つまたは複数に置換、欠失、または挿入を有するものである：Ｒ１８１、Ｇ１８２、Ｈ１８３、Ｇ１８４、Ｎ１９５、Ｉ２０６、Ｅ２１２、Ｅ２１６、およびＫ２６９。特に好ましいアミラーゼは、位置Ｒ１８１およびＧ１８２、または位置Ｈ１８３およびＧ１８４に欠失を有するものである。
【０１６６】
使用することができるさらなるアミラーゼは、国際公開第９６／０２３８７３号パンフレットの配列番号１、配列番号３、配列番号２、もしくは配列番号７を有するもの、または配列番号１、配列番号２、配列番号３、または配列番号７に対して９０％の配列同一性を有するそれらの変異体である。配列番号１、配列番号２、配列番号３、または配列番号７の好ましい変異体は、以下の位置の１つまたは複数に置換、欠失、または挿入を有するものである：１４０、１８１、１８２、１８３、１８４、１９５、２０６、２１２、２４３、２６０、２６９、３０４、および４７６。より好ましい変異体は、位置１８１および１８２、または位置１８３および１８４に欠失を有するものである。配列番号１、配列番号２、または配列番号７の最も好ましいアミラーゼ変異体は、位置１８３および１８４に欠失を、位置１４０、１９５、２０６、２４３、２６０、３０４、および４７６の１つまたは複数に置換を有するものである。
【０１６７】
使用することができる他のアミラーゼは、国際公開第０８／１５３８１５号パンフレットの配列番号２、国際公開第０１／６６７１２号パンフレット中の配列番号１０を有するアミラーゼ、または国際公開第０８／１５３８１５号パンフレットの配列番号２に対して９０％の配列同一性を有するか、もしくは国際公開第０１／６６７１２号パンフレット中の配列番号１０に対して９０％の配列同一性を有するそれらの変異体である。国際公開第０１／６６７１２号パンフレット中の配列番号１０の好ましい変異体は、以下の位置の１つまたは複数に置換、欠失、または挿入を有するものである：１７６、１７７、１７８、１７９、１９０、２０１、２０７、２１１、および２６４。
【０１６８】
さらに好適なアミラーゼは、国際公開第０９／０６１３８０号パンフレットの配列番号２を有するアミラーゼ、または配列番号２に９０％の配列同一性を有するその変異体である。配列番号２の好ましい変異体は、Ｃ末端の短縮および／または以下の位置の１つもしくは複数に置換、欠失、もしくは挿入を有するものである：Ｑ８７、Ｑ９８、Ｓ１２５、Ｎ１２８、Ｔ１３１、Ｔ１６５、Ｋ１７８、Ｒ１８０、Ｓ１８１、Ｔ１８２、Ｇ１８３、Ｍ２０１、Ｆ２０２、Ｎ２２５、Ｓ２４３、Ｎ２７２、Ｎ２８２、Ｙ３０５、Ｒ３０９、Ｄ３１９、Ｑ３２０、Ｑ３５９、Ｋ４４４、およびＧ４７５。配列番号２のより好ましい変異体は、以下の位置：Ｑ８７Ｅ、Ｒ、Ｑ９８Ｒ、Ｓ１２５Ａ、Ｎ１２８Ｃ、Ｔ１３１Ｉ、Ｔ１６５Ｉ、Ｋ１７８Ｌ、Ｔ１８２Ｇ、Ｍ２０１Ｌ、Ｆ２０２Ｙ、Ｎ２２５Ｅ、Ｒ、Ｎ２７２Ｅ、Ｒ、Ｓ２４３Ｑ、Ａ、Ｅ、Ｄ、Ｙ３０５Ｒ、Ｒ３０９Ａ、Ｑ３２０Ｒ、Ｑ３５９Ｅ、Ｋ４４４Ｅ、およびＧ４７５Ｋの１つまたは複数に置換を有し、かつ／あるいは位置Ｒ１８０および／もしくはＳ１８１、またはＴ１８２および／もしくはＧ１８３に欠失を有するものである。配列番号２の最も好ましいアミラーゼ変異体は、以下の置換を有するものである：
Ｎ１２８Ｃ＋Ｋ１７８Ｌ＋Ｔ１８２Ｇ＋Ｙ３０５Ｒ＋Ｇ４７５Ｋ；
Ｎ１２８Ｃ＋Ｋ１７８Ｌ＋Ｔ１８２Ｇ＋Ｆ２０２Ｙ＋Ｙ３０５Ｒ＋Ｄ３１９Ｔ＋Ｇ４７５Ｋ；
Ｓ１２５Ａ＋Ｎ１２８Ｃ＋Ｋ１７８Ｌ＋Ｔ１８２Ｇ＋Ｙ３０５Ｒ＋Ｇ４７５Ｋ；または
Ｓ１２５Ａ＋Ｎ１２８Ｃ＋Ｔ１３１Ｉ＋Ｔ１６５Ｉ＋Ｋ１７８Ｌ＋Ｔ１８２Ｇ＋Ｙ３０５Ｒ＋Ｇ４７５Ｋ
ここで、これらの変異体は、Ｃ−末端が短縮されており、また任意選択で、さらに、位置２４３に置換ならびに／または位置１８０および／もしくは位置１８１に欠失を含む。
【０１６９】
他の好適なアミラーゼは、国際公開第０１／６６７１２号パンフレット中の配列番号１２を有するアルファ−アミラーゼ、または配列番号１２に対して少なくとも９０％の配列同一性を有する変異体である。好ましいアミラーゼ変異体は、国際公開第０１／６６７１２号パンフレット中の配列番号１２の以下の位置の１つまたは複数に置換、欠失、または挿入を有するものである：Ｒ２８、Ｒ１１８、Ｎ１７４；Ｒ１８１、Ｇ１８２、Ｄ１８３、Ｇ１８４、Ｇ１８６、Ｗ１８９、Ｎ１９５、Ｍ２０２、Ｙ２９８、Ｎ２９９、Ｋ３０２、Ｓ３０３、Ｎ３０６、Ｒ３１０、Ｎ３１４；Ｒ３２０、Ｈ３２４、Ｅ３４５、Ｙ３９６、Ｒ４００、Ｗ４３９、Ｒ４４４、Ｎ４４５、Ｋ４４６、Ｑ４４９、Ｒ４５８、Ｎ４７１、Ｎ４８４。特に好ましいアミラーゼとしては、Ｄ１８３およびＧ１８４の欠失を有し、かつ置換Ｒ１１８Ｋ、Ｎ１９５Ｆ、Ｒ３２０Ｋ、およびＲ４５８Ｋを有する変異体、ならびに以下の群：Ｍ９、Ｇ１４９、Ｇ１８２、Ｇ１８６、Ｍ２０２、Ｔ２５７、Ｙ２９５、Ｎ２９９、Ｍ３２３、Ｅ３４５、およびＡ３３９から選択される１つまたは複数の位置に置換をさらに有する変異体が挙げられ、これらのすべての位置に置換をさらに有する変異体が最も好ましい。
【０１７０】
他の例には、国際公開第２０１１／０９８５３１号パンフレット、国際公開第２０１３／００１０７８号パンフレット、および国際公開第２０１３／００１０８７号パンフレットに記載されるものなどのアミラーゼ変異体がある。
【０１７１】
市販のアミラーゼには、Ｄｕｒａｍｙｌ（商標）、Ｔｅｒｍａｍｙｌ（商標）、Ｔｅｒｍａｍｙｌ  Ｕｌｔｒａ（商標）、Ｆｕｎｇａｍｙｌ（商標）、Ｂａｎ（商標）、Ｓｔａｉｎｚｙｍｅ（商標）、Ｓｔａｉｎｚｙｍｅ  Ｐｌｕｓ（商標）、Ｓｕｐｒａｍｙｌ（商標）、Ｎａｔａｌａｓｅ（商標）、Ｌｉｑｕｏｚｙｍｅ  ＸおよびＢＡＮ（商標）（Ｎｏｖｏｚｙｍｅｓ  Ａ／Ｓ製）、ＫＥＭＺＹＭ（登録商標）ＡＴ  ９０００  Ｂｉｏｚｙｍ  Ｂｉｏｔｅｃｈ  Ｔｒａｄｉｎｇ  ＧｍｂＨ  Ｗｅｈｌｉｓｔｒａｓｓｅ  ２７ｂ  Ａ−１２００  Ｗｉｅｎ  Ａｕｓｔｒｉａ、およびＲａｐｉｄａｓｅ（商標）、Ｐｕｒａｓｔａｒ（商標）／Ｅｆｆｅｃｔｅｎｚ（商標）、Ｐｏｗｅｒａｓｅ、Ｐｒｅｆｅｒｅｎｚ  Ｓ１００、ＥＮＺＹＳＩＺＥ（登録商標）、ＯＰＴＩＳＩＺＥ  ＨＴ  ＰＬＵＳ（登録商標）、およびＰＵＲＡＳＴＡＲ  ＯＸＡＭ（登録商標）（Ｄａｎｉｓｃｏ／ＤｕＰｏｎｔ）、およびＫＡＭ（登録商標）（Ｋａｏ）がある。
【０１７２】
好適なリパーゼおよびクチナーゼとしては、細菌または真菌を起源とするものが挙げられる。化学修飾またはタンパク質工学による突然変異体酵素が含まれる。例としては、サーモミセス属（Ｔｈｅｒｍｏｍｙｃｅｓ）由来のリパーゼ、例えば、欧州特許第２５８０６８号明細書および欧州特許第３０５２１６号明細書に記載される、Ｔ．ラヌジノサス（Ｔ．ｌａｎｕｇｉｎｏｓｕｓ）（以前の名前、フミコラ・ラヌジノサス（Ｈｕｍｉｃｏｌａ  ｌａｎｕｇｉｎｏｓａ））由来のリパーゼ、フミコラ属（Ｈｕｍｉｃｏｌａ）由来のクチナーゼ、例えばＨ．インソレンス（Ｈ．ｉｎｓｏｌｅｎｓ）由来のクチナーゼ（国際公開第９６／１３５８０号パンフレット）、シュードモナス属の菌株（これらの一部は、現在、バークホルデリア属（Ｂｕｒｋｈｏｌｄｅｒｉａ）に改名されている）由来のリパーゼ、例えば、Ｐ．アルカリゲネス（Ｐ．ａｌｃａｌｉｇｅｎｅｓ）またはＰ．シュードアルカリゲネス（Ｐ．ｐｓｅｕｄｏａｌｃａｌｉｇｅｎｅｓ）（欧州特許第２１８２７２号明細書）、Ｐ．セパシア（Ｐ．ｃｅｐａｃｉａ）（欧州特許第３３１３７６号明細書）、シュードモナス種菌株ＳＤ７０５（国際公開第９５／０６７２０号パンフレットおよび国際公開第９６／２７００２号パンフレット）、Ｐ．ウィスコンシネンシス（Ｐ．ｗｉｓｃｏｎｓｉｎｅｎｓｉｓ）（国際公開第９６／１２０１２号パンフレット）由来のリパーゼ、ＧＤＳＬ型ストレプトミセス（Ｓｔｒｅｐｔｏｍｙｃｅｓ）リパーゼ（国際公開第１０／０６５４５５号パンフレット）、マグナポルテ・グリセア（Ｍａｇｎａｐｏｒｔｈｅ  ｇｒｉｓｅａ）（国際公開第１０／１０７５６０号パンフレット）由来のクチナーゼ、シュードモナス・メンドシナ（Ｐｓｅｕｄｏｍｏｎａｓ  ｍｅｎｄｏｃｉｎａ）（米国特許第５，３８９，５３６号明細書）由来のクチナーゼ、サーモビフィダ・フスカ（Ｔｈｅｒｍｏｂｉｆｉｄａ  ｆｕｓｃａ）（国際公開第１１／０８４４１２号パンフレット、国際公開第１３／０３３３１８号パンフレット）由来のリパーゼ、ゲオバチルス・ステアロサーモフィルス（Ｇｅｏｂａｃｉｌｌｕｓ  ｓｔｅａｒｏｔｈｅｒｍｏｐｈｉｌｕｓ）リパーゼ（国際公開第１１／０８４４１７号パンフレット）、バチルス・サブチリス（Ｂａｃｉｌｌｕｓ  ｓｕｂｔｉｌｉｓ）（国際公開第１１／０８４５９９号パンフレット）由来のリパーゼ、ならびにストレプトミセス・グリセウス（Ｓｔｒｅｐｔｏｍｙｃｅｓ  ｇｒｉｓｅｕｓ）（国際公開第１１／１５０１５７号パンフレット）およびＳ．プリスチナエスピラリス（Ｓ．ｐｒｉｓｔｉｎａｅｓｐｉｒａｌｉｓ）（国際公開第１２／１３７１４７号パンフレット）由来のリパーゼがある。
【０１７３】
他の例には、欧州特許第４０７２２５号明細書、国際公開第９２／０５２４９号パンフレット、国際公開第９４／０１５４１号パンフレット、国際公開第９４／２５５７８号パンフレット、国際公開第９５／１４７８３号パンフレット、国際公開第９５／３０７４４号パンフレット、国際公開第９５／３５３８１号パンフレット、国際公開第９５／２２６１５号パンフレット、国際公開第９６／００２９２号パンフレット国際公開第９７／０４０７９号パンフレット、国際公開第９７／０７２０２号パンフレット、国際公開第００／３４４５０号パンフレット、国際公開第００／６００６３号パンフレット国際公開第０１／９２５０２号パンフレット、国際公開第０７／８７５０８号パンフレット、および国際公開第０９／１０９５００号パンフレットに記載されるものなどのリパーゼ変異体がある。
【０１７４】
好ましい商用リパーゼ製品としては、Ｌｉｐｏｌａｓｅ（商標）、Ｌｉｐｅｘ（商標）；Ｌｉｐｏｌｅｘ（商標）およびＬｉｐｏｃｌｅａｎ（商標）（Ｎｏｖｏｚｙｍｅｓ  Ａ／Ｓ）、Ｌｕｍａｆａｓｔ（元はＧｅｎｅｎｃｏｒ製）およびＬｉｐｏｍａｘ（元はＧｉｓｔ−Ｂｒｏｃａｄｅｓ製）が挙げられる。
【０１７５】
さらに他の例は、アシルトランスフェラーゼまたはペルヒドロラーゼと呼ばれることがあるリパーゼであり、例えばカンジダ・アンタルクチカ（Ｃａｎｄｉｄａ  ａｎｔａｒｃｔｉｃａ）リパーゼＡに相同性があるアシルトランスフェラーゼ（国際公開第１０／１１１１４３号パンフレット）、マイコバクテリウム・スメグマチス（Ｍｙｃｏｂａｃｔｅｒｉｕｍ  ｓｍｅｇｍａｔｉｓ）由来のアシルトランスフェラーゼ（国際公開第０５／５６７８２号パンフレット）、ＣＥ７ファミリー由来のペルヒドロラーゼ（国際公開第０９／６７２７９号パンフレット）、およびＭ．スメグマチス（Ｍ．ｓｍｅｇｍａｔｉｓ）ペルヒドロラーゼの変異体、特にＨｕｎｔｓｍａｎ  Ｔｅｘｔｉｌｅ  Ｅｆｆｅｃｔｓ  Ｐｔｅ  Ｌｔｄ（国際公開第１０／１０００２８号パンフレット）製の商品Ｇｅｎｔｌｅ  Ｐｏｗｅｒ  Ｂｌｅａｃｈで使用されるＳ５４Ｖ変異体がある。
【０１７６】
一態様では、他の好ましい酵素として、米国特許第７１４１４０３号明細書中のアミノ酸配列番号２に対して少なくとも９０％、９４％、９７％、または９９％の同一性がある配列を有する、バチルス（Ｂａｃｉｌｌｕｓ）属のメンバーにとって内因性の細菌ポリペプチドを含む、エンド−ベータ−１，４−グルカナーゼ活性（ＥＣ３．２．１．４）を示す微生物由来エンドグルカナーゼ、およびそれらの混合物が挙げられる。好適なエンドグルカナーゼは、商品名Ｃｅｌｌｕｃｌｅａｎ（登録商標）およびＷｈｉｔｅｚｙｍｅ（登録商標）（Ｎｏｖｏｚｙｍｅｓ）の下で販売されている。
【０１７７】
他の好ましい酵素としては、商品名Ｐｅｃｔａｗａｓｈ（登録商標）、Ｐｅｃｔａｗａｙ（登録商標）、Ｘｐｅｃｔ（登録商標）の下で販売されているペクチン酸リアーゼ、ならびに商品名Ｍａｎｎａｗａｙ（登録商標）（Ｎｏｖｏｚｙｍｅｓ）およびＰｕｒａｂｒｉｔｅ（登録商標）（Ｄａｎｉｓｃｏ／ＤｕＰｏｎｔ）の下で販売されているマンナナーゼが挙げられる。
【０１７８】
洗剤酵素は、１種または複数の酵素を含有する別々の添加剤を加えることにより、またはこれらの酵素をすべて含む、合わせた添加剤を加えることにより洗剤組成物に含めることができる。本発明の洗剤添加剤、すなわち別々の添加剤または合わせた添加剤は、例えば、顆粒、液体、スラリー等として配合することができる。好ましい洗剤添加剤配合物は、顆粒、特に非ダスティング顆粒、液体、特に安定化された液体、またはスラリーである。
【０１７９】
非ダスティング顆粒は、例えば、米国特許第４１０６９９１号明細書および米国特許第４６６１４５２号明細書に開示されるように製造することができ、任意選択で、当技術分野で公知の方法によりコーティングすることができる。ワックスコーティング材料の例には、平均モル重量が１０００〜２００００のポリ（エチレンオキシド）生成物（ポリエチレングリコール、ＰＥＧ）；１６〜５０個のエチレンオキシド単位を有するエトキシル化ノニルフェノール；アルコール部分が１２〜２０個の炭素原子を含有し、１５〜８０個のエチレンオキシド単位があるエトキシル化脂肪アルコール；脂肪アルコール；脂肪酸；ならびに脂肪酸のモノ−およびジ−およびトリグリセリドがある。流動層手法による適用に適したフィルム形成コーティング材料の例は、英国特許第１４８３５９１号明細書に示されている。液体酵素調製物は、例えば、確立された方法に従い、プロピレングリコール、糖または糖アルコール、乳酸またはホウ酸などのポリオールを加えることにより安定化することができる。保護された酵素は、欧州特許第２３８２１６号明細書に開示されている方法により調製することができる。
【０１８０】
染料移行阻害剤−本発明の組成物はまた、１種または複数の染料移行阻害剤を含むことができる。好適なポリマー性染料移行阻害剤としては、これらに限定されないが、ポリビニルピロリドンポリマー、ポリアミンＮ−オキシドポリマー、Ｎ−ビニルピロリドンおよびＮ−ビニルイミダゾールのコポリマー、ポリビニルオキサゾリドン、およびポリビニルイミダゾール、ならびにそれらの混合物を挙げることができる。組成物中に存在する場合、染料移行阻害剤は、０．０００１重量％〜１０重量％、０．０１重量％〜５重量％、または０．１重量％〜３重量％のレベルで存在することができる。
【０１８１】
増白剤−本発明の組成物はまた、蛍光増白剤など、洗浄される商品に色合いを整えることができる追加の成分を含有することができる。
【０１８２】
組成物は、以下の構造を有する、アルファ結晶形態のＣ．Ｉ．蛍光増白剤２６０を含むことができる：
【化９】
2015525248.tif 000011
【０１８３】
一態様では、増白剤は、アルファ結晶形態のＣ．Ｉ．蛍光増白剤２６０などの冷水可溶性増白剤である。一態様では、増白剤は、主にアルファ結晶形態であり、これは、典型的には、Ｃ．Ｉ．蛍光増白剤２６０の少なくとも５０重量％、少なくとも７５重量％、少なくとも９０重量％、少なくとも９９重量％、または実質的にすべてもがアルファ結晶形態であることを意味する。
【０１８４】
増白剤は、典型的には、３〜３０マイクロメートル、３マイクロメートル〜２０マイクロメートル、または３〜１０マイクロメートルの重量平均一次粒子サイズを有する、微粒子化された粒子形態である。
【０１８５】
組成物はベータ結晶形態のＣ．Ｉ．蛍光増白剤２６０を含むことができ、また（ｉ）アルファ結晶形態のＣ．Ｉ．蛍光増白剤２６０と、（ｉｉ）ベータ結晶形態のＣ．Ｉ．蛍光増白剤との重量比を少なくとも０．１、または少なくとも０．６とすることができる。ＢＥ６８０８４７号明細書は、アルファ結晶形態のＣ．Ｉ蛍光増白剤２６０を製造する方法に関する。
【０１８６】
本発明において有用となり得る商用蛍光増白剤は亜群に分類することができ、それらには、これらに限定されないが、スチルベン、ピラゾリン、クマリン、カルボン酸、メチンシアニン、ジベンゾチオフェン−５，５−ジオキシド、アゾール、５員環および６員環複素環の誘導体、ならびに他の種々の薬剤が含まれる。このような増白剤の例は、“Ｔｈｅ  Ｐｒｏｄｕｃｔｉｏｎ  ａｎｄ  Ａｐｐｌｉｃａｔｉｏｎ  ｏｆ  Ｆｌｕｏｒｅｓｃｅｎｔ  Ｂｒｉｇｈｔｅｎｉｎｇ  Ａｇｅｎｔｓ”，Ｍ．Ｚａｈｒａｄｎｉｋ，出版社Ｊｏｈｎ  Ｗｉｌｅｙ＆Ｓｏｎｓ，Ｎｅｗ  Ｙｏｒｋ（１９８２）に開示されている。本組成物において有用な蛍光増白剤の具体的な非限定例は、米国特許第４７９０８５６号明細書および米国特許第３６４６０１５号明細書で同定されたものである。
【０１８７】
さらに好適な増白剤は以下の構造を有する：
【化１０】
2015525248.tif 000012
【０１８８】
好適な蛍光増白剤レベルは、０．０１重量％、０．０５重量％、０．１重量％、または０．２重量％の下限レベルから０．５重量％または０．７５重量％の上限レベルを含む。
【０１８９】
一態様では、増白剤は粘土の上に負荷されて粒子を形成することができる。ケイ酸塩−本発明の組成物はまた、ケイ酸ナトリウムまたはケイ酸カリウムなどのケイ酸塩を含有することができる。組成物は、０重量％から１０重量％未満、９重量％、または８重量％、または７重量％、または６重量％、または５重量％、または４重量％、または３重量％、またはさらには２重量％のケイ酸塩を含むことができ、また上記の０重量％、または０．５重量％、または１重量％のケイ酸塩から含むことができる。好適なケイ酸塩はケイ酸ナトリウムである。
【０１９０】
分散剤−本発明の組成物はまた、分散剤を含有することができる。好適な水溶性有機材料は、ホモポリマーまたはコポリマーの酸またはそれらの塩を含み、ここでポリカルボン酸は、２個以下の炭素原子により互いから分離している少なくとも２つのカルボキシル基を含む。
【０１９１】
酵素安定化剤−組成物中で使用される酵素は、種々の手法により安定化することができる。本明細書で使用される酵素は、カルシウムイオンおよび／またはマグネシウムイオンの水溶性供給源の存在により安定化することができる。通常の安定化剤の例には、例えば、プロピレングリコールまたはグリセロールなどのポリオール、糖または糖アルコール、ペプチドアルデヒド、乳酸、ホウ酸、またはホウ酸誘導体、例えば芳香族ホウ酸エステル、または４−ホルミルフェニルボロン酸などのフェニルボロン酸誘導体があり、組成物は、例えば、国際公開第９２／１９７０９号パンフレットおよび国際公開第９２／１９７０８号パンフレットに記載されるように配合することができる。プロテアーゼを含む水性組成物の場合には、ボレート、４−ホルミルフェニルボロン酸、フェニルボロン酸、およびそれらの誘導体を含むホウ素化合物などの可逆的なプロテアーゼ阻害剤、またはギ酸カルシウム、ギ酸ナトリウム、および１，２−プロパンジオールなどの化合物を加えて、安定性をさらに改善することができる。ペプチドアルデヒドは、式Ｂ2−Ｂ1−Ｂ0−Ｒ（式中、Ｒは水素、ＣＨ3、ＣＸ3、ＣＨＸ2、またはＣＨ2Ｘであり、ここでＸはハロゲン原子であり；Ｂ0は、ｐ−位置および／またはｍ−位置にＯＨ置換基を有するフェニルアラニン残基であり；Ｂ1は、単一アミノ酸残基であり；Ｂ2は、任意選択でＮ末端保護基を含む、１つまたは複数のアミノ酸残基からなる）であり得る。好ましいペプチドアルデヒドとしては、これらに限定されないが、Ｚ−ＲＡＹ−Ｈ、Ａｃ−ＧＡＹ−Ｈ、Ｚ−ＧＡＹ−Ｈ、Ｚ−ＧＡＬ−Ｈ、Ｚ−ＧＡＦ−Ｈ、Ｚ−ＧＡＶ−Ｈ、Ｚ−ＲＶＹ−Ｈ、Ｚ−ＬＶＹ−Ｈ、Ａｃ−ＬＧＡＹ−Ｈ、Ａｃ−ＦＧＡＹ−Ｈ、Ａｃ−ＹＧＡＹ−Ｈ、Ａｃ−ＦＧＶＹ−Ｈ、またはＡｃ−ＷＬＶＹ−Ｈ（式中、Ｚはベンジルオキシカルボニルであり、Ａｃはアセチルである）が挙げられる。
【０１９２】
溶媒−好適な溶媒には、水、および親油性液体などの他の溶媒が含まれる。好適な親油性液体の例としては、シロキサン、他のシリコーン、炭化水素、グリコールエーテル、グリセリンエーテルなどのグリセリン誘導体、全フッ素化アミン、全フッ素化およびハイドロフルオロエーテル溶媒、低揮発性非フッ素化有機溶媒、ジオール溶媒、他の環境にやさしい溶媒、ならびにそれらの混合物が挙げられる。
【０１９３】
構造化剤／増粘剤−構造化液体は、それによって構造が一次成分（例えば界面活性剤物質）により形成されるように内部的に構造化することも、かつ／または二次成分（例えばポリマー、粘土、および／またはケイ酸物質）を使用して３次元マトリックス構造を提供することにより外部的に構造化することもできる。組成物は、０．０１〜５重量％、または０．１〜２．０重量％の構造化剤を含むことができる。構造化剤は、典型的には、ジグリセリドおよびトリグリセリド、エチレングリコールジステアレート、微結晶セルロース、セルロース系物質、マイクロファイバーセルロース、Ｐｏｌｙｇｅｌ  Ｗ３０（３ＶＳｉｇｍａ）などの疎水的に修飾されたアルカリ膨潤性エマルジョン、バイオポリマー、キサンタンガム、ジェランガム、およびそれらの混合物からなる群から選択される。好適な構造化剤には、硬化ヒマシ油およびその非エトキシル化誘導体が含まれる。好適な構造化剤は、米国特許第６８５５６８０号明細書に開示されている。このような構造化剤は、ある範囲のアスペクト比を有する糸状の構造系を有する。他の好適な構造化剤およびそれらを製造する方法は、国際公開第１０／０３４７３６号パンフレットに記載されている。
【０１９４】
コンディショニング剤−本発明の組成物は、高融点脂肪族化合物を含むことができる。本明細書において有用な高融点脂肪族化合物は、２５℃以上の融点を有し、脂肪アルコール、脂肪酸、脂肪アルコール誘導体、脂肪酸誘導体、およびそれらの混合物からなる群から選択される。低融点のこのような化合物を、このセクションに含めることは意図していない。高融点化合物の非限定例は、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ，第５版，１９９３、およびＣＴＦＡ  Ｃｏｓｍｅｔｉｃ  Ｉｎｇｒｅｄｉｅｎｔ  Ｈａｎｄｂｏｏｋ，第２版，１９９２に見ることができる。
【０１９５】
高融点脂肪族化合物は、濡れた髪に適用したときのつるつるした感触、乾燥した髪における柔軟性および保湿した感触など、コンディショニングの改善を示す利点を提供することを考慮して、０．１〜４０重量％、１〜３０重量％、１．５〜１６重量％、１．５〜８重量％のレベルで組成物中に含まれる。
【０１９６】
本発明の組成物は、カチオン性ポリマーを含有することができる。組成物中のカチオン性ポリマーの濃度は、典型的には、０．０５〜３重量％、０．０７５〜２．０重量％、または０．１〜１．０重量％の範囲である。好適なカチオン性ポリマーは、組成物の使用目的のｐＨ（このｐＨは一般にｐＨ３〜ｐＨ９、またはｐＨ４〜ｐＨ８の間の範囲になる）で、少なくとも０．５ｍｅｑ／ｇｍ、少なくとも０．９ｍｅｑ／ｇｍ、少なくとも１．２ｍｅｑ／ｇｍ、少なくとも１．５ｍｅｑ／ｇｍ、または７ｍｅｑ／ｇｍ未満、および５ｍｅｑ／ｇｍ未満のカチオン性電荷密度を有する。本明細書において、ポリマーの「カチオン性電荷密度」は、ポリマー上の正電荷数とポリマーの分子量との比を指す。このような好適なカチオン性ポリマーの平均分子量は、一般に、１０，０００〜１０００万の間、５０，０００〜５００万の間、または１００，０００から３００万の間になる。
【０１９７】
本発明の組成物に使用される好適なカチオン性ポリマーは、第四級アンモニウム部分またはカチオン性プロトン化アミノ部分などのカチオン性窒素含有部分を含有する。ポリマーが水中に、組成物中に、または組成物のコアセルベート相中に可溶である限り、かつ対イオンが組成物の必須成分と物理的および化学的に適合する限り、または組成物の性能、安定性、もしくは美観を過度に損なわない限り、任意のアニオン性対イオンをカチオン性ポリマーと共に使用することができる。このような対イオンの非限定例としては、ハロゲン化物（例えば、塩化物、フッ化物、臭化物、ヨウ化物）、スルフェート、およびメチルスルフェートが挙げられる。
【０１９８】
このようなポリマーの非限定例は、ＣＴＦＡ  Ｃｏｓｍｅｔｉｃ  Ｉｎｇｒｅｄｉｅｎｔ  Ｄｉｃｔｉｏｎａｒｙ，第３版，Ｅｓｔｒｉｎ，Ｃｒｏｓｌｅｙ，ａｎｄ  Ｈａｙｎｅｓ編，（Ｔｈｅ  Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ，Ｉｎｃ．，Ｗａｓｈｉｎｇｔｏｎ，Ｄ．Ｃ．（１９８２））に記載されている。
【０１９９】
組成物に使用される他の好適なカチオン性ポリマーとしては、多糖ポリマー、カチオン性グアーガム誘導体、第四級窒素含有セルロースエーテル、合成ポリマー、エーテル化セルロースのコポリマー、グアー、およびデンプンが挙げられる。使用される場合、本明細書におけるカチオン性ポリマーは、組成物中に可溶であるか、または本明細書の上記に記載した、カチオン性ポリマーならびにアニオン性、双性、および／もしくは両性イオン性界面活性剤成分によって形成される組成物中の複合コアセルベート相中に可溶であるかのいずれかである。カチオン性ポリマーの複合コアセルベートはまた、組成物中の他の荷電物質と共に形成することができる。好適なカチオン性ポリマーは、米国特許第３９６２４１８号明細書、第３９５８５８１号明細書、および米国特許出願公開第２００７／０２０７１０９号明細書に記載されている。
【０２００】
本発明の組成物は、コンディショニング剤として非イオン性ポリマーを含むことができる。１０００を超える分子量を有するポリアルキレングリコールが本明細書では有用である。以下の一般式を有するものが有用である：
【化１１】
2015525248.tif 000013
式中、Ｒ95は、Ｈ，メチル、およびそれらの混合物からなる群から選択される。コンディショニング剤、特にシリコーンを組成物中に含むことができる。本発明の組成物に有用なコンディショニング剤は、典型的には、乳化液体粒子を形成する水不溶性で水分散性の不揮発性液体を含む。組成物に使用される好適なコンディショニング剤は、一般に、シリコーン（例えば、シリコーン油、カチオン性シリコーン、シリコーンガム、高屈折率シリコーン、およびシリコーン樹脂）、有機コンディショニング油（例えば、炭化水素油、ポリオレフィン、および脂肪酸エステル）もしくはそれらの組合せとして特徴づけられるコンディショニング剤、またはそうでなければ本明細書の水性界面活性剤マトリックス中に液体分散粒子を形成するコンディショニング剤である。このようなコンディショニング剤は、組成物の必須成分と物理的および化学的に適合すべきであり、またそうでなければ組成物の安定性、美観、または性能を過度に損なうべきではない。
【０２０１】
組成物中のコンディショニング剤の濃度は、所望のコンディショニング利点を提供するのに十分であるべきである。このような濃度は、コンディショニング剤、所望のコンディショニング性能、コンディショニング剤粒子の平均サイズ、他の成分の種類および濃度、ならびに他の同様の要因により異なり得る。
【０２０２】
シリコーンコンディショニング剤の濃度は、典型的には、０．０１〜１０重量％の範囲である。好適なシリコーンコンディショニング剤、およびシリコーン用の任意選択の懸濁化剤の非限定例は、米国再発行特許第３４，５８４号明細書；米国特許第５１０４６４６号明細書；米国特許第５１０６６０９号明細書；米国特許第４１５２４１６号明細書；米国特許第２８２６５５１号明細書；米国特許第３９６４５００号明細書；米国特許第４３６４８３７号明細書；米国特許第６６０７７１７号明細書；米国特許第６４８２９６９号明細書；米国特許第５８０７９５６号明細書；米国特許第５９８１６８１号明細書；米国特許第６２０７７８２号明細書；米国特許第７４６５４３９号明細書；米国特許第７０４１７６７号明細書；米国特許第７２１７７７７号明細書；米国特許出願公開第２００７／０２８６８３７Ａ１号明細書；米国特許出願公開第２００５／００４８５４９Ａ１号明細書；米国特許出願公開第２００７／００４１９２９Ａ１号明細書；英国特許第８４９４３３号明細書；独国特許第１００３６５３３号明細書（これらはすべて参照により本明細書に組み込まれる）；Ｃｈｅｍｉｓｔｒｙ  ａｎｄ  Ｔｅｃｈｎｏｌｏｇｙ  ｏｆ  Ｓｉｌｉｃｏｎｅｓ，Ｎｅｗ  Ｙｏｒｋ：Ａｃａｄｅｍｉｃ  Ｐｒｅｓｓ（１９６８）；Ｇｅｎｅｒａｌ  Ｅｌｅｃｔｒｉｃ  Ｓｉｌｉｃｏｎｅ  Ｒｕｂｂｅｒ  Ｐｒｏｄｕｃｔ  Ｄａｔａ  Ｓｈｅｅｔｓ  ＳＥ  ３０，ＳＥ  ３３，ＳＥ  ５４  ａｎｄ  ＳＥ  ７６；Ｓｉｌｉｃｏｎ  Ｃｏｍｐｏｕｎｄｓ，Ｐｅｔｒａｒｃｈ  Ｓｙｓｔｅｍｓ，Ｉｎｃ．（１９８４）；およびＥｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，ｖｏｌ．１５，第２版，ｐｐ  ２０４−３０８，Ｊｏｈｎ  Ｗｉｌｅｙ  ＆  Ｓｏｎｓ，Ｉｎｃ．（１９８９）に記載されている。
【０２０３】
本発明の組成物はまた、コンディショニング剤として、単独でまたはシリコーン（本明細書に記載される）などの他のコンディショニング剤と組み合わせて、０．０５〜３重量％の少なくとも１つの有機コンディショニング油を含むことができる。好適なコンディショニング油としては、炭化水素油、ポリオレフィン、および脂肪酸エステルが挙げられる。さらに、本明細書において組成物に使用するのに適しているのは、米国特許第５６７４４７８号明細書および米国特許第４５２９５８６号明細書に、または米国特許第５７５０１２２号明細書；米国特許第４５０７２８０号明細書；米国特許第４６６３１５８号明細書；米国特許第４１９７８６５号明細書；米国特許第４２１７９１４号明細書；米国特許第４３８１９１９号明細書；および米国特許第４４２２８５３号明細書に記載されるコンディショニング剤である。
【０２０４】
衛生および悪臭−本発明の組成物はまた、リシノール酸亜鉛、チモール、Ｂａｒｄａｃ（登録商標）などの第四級アンモニウム塩、ポリエチレンイミン（ＢＡＳＦ製のＬｕｐａｓｏｌ（登録商標など）およびその亜鉛錯体、銀および銀化合物、特にＡｇ+を除放するように設計されたものまたはナノ銀分散体の１つまたは複数を含むことができる。
【０２０５】
プロバイオティクス−組成物は、国際公開第０９／０４３７０９号パンフレットに記載されるものなど、プロバイオティクスを含むことができる。
【０２０６】
増泡剤−高い起泡性が所望される場合、Ｃ10〜Ｃ16アルカノールアミドまたはＣ10〜Ｃ14アルキルサルフェートなどの増泡剤を、典型的には、１〜１０重量％のレベルで組成物中に組み込むことができる。Ｃ10〜Ｃ14モノエタノールおよびジエタノールアミドは、このような増泡剤の典型的な種類の例である。上述されるアミンオキシド、ベタイン、およびスルタインなどの高起泡補助界面活性剤と共に、このような増泡剤を使用することも有益である。所望により、ＭｇＣｌ2、ＭｇＳＯ4、ＣａＣｌ2、ＣａＳＯ4等の水溶性マグネシウムおよび／またはカルシウム塩を、典型的には、０．１〜２重量％のレベルで加えて、さらなる起泡をもたらすとともに、油脂除去性能を増強することができる。
【０２０７】
抑泡剤−泡の形成を低減または抑制する化合物を本発明の組成物に組み込むことができる。泡の抑制は、米国特許第４４８９４５５号明細書および米国特許第４，４８９，５７４号明細書に記載される、いわゆる「高濃度洗浄プロセス」、ならびにフロントローディング式洗濯機において特に重要となり得る。抑泡剤として多種多様な物質を使用することができ、抑泡剤は当業者に周知である。例えば、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，第３版，第７巻，ｐ．４３０−４４７（Ｊｏｈｎ  Ｗｉｌｅｙ＆Ｓｏｎｓ，Ｉｎｃ．，１９７９）を参照されたい。抑泡剤の例としては、モノカルボン脂肪酸およびその中の可溶性塩、パラフィンなどの高分子量炭化水素、脂肪酸エステル（例えば、脂肪酸トリグリセリド）、一価アルコールの脂肪酸エステル、脂肪族Ｃ18〜Ｃ40ケトン（例えば、ステアロン）、Ｎ−アルキル化アミノトリアジン、好ましくは融点が約１００℃未満のワックス状炭化水素、シリコーン抑泡剤、および二級アルコールが挙げられる。抑泡剤は、米国特許第２９５４３４７号明細書；米国特許第４２６５７７９号明細書；米国特許第４２６５７７９号明細書；米国特許第３４５５８３９号明細書；米国特許第３９３３６７２号明細書；米国特許第４６５２３９２号明細書；米国特許第４９７８４７１号明細書；米国特許第４９８３３１６号明細書；米国特許第５２８８４３１号明細書；米国特許第４６３９４８９号明細書；米国特許第４７４９７４０号明細書；米国特許第４７９８６７９号明細書；米国特許第４０７５１１８号明細書；欧州特許第８９３０７８５１．９号明細書；欧州特許第１５０８７２号明細書；およびＤＯＳ  ２，１２４，５２６号明細書に記載されている。
【０２０８】
自動洗濯機で使用されるいかなる洗剤組成物の場合も、泡は、洗濯機からあふれ出る程に形成されるべきでない。使用する場合、抑泡剤は、好ましくは「抑泡量」で存在する。「抑泡量」によって、十分に泡を制御して、自動洗濯機で使用するための低起泡性洗濯洗剤をもたらす、この泡制御剤の量を、組成物の配合者が選択することができることを意味する。
【０２０９】
本明細書における組成物は、一般に、０〜１０重量％の抑泡剤を含むことになる。モノカルボン脂肪酸およびその中の塩は、抑泡剤として使用する場合、典型的には最大で５重量％の量で存在することになる。好ましくは、０．５〜３重量％の脂肪族モノカルボキシレート抑泡剤を使用する。シリコーン抑泡剤は、典型的には、最大２．０重量％の量で使用するが、増量して使用することもできる。モノステアリルホスフェート抑泡剤は、一般に、０．１〜２重量％の範囲の量で使用する。炭化水素抑泡剤は、典型的には、０．０１〜５．０重量％の範囲の量で使用するが、増量して使用することもできる。アルコール石鹸抑泡剤は、典型的には、０．２〜３重量％で使用する。
【０２１０】
本明細書における組成物は、広範囲のｐＨにわたって洗浄活性を有し得る。特定の実施形態では、組成物は、ｐＨ４〜ｐＨ１１．５において洗浄活性を有する。他の実施形態では、組成物は、ｐＨ６〜ｐＨ１１、ｐＨ７〜ｐＨ１１、ｐＨ８〜ｐＨ１１、ｐＨ９〜ｐＨ１１、またはｐＨ１０〜ｐＨ１１．５において活性である。
【０２１１】
本明細書における組成物は、広範囲の温度にわたって、例えば１０℃以下〜９０℃において洗浄活性を有し得る。好ましくは、温度は５０℃未満もしくは４０℃未満、または３０℃未満でもある。特定の実施形態では、組成物の至適温度範囲は、１０℃〜２０℃、１５℃〜２５℃、１５℃〜３０℃、２０℃〜３０℃、２５℃〜３５℃、３０℃〜４０℃、３５℃〜４５℃、または４０℃〜５０℃である。本明細書における組成物はさらに、カルシウム（Ｃａ2+）、マグネシウム（Ｍｇ2+）、および第一鉄（Ｆｅ2+）、またはそれらの組合せなどの２価カチオンの添加により安定化させることができる。一部の態様では、本発明は、Ｌｉｐｒ１３８リパーゼの代わりにサーモミセス・ラヌギノサス（Ｔｈｅｒｍｏｍｙｃｅｓ  ｌａｎｕｇｉｎｏｓｕｓ）リパーゼ（Ｌｉｐｏｌａｓｅ（商標））を含む均等組成物に比較して、脂質基質の加水分解により有効である組成物に関する。他の態様では、組成物は、Ｌｉｐｒ１３８リパーゼの代わりにＬｉｐｅｘ（商標）を含む。
【０２１２】
組成物の形態
本明細書に記載する組成物は、例えば、洗濯用途、硬質表面洗浄、食器洗浄用途、ならびに義歯、歯、毛髪、および皮膚などの化粧用途に有利に使用される。本発明の組成物は、特に、固体または液体の洗浄組成物および／または処理組成物である。一態様では、本発明は、組成物の形態が、レギュラー、圧縮、または濃縮の液体；ゲル；ペースト；棒状石鹸；レギュラーまたは圧縮の粉末；粒状固体；２つ以上の層を有する均質錠または多層錠（同じまたは異なる相）；１つまたは複数のコンパートメントを有するパウチ；単一または多重コンパートメントの単位用量形態；またはそれらの任意の組合せから選択される、組成物に関する。
【０２１３】
組成物の形態によって、例えば水溶解性パウチなどのコンパートメントまたは錠剤の異なる層において、成分を互いから物理的に分離することができる。それによって、成分間のネガティブな貯蔵相互作用を回避することができる。コンパートメントのそれぞれの溶出プロファイルが異なることによっても、洗浄溶液中の選択された成分の溶出を遅延させることができる。
【０２１４】
パウチは、単一または多重コンパートメントとして構成することができる。パウチは、例えば水と接触する前にパウチから組成物を放出することなく、組成物を保持するのに適したいかなる形態、形状、および材料であってもよい。パウチは、内部体積を包む水溶性フィルムから作製される。前記内部体積は、パウチのコンパートメントに分割することができる。好ましいフィルムは、ポリマー材料、好ましくはフィルムまたはシートに形成されるポリマーである。好ましいポリマー、コポリマー、またはそれらの誘導体は、選択されたポリアクリレート、および水溶性アクリレートコポリマー、メチルセルロース、カルボキシメチルセルロース、ナトリウムデキストリン、エチルセルロース、ヒドロキシエチルセルロース、ヒドロキシプロピルメチルセルロース、マルトデキストリン、ポリメタクリレートであり、最も好ましくはポリビニルアルコールコポリマーおよびヒドロキシプロピルメチルセルロース（ＨＰＭＣ）である。好ましくは、フィルム中のポリマー、例えばＰＶＡのレベルは、少なくとも約６０％である。好ましい平均分子量は、典型的には、約２０，０００〜約１５０，０００である。フィルムはまた、ポリ乳酸およびポリビニルアルコール（ＭｏｎｏＳｏｌ  ＬＬＣ，Ｉｎｄｉａｎａ，ＵＳＡにより販売される商標名Ｍ８６３０の下で知られている）にグリセロール、エチレングリセロール、プロピレングリコール、ソルビトール、およびそれらの混合物のような可塑剤を加えたものなど、加水分解可能で水溶性のポリマーブレンドを含む、ブレンドされた組成物であってもよい。パウチは、水溶性フィルムにより分離された固体洗濯洗浄組成物もしくは部分成分および／または液体洗濯洗浄組成物もしくは部分成分を含むことができる。液体成分のためのコンパートメントは、固体を含有するコンパートメントとは組成が異なり得る（米国特許出願公開第２００９／００１１９７０Ａ１号明細書）。
【０２１５】
水溶性フィルム−本発明の組成物はまた、水溶性フィルム内に封入することができる。好ましいフィルム材料は、好ましくはポリマー材料である。当技術分野で公知であるように、フィルム材料は、例えば、ポリマー材料のキャスティング、ブロー成形、押出し、またはブロー押出しにより得ることができる。パウチ材料として使用するのに適した、好ましいポリマー、コポリマー、またはそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリビニルアセテート、ポリカルボン酸および塩、ポリアミノ酸またはペプチド、ポリアミド、ポリアクリルアミド、マレイン酸／アクリル酸のコポリマー、デンプンおよびゼラチンを含む多糖類、キサンタンおよびカラゴム（ｃａｒｒａｇｕｍ）などの天然ゴムから選択される。より好ましいポリマーは、ポリアクリレートおよび水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー、およびヒドロキシプロピルメチルセルロース（ＨＰＭＣ）、ならびにそれらの組合せから選択される。好ましくは、パウチ材料中のポリマー、例えばＰＶＡポリマーのレベルは、少なくとも６０重量％である。ポリマーは、任意の重量平均分子量を有することができるが、好ましくは、約１，０００〜１，０００，０００、約１０，０００〜３００，０００、約２０，０００〜１５０，０００である。ポリマーの混合物もパウチ材料として使用することができる。
【０２１６】
当然のことながら、異なるフィルム材料および／または異なる厚さのフィルムを、本発明のコンパートメントの作製に使用することができる。異なるフィルムを選択することの利点は、得られるコンパートメントが異なる溶解性または放出特性を示し得ることである。
【０２１７】
好ましいフィルム材料は、ＭｏｎｏＳｏｌ商品番号Ｍ８６３０、Ｍ８９００、Ｈ８７７９で知られるＰＶＡフィルム、ならびに米国特許第６１６６１１７号明細書および米国特許第６７８７５１２号明細書に記載されるもの、ならびに相当する溶解性および変形能特性を有するＰＶＡフィルムである。
【０２１８】
本明細書におけるフィルム材料はまた、１種または複数の添加成分を含むことができる。例えば、可塑剤、例えばグリセロール、エチレングリコール、ジエチレングリコール、プロピレングリコール、ソルビトール、およびそれらの混合物を添加することが有益となることがある。他の添加剤としては、洗浄水に送達される機能的な洗剤添加剤、例えば有機ポリマー分散剤等が挙げられる。
【０２１９】
組成物を作製する方法
本発明の組成物は、任意の好適な形態に製剤化することができ、配合者により選択される任意の方法により調製することができる。この方法の非限定例は、出願人の実施例および米国特許第４９９０２８０号明細書；米国特許出願公開第２００３００８７７９１Ａ１号明細書；米国特許出願公開第２００３００８７７９０Ａ１号明細書；米国特許出願公開第２００５０００３９８３Ａ１号明細書；米国特許出願公開第２００４００４８７６４Ａ１号明細書；米国特許第４７６２６３６号明細書；米国特許第６２９１４１２号明細書；米国特許出願公開第２００５０２２７８９１Ａ１号明細書；欧州特許出願公開第１０７０１１５Ａ２号明細書；米国特許第５８７９５８４号明細書；米国特許第５６９１２９７号明細書；米国特許第５５７４００５号明細書；米国特許第５５６９６４５号明細書；米国特許第５５６５４２２号明細書；米国特許第５５１６４４８号明細書；米国特許第５４８９３９２号明細書；米国特許第５４８６３０３号明細書に記載されており、これらはすべて、参照により本明細書に組み込まれる。本発明の組成物、または本発明に従って調製される組成物は、これらに限定されないが、布地、硬質表面、ならびに布地およびホームケア領域（例えば、エアフレッシュナーおよび香り送達系を含む空気ケア、自動車ケア、食器洗浄、布地コンディショニング（柔軟にすることおよび／または新鮮にすることを含む）、洗濯洗浄、洗濯およびすすぎの添加および／またはケア、床および便器用クリーナーを含む硬質表面洗浄および／または処理）の他の任意の表面を処理するための組成物、顆粒または粉末形態の多目的洗剤または「ヘビーデューティー」洗剤、特に洗浄洗剤；液体、ゲル、またはペースト形態の多目的洗剤、特にいわゆるヘビーデューティー液体型；微細布地用液体洗剤；食器手洗い用洗剤またはライトデューティー食器洗剤、特に高起泡性型；家庭用途および業務用途のための種々の錠剤型、粒剤型、液剤型、およびすすぎ助剤型を含む食洗機用食器洗剤；自動車またはカーペット用シャンプー、便器用クリーナーを含む浴室クリーナー；ならびに漂白添加剤などの洗浄補助剤、および乾燥機用シートなどの「汚れ付着」型または前処理型の基材負荷組成物を含む、洗浄および／または処理組成物を含む。繊維製品および／または硬質表面、最も好ましくは繊維製品を洗浄および／または処理するための組成物および方法が好ましい。組成物は、好ましくは、洗浄工程の前処理ステップまたは主要洗浄ステップで使用される組成物、最も好ましくは繊維製品の洗浄ステップで使用するための組成物である。
【０２２０】
本明細書で使用される場合、「布地および／または硬質表面の洗浄および／または処理組成物」という用語は、他に指示がない限り、顆粒または粉末形態の多目的洗剤または「ヘビーデューティー」洗剤、特に洗浄洗剤；液体、ゲル、またはペースト形態の多目的洗剤、特にいわゆるヘビーデューティー液体型；微細布地用液体洗剤；食器手洗い用洗剤またはライトデューティー食器洗剤、特に高起泡性型；家庭用途および業務用途のための種々の錠剤型、粒剤型、液剤型、およびすすぎ助剤型を含む食洗機用食器洗剤；液体洗浄剤および殺菌剤、自動車またはカーペット用シャンプー、便器用クリーナーを含む浴室クリーナー；液体、固体、および／または乾燥機用シート形態であり得る、柔軟にすることおよび／または新鮮にすることを含む布地コンディショニング組成物；ならびに漂白添加剤などの洗浄補助剤、および乾燥機用シートなどの「汚れ付着」型または前処理型の基材負荷組成物を含む、洗浄および／または処理組成物のサブセットである。適用可能であるこのような組成物はすべて、標準形態、濃縮形態、または特定の態様では、非水性になり得る程の高濃縮形態であっても可能である。
【０２２１】
使用方法
本発明は、繊維製品もしくは硬質表面、または布地および／もしくはホームケアの分野の他の表面を処理することを含む、任意の表面を洗浄するための方法を含む。本発明の好ましい態様では、この方法は、最も好ましくは、繊維製品の洗浄工程で使用するために、あるいは手洗い食器洗浄と自動／機械食器洗浄の両方を含む食器洗浄に使用するために、洗浄工程の前処理ステップまたは主要洗浄ステップで処理される表面に接触させるステップを含む。本発明の一実施形態では、表面を洗浄および／または処理するための方法の中で、リパーゼ変異体および他の成分を逐次的に加える。あるいはリパーゼ変異体および他の成分を同時に加える。
【０２２２】
本明細書で使用される場合、洗浄は、これらに限定されないが、スクラビングおよび機械的撹拌を含む。洗浄は、国際公開第０８／１０１９５８号パンフレットに記載されるように、かつ／またはスクラビングおよび機械的撹拌に追加して、もしくはその代わりに圧力を交互に加えることにより（圧力／真空）、泡組成物を用いて行うことができる。このような表面または布地の乾燥は、家庭内または工業的環境のいずれかで使用される一般的手段の任意の１つによって遂行することができる。本発明の洗浄組成物は、理想的には、洗濯および食器洗浄の用途で使用するのに適している。したがって、本発明は、これらに限定されないが、布地、食器、刃物、および台所用品を含む対象を洗浄するための方法を含む。この方法は、出願人の洗浄組成物、洗浄添加剤、またはそれらの混合物の少なくとも１つの実施形態を含む前記洗浄組成物と、洗浄される対象とを接触させるステップを含む。布地は、通常の消費者または施設使用条件で洗濯することができるほとんどいずれの布地も含み得る。溶液のｐＨは、８〜１０．５とすることができる。組成物は、５００ｐｐｍ〜１５．０００ｐｐｍの溶液濃度で使用することができる。水温は、典型的には、５℃〜９０℃の範囲である。水と布地の比は、典型的には、１：１〜３０：１である。
【０２２３】
一態様では、本発明は、洗浄組成物を製造するためにＬｉｐｒ１３８を使用する方法に関する。一態様では、本発明は、対象を洗浄するための洗浄組成物の使用に関する。
【０２２４】
一態様では、本発明は、洗浄組成物を安定化する方法であって、配列番号２に対して少なくとも７５％の同一性を有するリパーゼを組成物に加えることを含み、組成物の安定性が、配列番号２に対して少なくとも７５％の同一性を有するリパーゼの代わりにサーモミセス・ラヌギノサス（Ｔｈｅｒｍｏｍｙｃｅｓ  ｌａｎｕｇｉｎｏｓｕｓ）リパーゼを含む均等組成物の安定性よりも高く、好ましくは、安定性が、最終洗浄組成物および／または最終洗浄媒体において測定される、方法に関する。
【０２２５】
一態様では、本発明は、配列番号２に対して少なくとも７５％の同一性を有するリパーゼおよび界面活性剤を加えることを含む、組成物を製造する方法に関する。一態様では、本発明は、洗浄される表面上に存在する脂質汚れを洗浄組成物と接触させることを含む、表面を洗浄するための方法に関する。一態様では、本発明は、汚染物および／または汚れを洗浄組成物と接触させることを含む、汚染物および／または表面上の汚れに存在する脂質を加水分解するための方法に関する。
【実施例】
【０２２６】
材料および方法
他に指示がない限り、材料は試薬用グレードのものである。
【０２２７】
実施例１−Ｌｉｐｒ１３８のクローニングおよび発現
リパーゼをコードする遺伝子は、以前に同定されたものであり（Ｇｌｏｇａｕｅｒ  ｅｔ  ａｌ．Ｍｉｃｒｏｂｉａｌ  Ｃｅｌｌ  Ｆａｃｔｏｒｉｅｓ  ２０１１，１０：５４）、ＧＥＮＢＡＮＫ受託番号ＪＦ４１７９７９として示される配列を有する。
【０２２８】
この同定されたヌクレオチド配列に基づいて、配列番号１として示されるＬｉｐｒ１３８合成遺伝子のヌクレオチド配列は、Ｇｅｎｅ  Ａｒｔ（ＧＥＮＥＡＲＴ  ＡＧ  ＢｉｏＰａｒｋ，Ｊｏｓｅｆ−Ｅｎｇｅｒｔ−Ｓｔｒ．１１，９３０５３，Ｒｅｇｅｎｓｂｕｒｇ，Ｇｅｒｍａｎｙ）により合成された。この合成遺伝子を、国際公開第１２／０２５５７７号パンフレットに記載されるように、ＳａｃＩおよびＭｌｕＩの制限部位を使用してバチルス（Ｂａｃｉｌｌｕｓ）発現ベクターの中にサブクローニングした。形質転換体を、１ｍｌ当たり６マイクログラムのクロラムフェニコールを添加したＬＢプレート上で選択した。組み込まれた発現構築物を含有する組換えバチルス・サブチリス（Ｂａｃｉｌｌｕｓ  ｓｕｂｔｉｌｉｓ）クローンを選択し、それぞれが３４ｍｇ／ｌのクロラムフェニコールを添加したカゼインベースの培地１００ｍｌを含有する５００ｍＬのバッフル付き三角フラスコ中で回転式振動テーブル上にて培養した。このクローンを２６℃で５日間培養した。酵素を含有する上清を回収し、以下に記載のように酵素を精製した。成熟Ｌｉｐｒ１３８リパーゼのアミノ酸配列を配列番号２として示す。
【０２２９】
実施例２−Ｌｉｐｒ１３８の精製
発酵上清を、０．２２マイクロメートルカットオフのＰＥＳ  Ｂｏｔｔｌｅトップフィルター（カタログ番号：５６７−００２０、Ｔｈｅｒｍｏ  Ｆｉｓｈｅｒ  Ｓｃｉｅｎｔｉｆｉｃ，Ｋａｓｔｒｕｐｓｖｅｊ  ９０，４０００  Ｒｏｓｋｉｌｄｅ，Ｄｅｎｍａｒｋ）を通して濾過した。得られた濾液を、ｐＨ５に調整し（１００ｍｌ当たり６．７ｍｌの１Ｍ酢酸ナトリウム、ｐＨ５）、ＮａＣｌを最終濃度１Ｍになるまで加えた。
【０２３０】
Ｌｉｐｒ１３８を５０ｍｌのデシルアミンアガロース（Ａｃｅｔｙｌｅｒｅｔ  Ｄｅｃｙｌａｍｉｎａｇａｒｏｓｅ、カタログ番号：ＣＳ７６、ＵｐＦｒｏｎｔ  Ｃｒｏｍａｔｏｇｒａｐｈｙ  Ａ／Ｓ，Ｌｅｒｓｏ  Ｐａｒｋａｌｌｅ  ４２，２１００  Ｃｏｐｅｎｈａｇｅｎ  Ｏ，Ｄｅｎｍａｒｋ）を使用して、ＨＩＣ／アフィニティークロマトグラフィーにより精製した。カラムに濾液を負荷した後、３カラム容量の緩衝液Ａ（５０ｍＭ酢酸ｐＨ５＋１Ｍ  ＮａＣｌ）で洗浄し、続いて、３カラム容量の緩衝液Ｂ（５０ｍＭ酢酸ｐＨ５および３０％イソプロパノール）でＬｉｐｒ１３８を溶出した。溶出を２８０ｎｍでモニターした。２８０ｎｍの吸光度が高い画分をＬｉｐｒ１３８の含量に関してＳＤＳ−ポリアクリルアミドゲル電気泳動法で分析した。純粋なタンパク質を含む画分をプールした。この段階で、沈殿が一部生じた。沈殿したＬｉｐｒ１３８を放置してチューブの底に沈降させ、可溶性タンパク質をデカントした。
【０２３１】
タンパク質の可溶性部分を、１０００ｍｌのＧ−２５セファデックスカラム（直径：９ｃｍ、高さ１５ｃｍ）上で１００ｍｌ／分の速度で５０ｍＭ酢酸ｐＨ５の中に脱塩した。脱塩したタンパク質は、ＳＤＳ−ポリアクリルアミドゲル電気泳動法で分析したところ、推定分子量２８ｋＤおよび純度９５％超であった。
【０２３２】
実施例３−Ｌｉｐｒ１３８の加水分解活性
精製Ｌｉｐｒ１３８の加水分解活性をオリーブ油プレートアッセイで検討した。
【０２３３】
精製酵素、緩衝液（陰性対照）、ならびにＮｏｖｏｚｙｍｅｓ  Ａ／Ｓから入手した市販酵素Ｌｉｐｏｌａｓｅ（商標）およびＬｉｐｅｘ（商標）（陽性対照）の２０マイクロリットルのアリコートをそれぞれ、オリーブ油／寒天プレート（１％オリーブ油、１％ＬｉｔｅｘアガロースＨＳＨ１０００、１ｍＭ  ＣａＣｌ2、５０ｍＭ  Ｈｅｐｅｓ  ｐＨ８．０）中の直径３ｍｍのパンチ穴に分注し、２０℃で２４時間インキュベートした。
【０２３４】
次いで、プレートについて、穴のまわりのクリアリングゾーンの有無を調べた。オリーブ油の加水分解は、パンチ穴のまわりのクリアリングゾーンにより示された。Ｌｉｐｒ１３８では、陽性対照と同じレベルである、５ｍｍのクリアリングゾーンが生じた。陰性対照ではクリアリングゾーンは生じなかった。
【０２３５】
実施例４−Ｌｉｐｒ１３８の安定性
リパーゼの熱安定性を、ＶＰ−毛細管示差走査熱量計（Ｃａｐｉｌｌａｒｙ  Ｄｉｆｆｅｒｅｎｔｉａｌ  Ｓｃａｎｎｉｎｇ  Ｃａｌｏｒｉｍｅｔｅｒ）（ＭｉｃｒｏＣａｌ  Ｉｎｃ．，Ｐｉｓｃａｔａｗａｙ，ＮＪ，ＵＳＡ）を使用して、示差走査熱量測定（ＤＳＣ）により決定した。２００Ｋ／時間の一定のプログラムされた加熱速度で、選択された緩衝液中の酵素溶液を加熱した後に得られるサーモグラム（Ｃｐ対Ｔ）中の変性ピーク（主要な吸熱ピーク）の頂点として、熱変性温度、Ｔｄ（℃）を得た。
【０２３６】
試料溶液および参照溶液（約０．２ｍｌ）を１０℃の貯蔵条件から熱量計に負荷し（参照：酵素を含まない緩衝液）、２０℃で２０分間予め熱平衡させた後、２０℃〜１１０℃のＤＳＣスキャンを行った。変性温度を約＋／−１℃の正確さで決定した。
【０２３７】
Ｌｉｐｒ１３８ならびに対照リパーゼＬｉｐｏｌａｓｅ（商標）および／またはＬｉｐｅｘ（商標）の熱安定性に対する、ＬＡＳ（０．５ｍＭ）、ＥＤＴＡ（２ｍＭ）、Ｃａ2+（２ｍＭ）、およびｐＨ５（５０ｍＭ酢酸ナトリウム）、ｐＨ８（５０ｍＭ  ＨＥＰＥＳ）、またはｐＨ１０（５０ｍＭグリシン）などの種々の要因の影響を示差走査熱量測定（ＤＳＣ）により試験した。
【０２３８】
【表２】
2015525248.tif 000014
【０２３９】
【表３】
2015525248.tif 000015
【０２４０】
【表４】
2015525248.tif 000016
【０２４１】
【表５】
2015525248.tif 000017
【０２４２】
実施例５−相対的洗浄性能
洗濯における洗浄性能を評価するために、自動機械的応力分析（ＡＭＳＡ）を使用して、洗浄実験を実施した。ＡＭＳＡプレートは、試験溶液用の多数のスロットと、洗浄される洗濯試料である繊維製品をすべてのスロット開口部に対してしっかりと押し込むリッドとを有する。洗浄時間中、プレート、試験溶液、繊維製品、およびリッドを激しく振動させることにより、試験溶液を繊維製品に接触させ、規則的、周期的振動方式で機械的応力を加えた。さらに詳細な説明については、国際公開第０２／４２７４０号パンフレット、特に第２３〜２４頁のパラグラフ「Ｓｐｅｃｉａｌ  ｍｅｔｈｏｄ  ｅｍｂｏｄｉｍｅｎｔｓ」を参照されたい。使用した試験材料は、国際公開第０６／１２５４３７号パンフレットによる「Ｃｒｅａｍ  ｔｕｒｍｅｒｉｃ  ｓｔａｉｎ」であった。
【０２４３】
以下に指定する条件下で洗濯実験を行った：
【０２４４】
【表６】
2015525248.tif 000018
【０２４５】
【表７】
2015525248.tif 000019
【０２４６】
ＯＭＯ  Ｃｏｌｏｒ，Ｌｉｌｌｅ  ｏｇ  Ｋｒａｆｔｆｕｌｄ（Ｕｎｉｌｅｖｅｒ製の液体洗剤）：ＯＭＯ  Ｃｏｌｏｒ，Ｌｉｌｌｅ  ｏｇ  Ｋｒａｆｔｆｕｌｄ洗剤は、１５〜３０％：アニオン性界面活性剤、非イオン性界面活性剤、５〜１５％：石鹸、５％未満の酵素、香料、ホスホネート、ブチルフェニルメチルプロピオナール、シトロネロール、ゲラニオールを含む。ＯＭＯ  Ｃｏｌｏｒ，Ｌｉｌｌｅ  ｏｇ  Ｋｒａｆｔｆｕｌｄの成分は以下のとおりである：水、Ｃ１２−１５パレス−７、ドデシルベンゼンスルホン酸ナトリウム、ＴＥＡ−ココエート、ラウレス硫酸ナトリウム、クエン酸ナトリウム、香料、プロピレングリコール、ソルビトール、硫酸ナトリウム、グリセリン、ブチルフェニルメチルプロピオナール、シトロネロール、スチレン／アクリレートコポリマー、プロテアーゼ、トリエタノールアミン、ボロン酸、（４−ホルミルフェニル、ゲラニオール、アミラーゼ、マンナナーゼ、ベンジオチアゾリノン（ｂｅｎｚｉｏｔｈｉａｚｏｌｉｎｏｎｅ）、ラウリル硫酸ナトリウム、ＣＩ  ６１５８５、ＣＩ  ４５１００。
【０２４７】
Ａｒｉｅｌ  ｗｉｔｈ  Ａｃｔｉｌｉｆｔ（Ｐｒｏｃｔｏｒ＆Ｇａｍｂｌｅ製の液体洗剤）：Ａｒｉｅｌ  ｗｉｔｈ  Ａｃｔｉｌｉｆｔ洗剤は、５〜１５％：アニオン性界面活性剤、５％未満の非イオン性界面活性剤、ホスホネート、石鹸を含む。Ａｒｉｅｌ  ｗｉｔｈ  Ａｃｔｉｌｉｆｔの成分は以下のとおりである：水、水、ドデシルベンゼンスルホン酸ナトリウム、Ｃ１４−１５パレス−ｎ、クエン酸ナトリウム、ナトリウムパームカーネレート（ｓｏｄｉｕｍ  ｐａｌｍ  ｋｅｒｎｅｌａｔｅ）、ＭＥＡ−ボレート、ラウレス硫酸ナトリウム、ドデシルベンゼンスルホン酸、アルコール、プロピレングリコール、第四級化された硫酸化エトキシ化ヘキサメチレンジアミン、香料、ＰＥＧ／酢酸ビニルのコポリマー、硬化ヒマシ油、ＰＥＩ−１４  ＰＥＧ−１０／ＰＰＧ−７コポリマー、エタノールアミン、ジエチレントリアミンペンタメチレンリン酸ナトリウム、ＰＥＧ／ＰＰＧ−１０／２プロピルヘプチルエーテル、ブチルフェニルメチルプロピオナール、ソルビトール、グリセリン、水酸化ナトリウム、ギ酸ナトリウム、硫酸、アルファ−イソメチルイオノン、プロテアーゼ、ゲラニオール、リナロール、シトロネロール、トリプロピレングリコール、グリコシダーゼ、グリコシダーゼ、フェニルメチコン、着色剤、酢酸ナトリウム、セルラーゼ、フェノキシエタノール、着色剤、硫酸ナトリウム、シリカ、ポリナフタレンスルホン酸ナトリウム。
【０２４８】
商用洗剤（ＯＭＯ  Ｃｏｌｏｒ，Ｌｉｌｌｅ  ｏｇ  ＫｒａｆｔｆｕｌｄおよびＡｒｉｅｌ  ｗｉｔｈ  Ａｃｔｉｌｉｆｔ）中の酵素を、以下のように加熱不活性化した：１リットルに対する洗剤量を、１Ｌのボトル中に量り分け、各洗剤に５００ｍｌの沸騰水を加えた。この溶液を１５分間撹拌し、次いで室温に冷却した後、さらに希釈した。ＣａＣｌ2およびＭｇＣｌ2（Ｃａ2+：Ｍｇ2+＝４：１）を試験系に添加することにより、水の硬度を１５°ｄＨに調整した。洗浄した後、繊維製品を水道水ですすぎ、乾燥させた。
【０２４９】
洗浄した繊維製品の色の白色度として、洗浄性能を測定した。白色度はまた、サンプルを白色光で照らしたとき、サンプルから反射する光の強度として表すこともできる。サンプルが汚れていると、反射光の強度は、清浄なサンプルの強度より低かった。従って、洗浄性能を測定するのに、反射光の強度を用いることができる。
【０２５０】
洗浄済み繊維製品の画像を捉えるのに用いた、プロ仕様のフラットベッドスキャナー（Ｋｏｄａｋ  ｉＱｓｍａｒｔ，Ｋｏｄａｋ，Ｍｉｄｔａｇｅｒ  ２９，ＤＫ−２６０５  Ｂｒｏｎｄｂｙ，Ｄｅｎｍａｒｋ）で色測定を実施した。
【０２５１】
スキャン画像の光強度値を抽出するため、画像からの２４ビットピクセル値を、赤、緑および青（ＲＧＢ）値へと変換した。ベクターとしてＲＧＢ値を一緒に加え、次に、得られたベクターの長さを計算することにより強度値（Ｉｎｔ）を算出した：
【数１】
2015525248.tif 000020
【０２５２】
【表８】
2015525248.tif 000021
【配列表】
2015525248000001.app
【国際調査報告】
2015525248.tif 000022
2015525248.tif 000023
2015525248.tif 000024